(57)【要約】【課題】加入者回路対応に呼出信号およびメッセージウェイティング信号発生回路を別々に持っていためプリント基板上の実装面積制限及びコスト削減に支障をきたしていた。【解決手段】加入者回路３００の直流電圧発生回路（ＤＣＰＷ）５はボタン電話装置または電話交換機本体電源からの電圧を昇圧し、変調回路（ＭＯＤ）１は直流電圧発生回路（ＤＣＰＷ）からの直流電圧を断続制御回路（ＩＮＴ）２からの制御により変調、断続を行い、断続制御回路（ＩＮＴ）は呼出信号（ＲＧ）送出の場合は、変調回路（ＭＯＤ）に対して変調された正弦波を一定周期で、またメッセージウェイティング信号（ＭＷ）送出時には一定周期での断続出力を行うよう制御し、呼出信号（ＲＧ）およびメッセージウェイティング信号（ＭＷ）の送出回路を共通化することで、数量の多い加入者回路を構成するプリント基板上の実装面積を縮小し、コスト削減を図る。【選択図】      図２
2005286639.tif 000002
【特許請求の範囲】
【請求項１】
ボタン電話装置または電話交換機に実装され、一方の通話線はボタン電話装置または電話交換機の通話路スイッチに接続され、また片方の通話線は加入者回線を通して加入者電話機へ接続された加入者回路であって、前記加入者回路は、
ボタン電話装置または電話交換機の電源からの電圧を一定の直流電圧に変換する直流電圧発生回路と、
前記直流電圧発生回路からの前記直流電圧を、断続制御回路からの制御により、一定の周波数を持つ交流波へ変調し、前記変調した交流波を一定周期で断続し、出力するか、または前記直流電圧発生回路からの前記直流電圧を、断続制御回路からの制御により前記一定の周期または前記一定の周期以外の一定の周期で断続し、出力するように、断続制御回路からの制御により機能変更する変調回路と、
断続制御回路は、ボタン電話装置または電話交換機からの指示により前記変調回路に対して、変調された交流波を一定の周期で断続制御を行うよう、または、前記一定の周期または前記一定の周期以外の一定の周期で断続制御を行うよう機能変更して前記変調回路を制御する手段と、を備え、
直流電圧を変調した交流波を一定周期で断続し、出力するか、または、直流電圧をまた他の一定の周期で断続し、出力することを特徴とする呼出信号送出回路およびメッセージウェイティング信号送出回路を共通化したアナログ加入者電話機インターフェース回路。
【請求項２】
ボタン電話装置または電話交換機に実装され、一方の通話線はボタン電話装置または電話交換機の通話路スイッチに接続され、また片方の通話線は加入者回線を通して加入者電話機へ接続された加入者回路であって、前記加入者回路は、
ボタン電話装置または電話交換機の電源からの電圧を一定の直流電圧に変換する直流電圧発生回路と、
前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する変調回路と、
ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する断続制御回路はと、を備え、
直流電圧を変調した呼出信号用交流波を呼出信号用一定周期で断続し、出力するか、または、直流電圧をメッセージウェイティング信号用一定の周期で断続し、出力することを特徴とする呼出信号送出回路およびメッセージウェイティング信号送出回路を共通化したアナログ加入者電話機インターフェース回路。
【請求項３】
ボタン電話装置または電話交換機に実装され、一方の通話線はボタン電話装置または電話交換機の通話路スイッチに接続され、また片方の通話線は加入者回線を通して加入者電話機へ接続された加入者回路であって、前記加入者回路は、
ボタン電話装置または電話交換機の電源からの電圧を一定の直流電圧に変換する直流電圧発生回路と、
前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する変調回路と、
ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する断続制御回路と、
前記加入者回路は、加入者電話機が応答したことを検出する手段と、を備え、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段を経て加入者電話機に送出することを特徴とする呼出信号送出回路およびメッセージウェイティング信号送出回路を共通化したアナログ加入者電話機インターフェース回路。
【請求項４】
ボタン電話装置または電話交換機に実装され、一方の通話線はボタン電話装置または電話交換機の通話路スイッチに接続され、また片方の通話線は加入者回線を通して加入者電話機へ接続された加入者回路であって、前記加入者回路は、
ボタン電話装置または電話交換機の電源からの電圧を一定の直流電圧に変換する直流電圧発生回路と、
前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する変調回路と、
ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する断続制御回路と、
前記加入者回路は、加入者電話機とのインターフェースを受け持つ加入者電話機インターフェース手段と、を備え、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機インターフェース手段を経て加入者電話機に送出することを特徴とする呼出信号送出回路およびメッセージウェイティング信号送出回路を共通化したアナログ加入者電話機インターフェース回路。
【請求項５】
ボタン電話装置または電話交換機に実装され、一方の通話線はボタン電話装置または電話交換機の通話路スイッチに接続され、また片方の通話線は加入者回線を通して加入者電話機へ接続された加入者回路であって、前記加入者回路は、
ボタン電話装置または電話交換機の電源からの電圧を一定の直流電圧に変換する直流電圧発生回路と、
前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する変調回路と、
ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する断続制御回路と、
前記加入者回路は、加入者電話機が応答したことを検出する手段と、
加入者電話機とのインターフェースを受け持つ加入者電話機インターフェース手段と、を備え、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段および前記加入者電話機インターフェース手段を経て加入者電話機に送出することを特徴とする呼出信号送出回路およびメッセージウェイティング信号送出回路を共通化したアナログ加入者電話機インターフェース回路。
【請求項６】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する共通直流電圧発生源となる共通直流電圧発生回路を備え、
前記加入者回路の、
変調回路は、前記共通直流電圧発生回路からの直流電圧を、断続制御回路からの制御により、一定の周波数を持つ交流波へ変調し、前記変調した交流波を一定周期で断続し、出力するか、または前記直流電圧発生回路からの前記直流電圧を、断続制御回路からの制御により前記一定の周期または前記一定の周期以外の一定の周期で断続し、出力するように、断続制御回路からの制御により機能変更する手段と、
断続制御回路は、ボタン電話装置または電話交換機からの指示により前記変調回路に対して、変調された交流波を一定の周期で断続制御を行うよう、または、前記一定の周期または前記一定の周期以外の一定の周期で断続制御を行うよう機能変更して前記変調回路を制御する手段と、を備え、
直流電圧を変調した交流波を一定周期で断続し、出力するか、または、直流電圧をまた他の一定の周期で断続し、出力することを特徴とする呼出信号送出回路およびメッセージウェイティング信号送出回路を共通化したアナログ加入者電話機インターフェース回路。
【請求項７】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路を備え、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する手段と、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する手段と、を備え、
直流電圧を変調した呼出信号用交流波を呼出信号用一定周期で断続し、出力するか、または、直流電圧をメッセージウェイティング信号用一定の周期で断続し、出力することを特徴とする呼出信号送出回路およびメッセージウェイティング信号送出回路を共通化したアナログ加入者電話機インターフェース回路。
【請求項８】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路を備え、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する手段と、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する手段と、
前記加入者回路は、加入者電話機が応答したことを検出する手段と、を備え、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段を経て加入者電話機に送出することを特徴とする呼出信号送出回路およびメッセージウェイティング信号送出回路を共通化したアナログ加入者電話機インターフェース回路。
【請求項９】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路を備え、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する手段と、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する手段と、
前記加入者回路は、加入者電話機とのインターフェースを受け持つ加入者電話機インターフェース手段と、を備え、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機インターフェース手段を経て加入者電話機に送出することを特徴とする呼出信号送出回路およびメッセージウェイティング信号送出回路を共通化したアナログ加入者電話機インターフェース回路。
【請求項１０】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路を備え、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する手段と、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する手段と、
前記加入者回路は、加入者電話機が応答したことを検出する手段と、
加入者電話機とのインターフェースを受け持つ加入者電話機インターフェース手段と、を備え、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段および前記加入者電話機インターフェース手段を経て加入者電話機に送出することを特徴とする呼出信号送出回路およびメッセージウェイティング信号送出回路を共通化したアナログ加入者電話機インターフェース回路。
【請求項１１】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は交流波用共通直流電圧発生回路から、交流波用の電圧源となる共通直流電圧を発生し、
交流波用共通変調回路は、前記交流波用共通直流電圧発生回路からの前記共通直流電圧を、交流波用共通断続制御回路からの制御により、一定の周波数を持つ交流波用交流波へ変調し、前記変調した交流波用交流波を交流波用一定周期で断続し、前記加入者回路に交流波として分配する手段と、
交流波用共通断続制御回路は、前記交流波用共通変調回路に前記変調した交流波用交流波を交流波用一定周期で断続するよう制御する手段と、
また、ボタン電話装置または電話交換機は直流断続波用共通直流電圧発生回路から、直流断続波用の電圧源となる共通直流電圧を発生し、
直流断続波用共通断続制御回路は、前記直流断続波用共通直流電圧発生回路からの前記共通直流電圧を、直流断続波用一定の周期で断続し、前記加入者回路に直流断続波として分配する手段と、
前記加入者回路は、交流波または直流断続波の送出を切り替えるための切り替え手段と、を備え、
前記切り替え手段は、ボタン電話装置または電話交換機からの制御により、交流波送出の場合は、前記交流波として分配する手段により前記交流波用共通変調回路から分配された交流波を、また、直流断続波送出の場合は、前記直流断続波として分配する手段により前記直流断続波用共通断続制御回路から分配された直流断続波を、加入者電話機に送出することを特徴とする呼出信号送出回路およびメッセージウェイティング信号送出回路を共通化したアナログ加入者電話機インターフェース回路。
【請求項１２】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配する手段と、を備え、
前記加入者回路は、呼出信号またはメッセージウェイティング信号の送出を切り替えるための切り替え手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、前記メッセージウェイティング信号として分配する手段により前記メッセージウェイティング信号用共通断続制御回路から分配されたメッセージウェイティング信号を、加入者電話機に送出することを特徴とする呼出信号送出回路およびメッセージウェイティング信号送出回路を共通化したアナログ加入者電話機インターフェース回路。
【請求項１３】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配する手段と、を備え、
前記加入者回路は、呼出信号またはメッセージウェイティング信号の送出を切り替えるための切り替え手段と、
加入者電話機が応答したことを検出する手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、前記メッセージウェイティング信号として分配する手段により前記メッセージウェイティング信号用共通断続制御回路から分配されたメッセージウェイティング信号を、前記加入者電話機が応答したことを検出する手段を経て加入者電話機に送出することを特徴とする呼出信号送出回路およびメッセージウェイティング信号送出回路を共通化したアナログ加入者電話機インターフェース回路。
【請求項１４】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配する手段と、
前記加入者回路は、呼出信号またはメッセージウェイティング信号の送出を切り替えるための切り替え手段と、
加入者電話機とのインターフェースを受け持つ加入者電話機インターフェース手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、前記メッセージウェイティング信号として分配する手段により前記メッセージウェイティング信号用共通断続制御回路から分配されたメッセージウェイティング信号を、前記加入者電話機インターフェース手段を経て加入者電話機に送出することを特徴とする呼出信号送出回路およびメッセージウェイティング信号送出回路を共通化したアナログ加入者電話機インターフェース回路。
【請求項１５】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配する手段と、
前記加入者回路は、呼出信号またはメッセージウェイティング信号の送出を切り替えるための切り替え手段と、
加入者電話機が応答したことを検出する手段と、
加入者電話機とのインターフェースを受け持つ加入者電話機インターフェース手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、前記メッセージウェイティング信号として分配する手段により前記メッセージウェイティング信号用共通断続制御回路から分配されたメッセージウェイティング信号を、前記加入者電話機が応答したことを検出する手段および前記加入者電話機インターフェース手段を経て加入者電話機に送出することを特徴とする呼出信号送出回路およびメッセージウェイティング信号送出回路を共通化したアナログ加入者電話機インターフェース回路。
【請求項１６】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
交流波用共通変調回路は、前記共通直流電圧発生回路からの前記共通直流電圧を、交流波用共通断続制御回路からの制御により、一定の周波数を持つ交流波用交流波へ変調し、前記変調した交流波用交流波を交流波用一定周期で断続し、前記加入者回路に交流波として分配する手段と、
交流波用共通断続制御回路は、前記交流波用共通変調回路に前記変調した交流波用交流波を交流波用一定周期で断続するよう制御する手段と、
直流用共通断続制御回路は、前記共通直流電圧発生回路からの前記共通直流電圧を、直流断続波用一定の周期で断続し、前記加入者回路に直流断続波として分配する手段と、を備え、
前記加入者回路は、交流波または直流断続波の送出を切り替えるための切り替え手段と、を備え、
前記切り替え手段は、ボタン電話装置または電話交換機からの制御により、交流波送出の場合は、前記交流波として分配する手段により前記交流波用共通変調回路から分配された交流波を、また、直流断続波送出の場合は、直流断続波として分配する手段により前記直流用共通断続制御回路から分配された交直流断続波を、加入者電話機に送出することを特徴とする呼出信号送出回路およびメッセージウェイティング信号送出回路を共通化したアナログ加入者電話機インターフェース回路。
【請求項１７】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配する手段と、を備え、
前記加入者回路は、呼出信号またはメッセージウェイティング信号の送出を切り替えるための切り替え手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、メッセージウェイティング信号として分配する手段により前記メッセージウェイティング信号用共通断続制御回路から分配されたメッセージウェイティング信号を、加入者電話機に送出することを特徴とする呼出信号送出回路およびメッセージウェイティング信号送出回路を共通化したアナログ加入者電話機インターフェース回路。
【請求項１８】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配する手段と、を備え、
前記加入者回路は、呼出信号またはメッセージウェイティング信号の送出を切り替えるための切り替え手段と、
加入者電話機が応答したことを検出する手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、メッセージウェイティング信号として分配する手段により前記メッセージウェイティング信号用共通断続制御回路から分配されたメッセージウェイティング信号を、前記加入者電話機が応答したことを検出する手段を経て加入者電話機に送出することを特徴とする呼出信号送出回路およびメッセージウェイティング信号送出回路を共通化したアナログ加入者電話機インターフェース回路。
【請求項１９】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配する手段と、を備え、
前記加入者回路は、呼出信号またはメッセージウェイティング信号の送出を切り替えるための切り替え手段と、
加入者電話機とのインターフェースを受け持つ加入者電話機インターフェース手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、メッセージウェイティング信号として分配する手段により前記メッセージウェイティング信号用共通断続制御回路から分配されたメッセージウェイティング信号を、前記加入者電話機インターフェース手段を経て加入者電話機に送出することを特徴とする呼出信号送出回路およびメッセージウェイティング信号送出回路を共通化したアナログ加入者電話機インターフェース回路。
【請求項２０】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配する手段と、を備え、
前記加入者回路は、呼出信号またはメッセージウェイティング信号の送出を切り替えるための切り替え手段と、
加入者電話機が応答したことを検出する手段と、
加入者電話機とのインターフェースを受け持つ加入者電話機インターフェース手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、メッセージウェイティング信号として分配する手段により前記メッセージウェイティング信号用共通断続制御回路から分配されたメッセージウェイティング信号を、前記加入者電話機が応答したことを検出する手段および前記加入者電話機インターフェース手段を経て加入者電話機に送出することを特徴とする呼出信号送出回路およびメッセージウェイティング信号送出回路を共通化したアナログ加入者電話機インターフェース回路。
【請求項２１】
加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、一定の周波数を持つ交流波へ変調し、前記変調した交流波を一定周期で断続し、出力するか、または前記直流電圧発生回路からの前記直流電圧を、断続制御回路からの制御により前記一定の周期または前記一定の周期以外の一定の周期で断続し、出力するように、断続制御回路からの制御により機能変更し、
断続制御回路は、ボタン電話装置または電話交換機からの指示により前記変調回路に対して、変調された交流波を一定の周期で断続制御を行うよう、または、前記一定の周期または前記一定の周期以外の一定の周期で断続制御を行うよう機能変更して前記変調回路を制御し、
直流電圧を変調した交流波を一定周期で断続し、出力するか、または、直流電圧をまた他の一定の周期で断続し、出力することを特徴とする呼出信号送出回路およびメッセージウェイティング信号送出回路を共通化したアナログ加入者電話機インターフェース方法。
【請求項２２】
加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
直流電圧を変調した呼出信号用交流波を呼出信号用一定周期で断続し、出力するか、または、直流電圧をメッセージウェイティング信号用一定の周期で断続し、出力することを特徴とする呼出信号送出回路およびメッセージウェイティング信号送出回路を共通化したアナログ加入者電話機インターフェース方法。
【請求項２３】
加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段を備え、
前記加入者電話機が応答したことを検出する手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段を経て加入者電話機に送出することを特徴とする呼出信号送出回路およびメッセージウェイティング信号送出回路を共通化したアナログ加入者電話機インターフェース方法。
【請求項２４】
加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機とのインターフェースを受け持つ加入者電話機インターフェース手段を備え、
前記加入者電話機とのインターフェースを受け持つ前記加入者電話機インターフェース手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機インターフェース手段を経て加入者電話機に送出することを特徴とする呼出信号送出回路およびメッセージウェイティング信号送出回路を共通化したアナログ加入者電話機インターフェース方法。
【請求項２５】
加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段と、および加入者電話機とのインターフェースを受け持つ加入者電話機インターフェース手段と、を備え、
前記加入者電話機が応答したことを検出する手段と、または前記加入者電話機とのインターフェースを受け持つ前記加入者電話機インターフェース手段により加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段および前記加入者電話機インターフェース手段を経て加入者電話機に送出することを特徴とする呼出信号送出回路およびメッセージウェイティング信号送出回路を共通化したアナログ加入者電話機インターフェース方法。
【請求項２６】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する共通直流電圧発生源となる共通直流電圧発生回路により共通直流電圧を発生し、
前記加入者回路の、
変調回路は、前記共通直流電圧発生回路からの直流電圧を、断続制御回路からの制御により、一定の周波数を持つ交流波へ変調し、前記変調した交流波を一定周期で断続し、出力するか、または前記直流電圧発生回路からの前記直流電圧を、断続制御回路からの制御により前記一定の周期または前記一定の周期以外の一定の周期で断続し、出力するように、断続制御回路からの制御により機能変更し、
断続制御回路は、ボタン電話装置または電話交換機からの指示により前記変調回路に対して、変調された交流波を一定の周期で断続制御を行うよう、または、前記一定の周期または前記一定の周期以外の一定の周期で断続制御を行うよう機能変更して前記変調回路を制御し、
直流電圧を変調した交流波を一定周期で断続し、出力するか、または、直流電圧をまた他の一定の周期で断続し、出力することを特徴とする呼出信号送出回路およびメッセージウェイティング信号送出回路を共通化したアナログ加入者電話機インターフェース方法。
【請求項２７】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
直流電圧を変調した呼出信号用交流波を呼出信号用一定周期で断続し、出力するか、または、直流電圧をメッセージウェイティング信号用一定の周期で断続し、出力することを特徴とする呼出信号送出回路およびメッセージウェイティング信号送出回路を共通化したアナログ加入者電話機インターフェース方法。
【請求項２８】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段を備え、
前記加入者電話機が応答したことを検出する手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段を経て加入者電話機に送出することを特徴とする呼出信号送出回路およびメッセージウェイティング信号送出回路を共通化したアナログ加入者電話機インターフェース方法。
【請求項２９】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
を前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機とのインターフェースを受け持つ加入者電話機インターフェース手段を備え、
前記加入者電話機とのインターフェースを受け持つ前記加入者電話機インターフェース手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機インターフェース手段を経て加入者電話機に送出することを特徴とする呼出信号送出回路およびメッセージウェイティング信号送出回路を共通化したアナログ加入者電話機インターフェース方法。
【請求項３０】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段と、および加入者電話機とのインターフェースを受け持つ加入者電話機インターフェース手段と、を備え、
前記加入者電話機が応答したことを検出する手段と、または前記加入者電話機とのインターフェースを受け持つ前記加入者電話機インターフェース手段により加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段および前記加入者電話機インターフェース手段を経て加入者電話機に送出することを特徴とする呼出信号送出回路およびメッセージウェイティング信号送出回路を共通化したアナログ加入者電話機インターフェース方法。
【請求項３１】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は交流波用共通直流電圧発生回路から、交流波用の電圧源となる共通直流電圧を発生し、
交流波用共通変調回路は、前記交流波用共通直流電圧発生回路からの前記共通直流電圧を、交流波用共通断続制御回路からの制御により、一定の周波数を持つ交流波用交流波へ変調し、前記変調した交流波用交流波を交流波用一定周期で断続し、前記加入者回路に交流波として分配し、
交流波用共通断続制御回路は、前記交流波用共通変調回路に前記変調した交流波用交流波を交流波用一定周期で断続するよう制御し、
また、ボタン電話装置または電話交換機は直流断続波用共通直流電圧発生回路から、直流断続波用の電圧源となる共通直流電圧を発生し、
直流断続波用共通断続制御回路は、前記直流断続波用共通直流電圧発生回路からの前記共通直流電圧を、直流断続波用一定の周期で断続し、前記加入者回路に直流断続波として分配し、
前記加入者回路は、交流波または直流断続波の送出を切り替えるための切り替え手段を備え、
前記切り替え手段は、ボタン電話装置または電話交換機からの制御により、交流波送出の場合は、前記交流波用共通変調回路から分配された交流波を、また、直流断続波送出の場合は、前記直流断続波用共通断続制御回路から分配された直流断続波を、加入者電話機に送出することを特徴とする呼出信号送出回路およびメッセージウェイティング信号送出回路を共通化したアナログ加入者電話機インターフェース方法。
【請求項３２】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段を備え、
前記切り替え手段は、ボタン電話装置または電話交換機からの制御により、呼出信号送出の場合は、前前記呼出信号用共通変調回路から分配された呼出信号を、また、メッセージウェイティング信号送出の場合は、前記メッセージウェイティング信号用共通断続制御回路から分配されたメッセージウェイティング信号を、加入者電話機に送出することを特徴とする呼出信号送出回路およびメッセージウェイティング信号送出回路を共通化したアナログ加入者電話機インターフェース方法。
【請求項３３】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機が応答したことを検出する手段と、を備え、
前記加入者電話機が応答したことを検出する手段により、加入者電話機の応答を監視し、
前記切り替え手段は、ボタン電話装置または電話交換機からの制御により、呼出信号送出の場合は、前前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段を経て加入者電話機に送出することを特徴とする呼出信号送出回路およびメッセージウェイティング信号送出回路を共通化したアナログ加入者電話機インターフェース方法。
【請求項３４】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機とのインターフェースを受け持つ加入者電話機インターフェース手段と、を備え、
前記加入者電話機とのインターフェースを受け持つ前記加入者電話機インターフェース手段により、加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機インターフェース手段を経て加入者電話機に送出することを特徴とする呼出信号送出回路およびメッセージウェイティング信号送出回路を共通化したアナログ加入者電話機インターフェース方法。
【請求項３５】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、加入者電話機が応答したことを検出する手段と、および加入者電話機とのインターフェースを受け持つ加入者電話機インターフェース手段と、を備え、
前記加入者電話機が応答したことを検出する手段、または前記加入者電話機とのインターフェースを受け持つ前記加入者電話機インターフェース手段により加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段および前記加入者電話機インターフェース手段を経て加入者電話機に送出することを特徴とする呼出信号送出回路およびメッセージウェイティング信号送出回路を共通化したアナログ加入者電話機インターフェース方法。
【請求項３６】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
交流波用共通変調回路は、前記共通直流電圧発生回路からの前記共通直流電圧を、交流波用共通断続制御回路からの制御により、一定の周波数を持つ交流波用交流波へ変調し、前記変調した交流波用交流波を交流波用一定周期で断続し、前記加入者回路に交流波として分配し、
交流波用共通断続制御回路は、前記交流波用共通変調回路に前記変調した交流波用交流波を交流波用一定周期で断続するよう制御し、
直流用共通断続制御回路は、前記共通直流電圧発生回路からの前記共通直流電圧を、直流断続波用一定の周期で断続し、前記加入者回路に直流断続波として分配し、
前記加入者回路は、交流波または直流断続波の送出を切り替えるための切り替え手段と、
前記切り替え手段は、ボタン電話装置または電話交換機からの制御により、交流波送出の場合は、前記交流波用共通変調回路から分配された交流波を、また、直流断続波送出の場合は、前記直流用共通断続制御回路から分配された交直流断続波を、加入者電話機に送出することを特徴とする呼出信号送出回路およびメッセージウェイティング信号送出回路を共通化したアナログ加入者電話機インターフェース方法。
【請求項３７】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、加入者電話機に送出することを特徴とする呼出信号送出回路およびメッセージウェイティング信号送出回路を共通化したアナログ加入者電話機インターフェース方法。
【請求項３８】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機が応答したことを検出する手段と、を備え、
前記加入者電話機が応答したことを検出する手段により、加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段を経て加入者電話機に送出することを特徴とする呼出信号送出回路およびメッセージウェイティング信号送出回路を共通化したアナログ加入者電話機インターフェース方法。
【請求項３９】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機とのインターフェースを受け持つ加入者電話機インターフェース手段と、を備え、
前記加入者電話機とのインターフェースを受け持つ前記加入者電話機インターフェース手段により、加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機インターフェース手段を経て加入者電話機に送出することを特徴とする呼出信号送出回路およびメッセージウェイティング信号送出回路を共通化したアナログ加入者電話機インターフェース方法。
【請求項４０】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、加入者電話機が応答したことを検出する手段と、および加入者電話機とのインターフェースを受け持つ加入者電話機インターフェース手段と、を備え、
前記加入者電話機が応答したことを検出する手段、または前記加入者電話機とのインターフェースを受け持つ前記加入者電話機インターフェース手段により加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段および前記加入者電話機インターフェース手段を経て加入者電話機に送出することを特徴とする呼出信号送出回路およびメッセージウェイティング信号送出回路を共通化したアナログ加入者電話機インターフェース方法。
【請求項４１】
加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、一定の周波数を持つ交流波へ変調し、前記変調した交流波を一定周期で断続し、出力するか、または前記直流電圧発生回路からの前記直流電圧を、断続制御回路からの制御により前記一定の周期または前記一定の周期以外の一定の周期で断続し、出力するように、断続制御回路からの制御により機能変更し、
断続制御回路は、ボタン電話装置または電話交換機からの指示により前記変調回路に対して、変調された交流波を一定の周期で断続制御を行うよう、または、前記一定の周期または前記一定の周期以外の一定の周期で断続制御を行うよう機能変更して前記変調回路を制御し、
直流電圧を変調した交流波を一定周期で断続し、出力するか、または、直流電圧をまた他の一定の周期で断続し、出力する処理をコンピュータに実行させるための呼出信号送出回路およびメッセージウェイティング信号送出回路共通化制御用プログラム。
【請求項４２】
加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
直流電圧を変調した呼出信号用交流波を呼出信号用一定周期で断続し、出力するか、または、直流電圧をメッセージウェイティング信号用一定の周期で断続し、出力する処理をコンピュータに実行させるための呼出信号送出回路およびメッセージウェイティング信号送出回路共通化制御用プログラム。
【請求項４３】
加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段を備え、
前記加入者電話機が応答したことを検出する手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段を経て加入者電話機に送出する処理をコンピュータに実行させるための呼出信号送出回路およびメッセージウェイティング信号送出回路共通化制御用プログラム。
【請求項４４】
加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機とのインターフェースを受け持つ加入者電話機インターフェース手段を備え、
前記加入者電話機とのインターフェースを受け持つ前記加入者電話機インターフェース手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機インターフェース手段を経て加入者電話機に送出する処理をコンピュータに実行させるための呼出信号送出回路およびメッセージウェイティング信号送出回路共通化制御用プログラム。
【請求項４５】
加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段と、および加入者電話機とのインターフェースを受け持つ加入者電話機インターフェース手段と、を備え、
前記加入者電話機が応答したことを検出する手段と、または前記加入者電話機とのインターフェースを受け持つ前記加入者電話機インターフェース手段により加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段および前記加入者電話機インターフェース手段を経て加入者電話機に送出する処理をコンピュータに実行させるための呼出信号送出回路およびメッセージウェイティング信号送出回路共通化制御用プログラム。
【請求項４６】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する共通直流電圧発生源となる共通直流電圧発生回路により共通直流電圧を発生し、
前記加入者回路の、
変調回路は、前記共通直流電圧発生回路からの直流電圧を、断続制御回路からの制御により、一定の周波数を持つ交流波へ変調し、前記変調した交流波を一定周期で断続し、出力するか、または前記直流電圧発生回路からの前記直流電圧を、断続制御回路からの制御により前記一定の周期または前記一定の周期以外の一定の周期で断続し、出力するように、断続制御回路からの制御により機能変更し、
断続制御回路は、ボタン電話装置または電話交換機からの指示により前記変調回路に対して、変調された交流波を一定の周期で断続制御を行うよう、または、前記一定の周期または前記一定の周期以外の一定の周期で断続制御を行うよう機能変更して前記変調回路を制御し、
直流電圧を変調した交流波を一定周期で断続し、出力するか、または、直流電圧をまた他の一定の周期で断続し、出力する処理をコンピュータに実行させるための呼出信号送出回路およびメッセージウェイティング信号送出回路共通化制御用プログラム。
【請求項４７】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
直流電圧を変調した呼出信号用交流波を呼出信号用一定周期で断続し、出力するか、または、直流電圧をメッセージウェイティング信号用一定の周期で断続し、出力する処理をコンピュータに実行させるための呼出信号送出回路およびメッセージウェイティング信号送出回路共通化制御用プログラム。
【請求項４８】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段を備え、
前記加入者電話機が応答したことを検出する手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段を経て加入者電話機に送出する処理をコンピュータに実行させるための呼出信号送出回路およびメッセージウェイティング信号送出回路共通化制御用プログラム。
【請求項４９】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
を前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機とのインターフェースを受け持つ加入者電話機インターフェース手段を備え、
前記加入者電話機とのインターフェースを受け持つ前記加入者電話機インターフェース手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機インターフェース手段を経て加入者電話機に送出する処理をコンピュータに実行させるための呼出信号送出回路およびメッセージウェイティング信号送出回路共通化制御用プログラム。
【請求項５０】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段と、および加入者電話機とのインターフェースを受け持つ加入者電話機インターフェース手段と、を備え、
前記加入者電話機が応答したことを検出する手段と、または前記加入者電話機とのインターフェースを受け持つ前記加入者電話機インターフェース手段により加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段および前記加入者電話機インターフェース手段を経て加入者電話機に送出する処理をコンピュータに実行させるための呼出信号送出回路およびメッセージウェイティング信号送出回路共通化制御用プログラム。
【請求項５１】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は交流波用共通直流電圧発生回路から、交流波用の電圧源となる共通直流電圧を発生し、
交流波用共通変調回路は、前記交流波用共通直流電圧発生回路からの前記共通直流電圧を、交流波用共通断続制御回路からの制御により、一定の周波数を持つ交流波用交流波へ変調し、前記変調した交流波用交流波を交流波用一定周期で断続し、前記加入者回路に交流波として分配し、
交流波用共通断続制御回路は、前記交流波用共通変調回路に前記変調した交流波用交流波を交流波用一定周期で断続するよう制御し、
また、ボタン電話装置または電話交換機は直流断続波用共通直流電圧発生回路から、直流断続波用の電圧源となる共通直流電圧を発生し、
直流断続波用共通断続制御回路は、前記直流断続波用共通直流電圧発生回路からの前記共通直流電圧を、直流断続波用一定の周期で断続し、前記加入者回路に直流断続波として分配し、
前記加入者回路は、交流波または直流断続波の送出を切り替えるための切り替え手段を備え、
前記切り替え手段は、ボタン電話装置または電話交換機からの制御により、交流波送出の場合は、前記交流波用共通変調回路から分配された交流波を、また、直流断続波送出の場合は、前記直流断続波用共通断続制御回路から分配された直流断続波を、加入者電話機に送出する処理をコンピュータに実行させるための呼出信号送出回路およびメッセージウェイティング信号送出回路共通化制御用プログラム。
【請求項５２】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段を備え、
前記切り替え手段は、ボタン電話装置または電話交換機からの制御により、呼出信号送出の場合は、前前記呼出信号用共通変調回路から分配された呼出信号を、また、メッセージウェイティング信号送出の場合は、前記メッセージウェイティング信号用共通断続制御回路から分配されたメッセージウェイティング信号を、加入者電話機に送出する処理をコンピュータに実行させるための呼出信号送出回路およびメッセージウェイティング信号送出回路共通化制御用プログラム。
【請求項５３】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機が応答したことを検出する手段と、を備え、
前記加入者電話機が応答したことを検出する手段により、加入者電話機の応答を監視し、
前記切り替え手段は、ボタン電話装置または電話交換機からの制御により、呼出信号送出の場合は、前前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段を経て加入者電話機に送出する処理をコンピュータに実行させるための呼出信号送出回路およびメッセージウェイティング信号送出回路共通化制御用プログラム。
【請求項５４】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機とのインターフェースを受け持つ加入者電話機インターフェース手段と、を備え、
前記加入者電話機とのインターフェースを受け持つ前記加入者電話機インターフェース手段により、加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機インターフェース手段を経て加入者電話機に送出する処理をコンピュータに実行させるための呼出信号送出回路およびメッセージウェイティング信号送出回路共通化制御用プログラム。
【請求項５５】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、加入者電話機が応答したことを検出する手段と、および加入者電話機とのインターフェースを受け持つ加入者電話機インターフェース手段と、を備え、
前記加入者電話機が応答したことを検出する手段、または前記加入者電話機とのインターフェースを受け持つ前記加入者電話機インターフェース手段により加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段および前記加入者電話機インターフェース手段を経て加入者電話機に送出する処理をコンピュータに実行させるための呼出信号送出回路およびメッセージウェイティング信号送出回路共通化制御用プログラム。
【請求項５６】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
交流波用共通変調回路は、前記共通直流電圧発生回路からの前記共通直流電圧を、交流波用共通断続制御回路からの制御により、一定の周波数を持つ交流波用交流波へ変調し、前記変調した交流波用交流波を交流波用一定周期で断続し、前記加入者回路に交流波として分配し、
交流波用共通断続制御回路は、前記交流波用共通変調回路に前記変調した交流波用交流波を交流波用一定周期で断続するよう制御し、
直流用共通断続制御回路は、前記共通直流電圧発生回路からの前記共通直流電圧を、直流断続波用一定の周期で断続し、前記加入者回路に直流断続波として分配し、
前記加入者回路は、交流波または直流断続波の送出を切り替えるための切り替え手段と、
前記切り替え手段は、ボタン電話装置または電話交換機からの制御により、交流波送出の場合は、前記交流波用共通変調回路から分配された交流波を、また、直流断続波送出の場合は、前記直流用共通断続制御回路から分配された交直流断続波を、加入者電話機に送出する処理をコンピュータに実行させるための呼出信号送出回路およびメッセージウェイティング信号送出回路共通化制御用プログラム。
【請求項５７】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、加入者電話機に送出する処理をコンピュータに実行させるための呼出信号送出回路およびメッセージウェイティング信号送出回路共通化制御用プログラム。
【請求項５８】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機が応答したことを検出する手段と、を備え、
前記加入者電話機が応答したことを検出する手段により、加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段を経て加入者電話機に送出する処理をコンピュータに実行させるための呼出信号送出回路およびメッセージウェイティング信号送出回路共通化制御用プログラム。
【請求項５９】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機とのインターフェースを受け持つ加入者電話機インターフェース手段と、を備え、
前記加入者電話機とのインターフェースを受け持つ前記加入者電話機インターフェース手段により、加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機インターフェース手段を経て加入者電話機に送出する処理をコンピュータに実行させるための呼出信号送出回路およびメッセージウェイティング信号送出回路共通化制御用プログラム。
【請求項６０】
加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、加入者電話機が応答したことを検出する手段と、および加入者電話機とのインターフェースを受け持つ加入者電話機インターフェース手段と、を備え、
前記加入者電話機が応答したことを検出する手段、または前記加入者電話機とのインターフェースを受け持つ前記加入者電話機インターフェース手段により加入者電話機の応答を監視し、
前記切り替え手段は、ボタン電話装置または電話交換機からの制御により、呼出信号送出の場合は、前前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段および前記加入者電話機インターフェース手段を経て加入者電話機に送出する処理をコンピュータに実行させるための呼出信号送出回路およびメッセージウェイティング信号送出回路共通化制御用プログラム。
【請求項６１】
加入者回路を着信トランク回路としたことを特徴とする請求項１から請求項２０記載の呼出信号送出回路およびメッセージウェイティング信号送出回路を共通化したアナログ加入者電話機インターフェース回路。
【請求項６２】
加入者回路を着信トランク回路としたことを特徴とする請求項２１から請求項４０記載の呼出信号送出回路およびメッセージウェイティング信号送出回路を共通化したアナログ加入者電話機インターフェース方法。
【請求項６３】
加入者回路を着信トランク回路としたことを特徴とする請求項４１から請求項６０記載の呼出信号送出回路およびメッセージウェイティング信号送出回路共通化制御用プログラム。
【請求項６４】
加入者回路を自局内トランク回路としたことを特徴とする請求項１から請求項２０記載の呼出信号送出回路およびメッセージウェイティング信号送出回路を共通化したアナログ加入者電話機インターフェース回路。
【請求項６５】
加入者回路を自局内トランク回路としたことを特徴とする請求項２１から請求項４０記載の呼出信号送出回路およびメッセージウェイティング信号送出回路を共通化したアナログ加入者電話機インターフェース方法。
【請求項６６】
加入者回路を自局内トランク回路としたことを特徴とする請求項４１から請求項６０記載の呼出信号送出回路およびメッセージウェイティング信号送出回路共通化制御用プログラム。
【請求項６７】
加入者回路を共通トランク回路としたことを特徴とする請求項１から請求項２０記載の呼出信号送出回路およびメッセージウェイティング信号送出回路を共通化したアナログ加入者電話機インターフェース回路。
【請求項６８】
加入者回路を共通トランク回路としたことを特徴とする請求項２１から請求項４０記載の呼出信号送出回路およびメッセージウェイティング信号送出回路を共通化したアナログ加入者電話機インターフェース方法。
【請求項６９】
加入者回路を共通トランク回路としたことを特徴とする請求項４１から請求項６０記載の呼出信号送出回路およびメッセージウェイティング信号送出回路共通化制御用プログラム。
【発明の詳細な説明】
【技術分野】
【０００１】
本発明は呼出信号送出回路およびメッセージウェイティング信号送出回路を共通化したアナログ加入者電話機インターフェース回路と方法および呼出信号送出回路およびメッセージウェイティング信号送出回路共通化制御用プログラムに関し、特にボタン電話装置のアナログ加入者電話機インターフェースの、呼出信号送出回路及びメッセージウエイティング信号送出回路の回路方式において、従来別々の回路にて構成されていたものを、同一回路内にまとめ、更に，アナログ加入者電話機インターフェース内ファームウェアにて送出の周波数を切り替えることにより、１６Ｈｚの場合は呼出信号送出、０．５Ｈｚの場合はメッセージウェイティング信号送出という具合に使用することにより、呼出信号送出回路及びメッセージウエイティング信号送出回路を共通化とする、呼出信号送出回路およびメッセージウェイティング信号送出回路を共通化したアナログ加入者電話機インターフェース回路と方法および呼出信号送出回路およびメッセージウェイティング信号送出回路共通化制御用プログラムに関する。
【背景技術】
【０００２】
従来のアナログ加入者電話機（ＳＬＴ）インターフェース回路において、アナログ加入者電話機に着信時に呼出信号を送出する場合と、用事、伝言等でメッセージを伝達したい場合のメッセージウェイティング信号を送出する場合について図面を参照して説明する。
【０００３】
図１５は従来のアナログ加入者電話機インターフェース回路で呼出信号送出回路およびメッセージウェイティング信号送出回路をそれぞれ備えた加入者回路の構成図である。
【０００４】
図１６は呼出信号およびメッセージウェイティング信号の波形のタイムチャートである。
【０００５】
元来、アナログ加入者電話機（ＳＬＴ））とインターフェースを取る加入者回路３００は、呼出信号発生回路（ＲＧ  ＧＥＮ）１０、及びメッセージウェイティング信号発生回路（ＭＷ  ＧＥＮ）２０は、まず、着信時に呼出信号（ＲＧ）を送出する場合のために、呼出信号発生回路１０は呼出信号用直流電圧発生回路（ＲＧ  ＤＣＰＷ）１５で呼出信号（ＲＧ）の発生源となる電圧を発生させる。
【０００６】
その電圧を呼出信号用変調回路（ＲＧ  ＭＯＤ）１１で１６Ｈｚの正弦波に変調させるとともに、呼出信号用断続制御回路（ＲＧ  ＩＮＴ）１２からの呼出信号の１６Ｈｚの正弦波の断／続（オフ／オン）の制御情報により、１６Ｈｚの正弦波の呼出信号を発生させている。
【０００７】
この呼出信号の波形と断／続（オフ／オン）のタイムチャートが図１６に示されている。
【０００８】
単位時間Ｔｒｇを例えば１秒とすると、１秒間のオン（続）状態のとき図の灰色で示される部分に１６Ｈｚの呼出信号が信号源電圧に重畳されて加入者電話機インターフェース回路４を経て加入者回線のＲｉｎｇ線に送出される。
【０００９】
続いて２秒間のオフ（断）状態により呼出信号は送出休止となり、３秒の周期で呼出信号が加入者に送出される。
【００１０】
また、一方、メッセージウェイティング信号発生回路２０はメッセージウェイティング信号用直流電圧発生回路（ＭＷ  ＤＣＰＷ）２５でメッセージウェイティング信号（ＭＷ）の発生源となる電圧を発生させる。
【００１１】
その電圧をメッセージウェイティング信号用断続制御回路（ＭＷ  ＩＮＴ）２２でメッセージウェイティング信号用直流用電圧発生回路２５で作成された直流電圧を断／続（オフ／オン）する。
【００１２】
制御することにより、伝言等で伝達したいメッセージが存在することを示すため、加入者電話機（ＳＬＴ）２００のメッセージウェイティングランプを点滅させる信号としている。
【００１３】
このメッセージウェイティング信号の波形と断／続（オフ／オン）のタイムチャートが図１６に示されている。
【００１４】
単位時間Ｔｍｗを例えば１秒とすると、１秒間のオン（続）状態のとき加入者電話機（ＳＬＴ）２００のメッセージウェイティングランプを点火させる。
【００１５】
続いて１秒間のオフ（断）状態によりメッセージウェイティング信号が送出休止となり、メッセージウェイティングランプが滅火し、２秒の周期（０．５Ｈｚ）でメッセージウェイティング信号が加入者に送出される。
【００１６】
切り替え回路（ＴＲＦ）６により、着信時の呼出信号送出と伝言等で伝達したいメッセージが存在する時のメッセージウェイティング信号送出を、切り替え回路（ＴＲＦ）６のリレー接点ｔにより切り替える。
【００１７】
加入者ラインのＲｉｎｇ線に、それぞれの目的時にそれぞれの信号を送出する。
【００１８】
この場合のそれぞれの信号送出時の一方の加入者ラインのＴｉｐ線はグランドＧ（地気）等で終端されている。
【００１９】
加入者電話機インターフェース回路（ＳＬＴ  Ｉ／Ｆ）４は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【００２０】
以上、加入者回路３００上の呼出信号発生回路１０、メッセージウェイティング信号発生回路２０、呼出信号発生回路１０の呼出信号用直流電圧発生回路１５、呼出信号用変調回路１１、呼出信号用断続制御回路１２、メッセージウェイティング信号発生回路２０のメッセージウェイティング信号用直流電圧発生回路２５、メッセージウェイティング信号用断続制御回路２２、切り替え回路（ＴＲＦ）６、および加入者電話機インターフェース回路（ＳＬＴ  Ｉ／Ｆ）４は、プリント基板に実装されている。
【００２１】
これが加入者回路３００を構成している。
【００２２】
以上のように、加入者回路３００上、呼出信号発生回路１０およびメッセージウェイティング信号発生回路２０は、それぞれ独立に設けられていた。
【００２３】
その結果、プリント基板上の実装面積制限問題およびコスト削減に支障をきたしていた。
【００２４】
また、従来技術として、特開２０００−１１５３６８号公報がある（特許文献１参照。）。
【００２５】
これは、被設定側の内線電話機にメッセージウェイティングランプがない場合には、メッセージを相手に残すことができないということを設定側の内線電話機の話者に対して伝達することができる構内自動交換機の提供を目的とする。
【００２６】
メッセージウェイティングの設定要求があったときには、メッセージウェイティングランプ検索手段により内線電話機情報テーブルを検索する。
【００２７】
被設定側の内線電話機にメッセージウェイティングランプがない場合には、メッセージ送出手段により、メッセージウェイティングサービスを設定できないことを示す音声メッセージを設定側の内線電話機に対して送信する。
【００２８】
設定側の内線電話機の話者に被設定側の内線電話機にメッセージを残すことが不可能であることを伝達する。
【００２９】
特開２０００−１１５３６８号公報の構内自動交換機は、すべての内線電話機のメッセージウェイティングランプの有無に関するメッセージウェイティングサービス情報を格納している内線電話機情報テーブルと、
内線電話機がメッセージウェイティングランプを保有しているかどうかを調べるメッセージウェイティングランプ検索手段と、
メッセージウェイティングランプの有無を音声メッセージによって伝達するメッセージ送出手段を設ける。
【００３０】
被設定側の内線電話機にメッセージウェイティングランプがない場合には、
メッセージウェイティングサービスを設定できないことを示す音声メッセージを設定側の内線電話機に対して送信するようにしたものである。
【００３１】
この特開２０００−１１５３６８号公報によれば、
設定側の内線電話機の話者がメッセージを相手の内線電話機に残すことができなかったことを知ることが可能となるメッセージウェイティング機能を有した構内自動交換機とすることができる。
【００３２】
以上の説明から明らかなように、特開２０００−１１５３６８号公報によれば複数の内線電話機および上記複数の内線電話機間の交換接続を行なう主装置を備えた構内自動交換機において、
すべての内線電話機のメッセージウェイティングランプの有無に関するメッセージウェイティングサービス情報を格納している内線電話機情報テーブルと、
内線電話機がメッセージウェイティングランプを保有しているかどうかを調べるメッセージウェイティングランプ検索手段と、
メッセージウェイティングランプの有無を音声メッセージによって伝達するメッセージ送出手段、
メッセージウェイティングランプの有無をトーン信号によって伝達する通知音送出手段を設ける。
【００３３】
被設定側の内線電話機にメッセージウェイティングランプがない場合には、メッセージウェイティングサービスを設定できないことを示す音声メッセージもしくは通知音を設定側の内線電話機に対して送信することによって、
設定側の内線電話機の話者がメッセージを相手の内線電話機に残すことができなかったことを知ることが可能となるため、
設定側の内線電話機の話者が被設定側の内線電話機にメッセージを残したつもりではあるが、
実際には、被設定側の内線電話機にはメッセージは残されていないというような食い違いが起こらず、安心してメッセージウェイティング機能を利用することができるという効果を有する。
【００３４】
また、従来技術として、特開平０６−０３０１６０号公報がある（特許文献２参照。）。
【００３５】
これは、電話交換機におけるメッセージウェイティング電源供給システムに関し、電源ユニットの数をそれほど増やす必要がなく、しかも信頼性を損なうことのないメッセージウェイティング電源供給システムを提供することを目的としている。
【００３６】
０系と１系の対で構成される複数のリンガジェネレータと、これらリンガジェネレータを介して加入者回路にメッセージウェイティング信号を供給する。
【００３７】
加入者回路に対して十分に余裕のある数の電源ユニットとを設ける。
【００３８】
これら電源ユニットはその出力端子を相互に接続し、この電源出力から各リンガジェネレータには個別ヒューズを介して電源供給を行う。
【００３９】
各ヒューズの切断信号を対応するリンガジェネレータに接続し、各ヒューズが切断した時には、リンガジェネレータは相互に他系に切替えるように構成する。
メッセージウェイティング信号を発生する電源は不在者の電話機を点灯させることから、大きな容量が必要となる。
【００４０】
そこで、汎用の大容量電源で構成されたメッセージウェイティング電源装置を交換機の外部に設置する。
【００４１】
プロセッサ単位に設置されたリンガジェネレータに接続する必要が生じる。
【００４２】
メッセージウェイティング信号を発生する電源は不在者の電話機を点灯させることから、大きな容量が必要となる。
【００４３】
そこで、汎用の大容量電源で構成されたメッセージウェイティング電源装置を交換機の外部に設置する。
【００４４】
プロセッサ単位に設置されたリンガジェネレータに接続する必要が生じる。
【００４５】
従来システムでは、このような構成をとる場合、
メッセージウェイティング電源は信頼度向上のために、各プロセッサ単位に、そして二重化システムの各系毎に電源ユニットとして用意することになり、電源の数量増加が問題になる。
【００４６】
特開平０６−０３０１６０号公報はこのような課題に鑑みてなされたものである。
【００４７】
電源ユニットの数をそれほど増やす必要がない。
【００４８】
しかも信頼性を損なうことのないメッセージウェイティング電源供給システムを提供することを目的としている。
【００４９】
作用として、電源ユニットの出力を共通接続して２つのリンガジェネレータに供給しているため、各電源ユニットからはほぼ均等のパワーが供給される。
【００５０】
従って、従来のようにリンカジェネレータ対応に電源ユニットを設けていた時に比較すると、電源ユニットの数を少なくすることができる。
【００５１】
また、各ヒューズが切断した時には、各リンガジェネレータは相互にこのヒューズの切断をアラーム信号として受けて、他系のリンガジェネレータに相互に切替えることができる。
【００５２】
従って、信頼性を損なうこともない。
【００５３】
即ち、特開平０６−０３０１６０号公報によれば、メッセージウェイティング電源の冗長構成と、リンガジェネレータの冗長構成を独立化する。
【００５４】
従来の問題であった電源の数量増加によるコストアップを避けることができ、更に信頼性も維持することができる。
【００５５】
以上、詳細に説明したように、特開平０６−０３０１６０号公報によれば電源ユニットの出力を共通接続して２つのリンガジェネレータに供給している。
【００５６】
そのため、各電源ユニットからはほぼ均等のパワーが供給される。
【００５７】
従って、従来のようにリンカジェネレータ対応に電源ユニットを設けていた時に比較すると、電源ユニットの数を少なくすることができる。
【００５８】
また、各ヒューズが切断した時には、それぞれのリンガジェネレータは相互にこのヒューズの切断をアラーム信号として受けて、他系のリンガジェネレータに相互に切替えることができる。
【００５９】
従って、信頼性を損なうこともない。
【００６０】
即ち、特開平０６−０３０１６０号公報によれば、メッセージウェイティング電源の冗長構成と、リンガジェネレータの冗長構成を独立化する。
【００６１】
それによって、従来の問題であった電源の数量増加によるコストアップを避けることができ、更に信頼性も維持することができる。
【００６２】
また、従来技術として、特開平０８−０７０３６５号公報がある（特許文献３参照。）。
【００６３】
これは、高電圧電源を有効に利用できて、電源容量を少なくでき、従って、発熱も少なく、しかも、小形化を可能にした構内交換機を提供すること。
【００６４】
アナログ内線端末とのインタフェースをとる加入者回路を複数有し、アナログ内線端末の呼出を行う場合に、
該当アナログ内線端末に対し高電圧信号を呼出信号として送出する構内交換機において、
高電圧信号発生用の電源ＨＶＳａと、それぞれタイミングが重ならないようにした複数種のタイミング位相を持ち、同時期に呼出を行うアナログ内線端末が複数あるときに、その呼出を行う対象のアナログ内線端末に対して上記タイミング位相を順に割り振る。
【００６５】
その割り振った位相のタイミングで前記高電圧信号発生用の電源から前記呼出を行うアナログ内線端末に高電圧信号を供給すべく制御する制御手段とを備えて構成する。
【００６６】
アナログ内線端末とのインタフェースをとる加入者回路を複数有し、アナログ内線端末の呼出を行う場合に、
該当アナログ内線端末に対し高電圧信号を呼出信号として送出する構内交換機において、高電圧信号発生用の電源と、それぞれタイミングが重ならないようにした複数種のタイミング位相を持つ。
【００６７】
同時期に呼出を行うアナログ内線端末が複数あるときに、その呼出を行う対象のアナログ内線端末に対して上記タイミング位相を順に割り振る。
【００６８】
その割り振った位相のタイミングで前記高電圧信号発生用の電源から前記呼出を行うアナログ内線端末に高電圧信号を供給すべく制御する制御手段とを備えて構成する。
【００６９】
このような構成の構内交換機は、制御手段にそれぞれタイミングが重ならないようにした複数種のタイミング位相によるタイミング制御機能を持たせてある。
【００７０】
制御手段は、同時期に呼出を行うアナログ内線端末が複数あるときに、その呼出を行う対象のアナログ内線端末に対して上記タイミング位相を順に割り振る。
【００７１】
その割り振った位相のタイミングで前記高電圧信号発生用の電源から前記呼出を行うアナログ内線端末に高電圧信号を供給すべく制御させる。
【００７２】
このように、呼出信号の相分割による送出タイミングを制御する。
【００７３】
同時期に呼出を行うアナログ内線端末が複数あるときに、その呼出を行う対象のアナログ内線端末に対して上記タイミング位相を順に割り振る。
【００７４】
その割り振った位相のタイミングで前記高電圧信号発生用の電源から前記呼出を行う。
【００７５】
アナログ内線端末に高電圧信号を供給すべく制御させる結果、呼出信号の同相出力数は均等に分散される。
【００７６】
高電圧信号供給用の電源容量を少なくすることができる。
【００７７】
しかも、呼出信号の同相出力数は均等に分散されるので、上記電源は利用率が均等で最小限にとどめることができるようになる。
【００７８】
特に、このような手段を講じたことにより、従来は呼出信号を相分割を行っても、呼量から呼出信号は回線全体の約１５％程度（４００回線程度の構成では６０回線程度）が送出される電源容量を持った高電圧電源を必要とした。
【００７９】
しかし、呼出信号の相分割および同相出力を低減する上述のような制御を行うことによって（例えば３つの相分割を行った場合、呼出信号は回線全体の約５％程度（４００回線程度の構成では２０回線程度）が送出される電源容量をもった高電圧電源で可能となる。
【００８０】
発熱量を抑制して装置の小形化を推進できる他、発熱量を抑制できることにより交換機収容部品の熱による劣化を抑制できる。
【００８１】
また、装置の小形化に伴う装置コストの低下を図ることができるようになる。
【００８２】
以上、詳述したように特開平０８−０７０３６５号公報によれば、
呼出信号の相分割および同相出力を低減する制御を行うことによって（例えば３つの相分割を行った場合、
呼出信号は回線全体の約５％程度（４００回線程度の構成では２０回線程度）が送出される電源容量をもった高電圧電源で可能となる。
【００８３】
それにより、装置の小型化および装置コストの低下を図ることができる。
【００８４】
【特許文献１】特開２０００−１１５３６８号公報（段落［０００７］，［０００８］，および［００２９］）
【特許文献２】特開平０６−０３０１６０号公報（段落［００１３］〜［００１５］，［００１９］，および［００３３］）
【特許文献３】特開平０８−０７０３６５号公報（段落［００６０］〜［００６３］，および［０１１１］）
【発明の開示】
【発明が解決しようとする課題】
【００８５】
上述した従来の呼出信号およびメッセージウェイティング信号の発生回路または送出回路回路は、
第１の問題点は、プリント基板上の実装面積制限問題及びコスト削減に支障をきたしていた。
【００８６】
その理由は、加入者回路対応に呼出信号発生回路およびメッセージウェイティング信号発生回路をそれぞれ別々に持っていたからである。
【００８７】
第２の問題点は、特開２０００−１１５３６８号公報の構内自動交換機は、コスト削減をしているものではない。
【００８８】
その理由は、被呼者側の内線電話機がメッセージウェイティングランプを保有しているかどうかを調べ、発呼者側に通知しているだけである。
【００８９】
第３の問題点は、特開平０６−０３０１６０号公報のものは呼出信号およびメッセージウェイティング信号に関するスト削減をしているものではない。
【００９０】
その理由は、特開平０６−０３０１６０号公報のものは電話交換機におけるメッセージウェイティング電源供給システムに関し、電源ユニットの数を増やさないメッセージウェイティング電源供給システムを提供することを目的としているからである。
【００９１】
第４の問題点は、特開平０８−０７０３６５号公報のものは呼出信号として送出する構内交換機において、小形化を可能にした構内交換機を提供するものでメッセージウェイティング信号に関するものではない。
【００９２】
その理由は、呼出信号として送出する場合、呼出を行う対象の内線端末に対してタイミング位相を順に割り振り、その割り振った位相のタイミングで高電圧信号発生用の電源から呼出を行うアナログ内線端末に高電圧信号を供給すべく制御し、呼出信号の同相出力数を均等に分散させ、高電圧信号供給用の電源容量を少なくすることができるからである。（発明の目的）
そこで、本発明の目的は、従来別々の回路にて構成されていた呼出信号送出回路及びメッセージウエイティング信号送出回路を、共通化し、同一回路内にまとめ、プリント基板上の実装面積を縮小し、コスト削減を図る。呼出信号送出回路およびメッセージウェイティング信号送出回路を共通化したアナログ加入者電話機インターフェース回路と方法および呼出信号送出回路およびメッセージウェイティング信号送出回路共通化制御用プログラムを提供することにある。
【課題を解決するための手段】
【００９３】
第１の発明の呼出信号送出回路およびメッセージウェイティング信号送出回路を共通化したアナログ加入者電話機インターフェース回路は、ボタン電話装置または電話交換機に実装され、一方の通話線はボタン電話装置または電話交換機の通話路スイッチに接続され、また片方の通話線は加入者回線を通して加入者電話機へ接続された加入者回路であって、前記加入者回路は、
ボタン電話装置または電話交換機の電源からの電圧を一定の直流電圧に変換する直流電圧発生回路と、
前記直流電圧発生回路からの前記直流電圧を、断続制御回路からの制御により、一定の周波数を持つ交流波へ変調し、前記変調した交流波を一定周期で断続し、出力するか、または前記直流電圧発生回路からの前記直流電圧を、断続制御回路からの制御により前記一定の周期または前記一定の周期以外の一定の周期で断続し、出力するように、断続制御回路からの制御により機能変更する変調回路と、
断続制御回路は、ボタン電話装置または電話交換機からの指示により前記変調回路に対して、変調された交流波を一定の周期で断続制御を行うよう、または、前記一定の周期または前記一定の周期以外の一定の周期で断続制御を行うよう機能変更して前記変調回路を制御する手段と、を備え、
直流電圧を変調した交流波を一定周期で断続し、出力するか、または、直流電圧をまた他の一定の周期で断続し、出力することを特徴とする。
【００９４】
また、第２の発明の呼出信号送出回路およびメッセージウェイティング信号送出回路を共通化したアナログ加入者電話機インターフェース回路は、ボタン電話装置または電話交換機に実装され、一方の通話線はボタン電話装置または電話交換機の通話路スイッチに接続され、また片方の通話線は加入者回線を通して加入者電話機へ接続された加入者回路であって、前記加入者回路は、
ボタン電話装置または電話交換機の電源からの電圧を一定の直流電圧に変換する直流電圧発生回路と、
前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する変調回路と、
ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する断続制御回路はと、を備え、
直流電圧を変調した呼出信号用交流波を呼出信号用一定周期で断続し、出力するか、または、直流電圧をメッセージウェイティング信号用一定の周期で断続し、出力することを特徴とする。
【００９５】
また、第３の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続された加入者回路であって、前記加入者回路は、
ボタン電話装置または電話交換機の電源からの電圧を一定の直流電圧に変換する直流電圧発生回路と、
前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する変調回路と、
ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する断続制御回路と、
前記加入者回路は、加入者電話機が応答したことを検出する手段と、を備え、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段を経て加入者電話機に送出することを特徴とする。
【００９６】
また、第４の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続された加入者回路であって、前記加入者回路は、
ボタン電話装置または電話交換機の電源からの電圧を一定の直流電圧に変換する直流電圧発生回路と、
前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する変調回路と、
ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する断続制御回路と、
前記加入者回路は、加入者電話機とのインターフェースを受け持つ加入者電話機インターフェース手段と、を備え、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機インターフェース手段を経て加入者電話機に送出することを特徴とする。
【００９７】
また、第５の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続された加入者回路であって、前記加入者回路は、
ボタン電話装置または電話交換機の電源からの電圧を一定の直流電圧に変換する直流電圧発生回路と、
前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する変調回路と、
ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する断続制御回路と、
前記加入者回路は、加入者電話機が応答したことを検出する手段と、
加入者電話機とのインターフェースを受け持つ加入者電話機インターフェース手段と、を備え、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段および前記加入者電話機インターフェース手段を経て加入者電話機に送出することを特徴とする。
【００９８】
また、第６の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する共通直流電圧発生源となる共通直流電圧発生回路を備え、
前記加入者回路の、
変調回路は、前記共通直流電圧発生回路からの直流電圧を、断続制御回路からの制御により、一定の周波数を持つ交流波へ変調し、前記変調した交流波を一定周期で断続し、出力するか、または前記直流電圧発生回路からの前記直流電圧を、断続制御回路からの制御により前記一定の周期または前記一定の周期以外の一定の周期で断続し、出力するように、断続制御回路からの制御により機能変更する手段と、
断続制御回路は、ボタン電話装置または電話交換機からの指示により前記変調回路に対して、変調された交流波を一定の周期で断続制御を行うよう、または、前記一定の周期または前記一定の周期以外の一定の周期で断続制御を行うよう機能変更して前記変調回路を制御する手段と、を備え、
直流電圧を変調した交流波を一定周期で断続し、出力するか、または、直流電圧をまた他の一定の周期で断続し、出力することを特徴とする。
【００９９】
また、第７の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路を備え、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する手段と、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する手段と、を備え、
直流電圧を変調した呼出信号用交流波を呼出信号用一定周期で断続し、出力するか、または、直流電圧をメッセージウェイティング信号用一定の周期で断続し、出力することを特徴とする。
【０１００】
また、第８の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路を備え、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する手段と、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する手段と、
前記加入者回路は、加入者電話機が応答したことを検出する手段と、を備え、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段を経て加入者電話機に送出することを特徴とする。
【０１０１】
また、第９の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路を備え、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する手段と、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する手段と、
前記加入者回路は、加入者電話機とのインターフェースを受け持つ加入者電話機インターフェース手段と、を備え、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機インターフェース手段を経て加入者電話機に送出することを特徴とする。
【０１０２】
また、第１０の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路を備え、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更する手段と、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御する手段と、
前記加入者回路は、加入者電話機が応答したことを検出する手段と、
加入者電話機とのインターフェースを受け持つ加入者電話機インターフェース手段と、を備え、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段および前記加入者電話機インターフェース手段を経て加入者電話機に送出することを特徴とする。
【０１０３】
また、第１１の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は交流波用共通直流電圧発生回路から、交流波用の電圧源となる共通直流電圧を発生し、
交流波用共通変調回路は、前記交流波用共通直流電圧発生回路からの前記共通直流電圧を、交流波用共通断続制御回路からの制御により、一定の周波数を持つ交流波用交流波へ変調し、前記変調した交流波用交流波を交流波用一定周期で断続し、前記加入者回路に交流波として分配する手段と、
交流波用共通断続制御回路は、前記交流波用共通変調回路に前記変調した交流波用交流波を交流波用一定周期で断続するよう制御する手段と、
また、ボタン電話装置または電話交換機は直流断続波用共通直流電圧発生回路から、直流断続波用の電圧源となる共通直流電圧を発生し、
直流断続波用共通断続制御回路は、前記直流断続波用共通直流電圧発生回路からの前記共通直流電圧を、直流断続波用一定の周期で断続し、前記加入者回路に直流断続波として分配する手段と、
前記加入者回路は、交流波または直流断続波の送出を切り替えるための切り替え手段と、を備え、
前記切り替え手段は、ボタン電話装置または電話交換機からの制御により、交流波送出の場合は、前記交流波として分配する手段により前記交流波用共通変調回路から分配された交流波を、また、直流断続波送出の場合は、前記直流断続波として分配する手段により前記直流断続波用共通断続制御回路から分配された直流断続波を、加入者電話機に送出することを特徴とする。
【０１０４】
また、第１２の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配する手段と、を備え、
前記加入者回路は、呼出信号またはメッセージウェイティング信号の送出を切り替えるための切り替え手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、前記メッセージウェイティング信号として分配する手段により前記メッセージウェイティング信号用共通断続制御回路から分配されたメッセージウェイティング信号を、加入者電話機に送出することを特徴とする。
【０１０５】
また、第１３の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配する手段と、を備え、
前記加入者回路は、呼出信号またはメッセージウェイティング信号の送出を切り替えるための切り替え手段と、
加入者電話機が応答したことを検出する手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、前記メッセージウェイティング信号として分配する手段により前記メッセージウェイティング信号用共通断続制御回路から分配されたメッセージウェイティング信号を、前記加入者電話機が応答したことを検出する手段を経て加入者電話機に送出することを特徴とする。
【０１０６】
また、第１４の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配する手段と、
前記加入者回路は、呼出信号またはメッセージウェイティング信号の送出を切り替えるための切り替え手段と、
加入者電話機とのインターフェースを受け持つ加入者電話機インターフェース手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、前記メッセージウェイティング信号として分配する手段により前記メッセージウェイティング信号用共通断続制御回路から分配されたメッセージウェイティング信号を、前記加入者電話機インターフェース手段を経て加入者電話機に送出することを特徴とする。
【０１０７】
また、第１５の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配する手段と、
前記加入者回路は、呼出信号またはメッセージウェイティング信号の送出を切り替えるための切り替え手段と、
加入者電話機が応答したことを検出する手段と、
加入者電話機とのインターフェースを受け持つ加入者電話機インターフェース手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、前記メッセージウェイティング信号として分配する手段により前記メッセージウェイティング信号用共通断続制御回路から分配されたメッセージウェイティング信号を、前記加入者電話機が応答したことを検出する手段および前記加入者電話機インターフェース手段を経て加入者電話機に送出することを特徴とする。
【０１０８】
また、第１６の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
交流波用共通変調回路は、前記共通直流電圧発生回路からの前記共通直流電圧を、交流波用共通断続制御回路からの制御により、一定の周波数を持つ交流波用交流波へ変調し、前記変調した交流波用交流波を交流波用一定周期で断続し、前記加入者回路に交流波として分配する手段と、
交流波用共通断続制御回路は、前記交流波用共通変調回路に前記変調した交流波用交流波を交流波用一定周期で断続するよう制御する手段と、
直流用共通断続制御回路は、前記共通直流電圧発生回路からの前記共通直流電圧を、直流断続波用一定の周期で断続し、前記加入者回路に直流断続波として分配する手段と、を備え、
前記加入者回路は、交流波または直流断続波の送出を切り替えるための切り替え手段と、を備え、
前記切り替え手段は、ボタン電話装置または電話交換機からの制御により、交流波送出の場合は、前記交流波として分配する手段により前記交流波用共通変調回路から分配された交流波を、また、直流断続波送出の場合は、直流断続波として分配する手段により前記直流用共通断続制御回路から分配された交直流断続波を、加入者電話機に送出することを特徴とする。
【０１０９】
また、第１７の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配する手段と、を備え、
前記加入者回路は、呼出信号またはメッセージウェイティング信号の送出を切り替えるための切り替え手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、メッセージウェイティング信号として分配する手段により前記メッセージウェイティング信号用共通断続制御回路から分配されたメッセージウェイティング信号を、加入者電話機に送出することを特徴とする。
【０１１０】
また、第１８の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配する手段と、を備え、
前記加入者回路は、呼出信号またはメッセージウェイティング信号の送出を切り替えるための切り替え手段と、
加入者電話機が応答したことを検出する手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、メッセージウェイティング信号として分配する手段により前記メッセージウェイティング信号用共通断続制御回路から分配されたメッセージウェイティング信号を、前記加入者電話機が応答したことを検出する手段を経て加入者電話機に送出することを特徴とする。
【０１１１】
また、第１９の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配する手段と、を備え、
前記加入者回路は、呼出信号またはメッセージウェイティング信号の送出を切り替えるための切り替え手段と、
加入者電話機とのインターフェースを受け持つ加入者電話機インターフェース手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、メッセージウェイティング信号として分配する手段により前記メッセージウェイティング信号用共通断続制御回路から分配されたメッセージウェイティング信号を、前記加入者電話機インターフェース手段を経て加入者電話機に送出することを特徴とする。
【０１１２】
また、第２０の発明の呼出信号送出回路およびメッセージウェイティング信号送出回路を共通化したアナログ加入者電話機インターフェース回路は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配する手段と、
呼出信号用共通断続制御回路は、前記呼出信号用共通変調回路に前記変調した呼出信号用交流波を呼出信号用一定周期で断続するよう制御する手段と、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配する手段と、を備え、
前記加入者回路は、呼出信号またはメッセージウェイティング信号の送出を切り替えるための切り替え手段と、
加入者電話機が応答したことを検出する手段と、
加入者電話機とのインターフェースを受け持つ加入者電話機インターフェース手段と、を備え、
前記切り替え手段は、ボタン電話装置または電話交換機からの制御により、呼出信号送出の場合は、前記呼出信号として分配する手段により前記呼出信号用共通変調回路から分配された呼出信号を、また、メッセージウェイティング信号送出の場合は、メッセージウェイティング信号として分配する手段により前記メッセージウェイティング信号用共通断続制御回路から分配されたメッセージウェイティング信号を、前記加入者電話機が応答したことを検出する手段および前記加入者電話機インターフェース手段を経て加入者電話機に送出することを特徴とする。
【０１１３】
また、第２１の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、一定の周波数を持つ交流波へ変調し、前記変調した交流波を一定周期で断続し、出力するか、または前記直流電圧発生回路からの前記直流電圧を、断続制御回路からの制御により前記一定の周期または前記一定の周期以外の一定の周期で断続し、出力するように、断続制御回路からの制御により機能変更し、
断続制御回路は、ボタン電話装置または電話交換機からの指示により前記変調回路に対して、変調された交流波を一定の周期で断続制御を行うよう、または、前記一定の周期または前記一定の周期以外の一定の周期で断続制御を行うよう機能変更して前記変調回路を制御し、
直流電圧を変調した交流波を一定周期で断続し、出力するか、または、直流電圧をまた他の一定の周期で断続し、出力することを特徴とする呼出信号送出回路およびメッセージウェイティング信号送出回路を共通化したアナログ加入者電話機インターフェース方法。
【０１１４】
また、第２２の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
直流電圧を変調した呼出信号用交流波を呼出信号用一定周期で断続し、出力するか、または、直流電圧をメッセージウェイティング信号用一定の周期で断続し、出力することを特徴とする呼出信号送出回路およびメッセージウェイティング信号送出回路を共通化したアナログ加入者電話機インターフェース方法。
【０１１５】
また、第２３の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段を備え、
前記加入者電話機が応答したことを検出する手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段を経て加入者電話機に送出することを特徴とする呼出信号送出回路およびメッセージウェイティング信号送出回路を共通化したアナログ加入者電話機インターフェース方法。
【０１１６】
また、第２４の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機とのインターフェースを受け持つ加入者電話機インターフェース手段を備え、
前記加入者電話機とのインターフェースを受け持つ前記加入者電話機インターフェース手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機インターフェース手段を経て加入者電話機に送出することを特徴とする呼出信号送出回路およびメッセージウェイティング信号送出回路を共通化したアナログ加入者電話機インターフェース方法。
【０１１７】
また、第２５の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段と、および加入者電話機とのインターフェースを受け持つ加入者電話機インターフェース手段と、を備え、
前記加入者電話機が応答したことを検出する手段と、または前記加入者電話機とのインターフェースを受け持つ前記加入者電話機インターフェース手段により加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段および前記加入者電話機インターフェース手段を経て加入者電話機に送出することを特徴とする呼出信号送出回路およびメッセージウェイティング信号送出回路を共通化したアナログ加入者電話機インターフェース方法。
【０１１８】
また、第２６の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する共通直流電圧発生源となる共通直流電圧発生回路により共通直流電圧を発生し、
前記加入者回路の、
変調回路は、前記共通直流電圧発生回路からの直流電圧を、断続制御回路からの制御により、一定の周波数を持つ交流波へ変調し、前記変調した交流波を一定周期で断続し、出力するか、または前記直流電圧発生回路からの前記直流電圧を、断続制御回路からの制御により前記一定の周期または前記一定の周期以外の一定の周期で断続し、出力するように、断続制御回路からの制御により機能変更し、
断続制御回路は、ボタン電話装置または電話交換機からの指示により前記変調回路に対して、変調された交流波を一定の周期で断続制御を行うよう、または、前記一定の周期または前記一定の周期以外の一定の周期で断続制御を行うよう機能変更して前記変調回路を制御し、
直流電圧を変調した交流波を一定周期で断続し、出力するか、または、直流電圧をまた他の一定の周期で断続し、出力することを特徴とする呼出信号送出回路およびメッセージウェイティング信号送出回路を共通化したアナログ加入者電話機インターフェース方法。
【０１１９】
また、第２７の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
直流電圧を変調した呼出信号用交流波を呼出信号用一定周期で断続し、出力するか、または、直流電圧をメッセージウェイティング信号用一定の周期で断続し、出力することを特徴とする呼出信号送出回路およびメッセージウェイティング信号送出回路を共通化したアナログ加入者電話機インターフェース方法。
【０１２０】
また、第２８の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段を備え、
前記加入者電話機が応答したことを検出する手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段を経て加入者電話機に送出することを特徴とする呼出信号送出回路およびメッセージウェイティング信号送出回路を共通化したアナログ加入者電話機インターフェース方法。
【０１２１】
また、第２９の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
を前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機とのインターフェースを受け持つ加入者電話機インターフェース手段を備え、
前記加入者電話機とのインターフェースを受け持つ前記加入者電話機インターフェース手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機インターフェース手段を経て加入者電話機に送出することを特徴とする呼出信号送出回路およびメッセージウェイティング信号送出回路を共通化したアナログ加入者電話機インターフェース方法。
【０１２２】
また、第３０の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段と、および加入者電話機とのインターフェースを受け持つ加入者電話機インターフェース手段と、を備え、
前記加入者電話機が応答したことを検出する手段と、または前記加入者電話機とのインターフェースを受け持つ前記加入者電話機インターフェース手段により加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段および前記加入者電話機インターフェース手段を経て加入者電話機に送出することを特徴とする呼出信号送出回路およびメッセージウェイティング信号送出回路を共通化したアナログ加入者電話機インターフェース方法。
【０１２３】
また、第３１の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は交流波用共通直流電圧発生回路から、交流波用の電圧源となる共通直流電圧を発生し、
交流波用共通変調回路は、前記交流波用共通直流電圧発生回路からの前記共通直流電圧を、交流波用共通断続制御回路からの制御により、一定の周波数を持つ交流波用交流波へ変調し、前記変調した交流波用交流波を交流波用一定周期で断続し、前記加入者回路に交流波として分配し、
交流波用共通断続制御回路は、前記交流波用共通変調回路に前記変調した交流波用交流波を交流波用一定周期で断続するよう制御し、
また、ボタン電話装置または電話交換機は直流断続波用共通直流電圧発生回路から、直流断続波用の電圧源となる共通直流電圧を発生し、
直流断続波用共通断続制御回路は、前記直流断続波用共通直流電圧発生回路からの前記共通直流電圧を、直流断続波用一定の周期で断続し、前記加入者回路に直流断続波として分配し、
前記加入者回路は、交流波または直流断続波の送出を切り替えるための切り替え手段を備え、
前記切り替え手段は、ボタン電話装置または電話交換機からの制御により、交流波送出の場合は、前記交流波用共通変調回路から分配された交流波を、また、直流断続波送出の場合は、前記直流断続波用共通断続制御回路から分配された直流断続波を、加入者電話機に送出することを特徴とする呼出信号送出回路およびメッセージウェイティング信号送出回路を共通化したアナログ加入者電話機インターフェース方法。
【０１２４】
また、第３２の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段を備え、
前記切り替え手段は、ボタン電話装置または電話交換機からの制御により、呼出信号送出の場合は、前前記呼出信号用共通変調回路から分配された呼出信号を、また、メッセージウェイティング信号送出の場合は、前記メッセージウェイティング信号用共通断続制御回路から分配されたメッセージウェイティング信号を、加入者電話機に送出することを特徴とする呼出信号送出回路およびメッセージウェイティング信号送出回路を共通化したアナログ加入者電話機インターフェース方法。
【０１２５】
また、第３３の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機が応答したことを検出する手段と、を備え、
前記加入者電話機が応答したことを検出する手段により、加入者電話機の応答を監視し、
前記切り替え手段は、ボタン電話装置または電話交換機からの制御により、呼出信号送出の場合は、前前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段を経て加入者電話機に送出することを特徴とする呼出信号送出回路およびメッセージウェイティング信号送出回路を共通化したアナログ加入者電話機インターフェース方法。
【０１２６】
また、第３４の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機とのインターフェースを受け持つ加入者電話機インターフェース手段と、を備え、
前記加入者電話機とのインターフェースを受け持つ前記加入者電話機インターフェース手段により、加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機インターフェース手段を経て加入者電話機に送出することを特徴とする呼出信号送出回路およびメッセージウェイティング信号送出回路を共通化したアナログ加入者電話機インターフェース方法。
【０１２７】
また、第３５の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、加入者電話機が応答したことを検出する手段と、および加入者電話機とのインターフェースを受け持つ加入者電話機インターフェース手段と、を備え、
前記加入者電話機が応答したことを検出する手段、または前記加入者電話機とのインターフェースを受け持つ前記加入者電話機インターフェース手段により加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段および前記加入者電話機インターフェース手段を経て加入者電話機に送出することを特徴とする呼出信号送出回路およびメッセージウェイティング信号送出回路を共通化したアナログ加入者電話機インターフェース方法。
【０１２８】
また、第３６の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
交流波用共通変調回路は、前記共通直流電圧発生回路からの前記共通直流電圧を、交流波用共通断続制御回路からの制御により、一定の周波数を持つ交流波用交流波へ変調し、前記変調した交流波用交流波を交流波用一定周期で断続し、前記加入者回路に交流波として分配し、
交流波用共通断続制御回路は、前記交流波用共通変調回路に前記変調した交流波用交流波を交流波用一定周期で断続するよう制御し、
直流用共通断続制御回路は、前記共通直流電圧発生回路からの前記共通直流電圧を、直流断続波用一定の周期で断続し、前記加入者回路に直流断続波として分配し、
前記加入者回路は、交流波または直流断続波の送出を切り替えるための切り替え手段と、
前記切り替え手段は、ボタン電話装置または電話交換機からの制御により、交流波送出の場合は、前記交流波用共通変調回路から分配された交流波を、また、直流断続波送出の場合は、前記直流用共通断続制御回路から分配された交直流断続波を、加入者電話機に送出することを特徴とする呼出信号送出回路およびメッセージウェイティング信号送出回路を共通化したアナログ加入者電話機インターフェース方法。
【０１２９】
また、第３７の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、加入者電話機に送出することを特徴とする呼出信号送出回路およびメッセージウェイティング信号送出回路を共通化したアナログ加入者電話機インターフェース方法。
【０１３０】
また、第３８の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機が応答したことを検出する手段と、を備え、
前記加入者電話機が応答したことを検出する手段により、加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段を経て加入者電話機に送出することを特徴とする呼出信号送出回路およびメッセージウェイティング信号送出回路を共通化したアナログ加入者電話機インターフェース方法。
【０１３１】
また、第３９の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機とのインターフェースを受け持つ加入者電話機インターフェース手段と、を備え、
前記加入者電話機とのインターフェースを受け持つ前記加入者電話機インターフェース手段により、加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機インターフェース手段を経て加入者電話機に送出することを特徴とする呼出信号送出回路およびメッセージウェイティング信号送出回路を共通化したアナログ加入者電話機インターフェース方法。
【０１３２】
また、第４０の発明の呼出信号送出回路およびメッセージウェイティング信号送出回路を共通化したアナログ加入者電話機インターフェース方法は、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、加入者電話機が応答したことを検出する手段と、および加入者電話機とのインターフェースを受け持つ加入者電話機インターフェース手段と、を備え、
前記加入者電話機が応答したことを検出する手段、または前記加入者電話機とのインターフェースを受け持つ前記加入者電話機インターフェース手段により加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段および前記加入者電話機インターフェース手段を経て加入者電話機に送出することを特徴とする呼出信号送出回路およびメッセージウェイティング信号送出回路を共通化したアナログ加入者電話機インターフェース方法。
【０１３３】
また、第４１の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、一定の周波数を持つ交流波へ変調し、前記変調した交流波を一定周期で断続し、出力するか、または前記直流電圧発生回路からの前記直流電圧を、断続制御回路からの制御により前記一定の周期または前記一定の周期以外の一定の周期で断続し、出力するように、断続制御回路からの制御により機能変更し、
断続制御回路は、ボタン電話装置または電話交換機からの指示により前記変調回路に対して、変調された交流波を一定の周期で断続制御を行うよう、または、前記一定の周期または前記一定の周期以外の一定の周期で断続制御を行うよう機能変更して前記変調回路を制御し、
直流電圧を変調した交流波を一定周期で断続し、出力するか、または、直流電圧をまた他の一定の周期で断続し、出力する処理をコンピュータに実行させる。
【０１３４】
また、第４２の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
直流電圧を変調した呼出信号用交流波を呼出信号用一定周期で断続し、出力するか、または、直流電圧をメッセージウェイティング信号用一定の周期で断続し、出力する処理をコンピュータに実行させる。
【０１３５】
また、第４３の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段を備え、
前記加入者電話機が応答したことを検出する手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段を経て加入者電話機に送出する処理をコンピュータに実行させる。
【０１３６】
また、第４４の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機とのインターフェースを受け持つ加入者電話機インターフェース手段を備え、
前記加入者電話機とのインターフェースを受け持つ前記加入者電話機インターフェース手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機インターフェース手段を経て加入者電話機に送出する処理をコンピュータに実行させる。
【０１３７】
また、第４５の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、前記加入者回路の、
直流電圧発生回路は、ボタン電話装置または電話交換機の電源からの電圧を一定の直流電圧に変換し、
変調回路は、前記直流電圧発生回路からの前記直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段と、および加入者電話機とのインターフェースを受け持つ加入者電話機インターフェース手段と、を備え、
前記加入者電話機が応答したことを検出する手段と、または前記加入者電話機とのインターフェースを受け持つ前記加入者電話機インターフェース手段により加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段および前記加入者電話機インターフェース手段を経て加入者電話機に送出する処理をコンピュータに実行させる。
【０１３８】
また、第４６の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する共通直流電圧発生源となる共通直流電圧発生回路により共通直流電圧を発生し、
前記加入者回路の、
変調回路は、前記共通直流電圧発生回路からの直流電圧を、断続制御回路からの制御により、一定の周波数を持つ交流波へ変調し、前記変調した交流波を一定周期で断続し、出力するか、または前記直流電圧発生回路からの前記直流電圧を、断続制御回路からの制御により前記一定の周期または前記一定の周期以外の一定の周期で断続し、出力するように、断続制御回路からの制御により機能変更し、
断続制御回路は、ボタン電話装置または電話交換機からの指示により前記変調回路に対して、変調された交流波を一定の周期で断続制御を行うよう、または、前記一定の周期または前記一定の周期以外の一定の周期で断続制御を行うよう機能変更して前記変調回路を制御し、
直流電圧を変調した交流波を一定周期で断続し、出力するか、または、直流電圧をまた他の一定の周期で断続し、出力する処理をコンピュータに実行させる。
【０１３９】
また、第４７の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
直流電圧を変調した呼出信号用交流波を呼出信号用一定周期で断続し、出力するか、または、直流電圧をメッセージウェイティング信号用一定の周期で断続し、出力する処理をコンピュータに実行させる。
【０１４０】
また、第４８の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段を備え、
前記加入者電話機が応答したことを検出する手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段を経て加入者電話機に送出する処理をコンピュータに実行させる。
【０１４１】
また、第４９の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
を前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機とのインターフェースを受け持つ加入者電話機インターフェース手段を備え、
前記加入者電話機とのインターフェースを受け持つ前記加入者電話機インターフェース手段により、加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機インターフェース手段を経て加入者電話機に送出する処理をコンピュータに実行させる。
【０１４２】
また、第５０の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は前記加入者回路に分配する呼出信号送出およびメッセージウェイティング信号送出のための共通直流電圧発生源となる共通直流電圧発生回路により共通直流電圧を発生し、
前記加入者回路の、
変調回路は、前記共通直流電圧発生回路からの直流電圧を、断続制御回路からの制御により、呼出信号送出の場合は、一定の周波数を持つ呼出信号用交流波へ変調し、前記変調した呼出信号用交流波を呼出信号用一定周期で断続し、出力するか、またはメッセージウェイティング信号送出の場合は、前記直流電圧発生回路からの前記直流電圧を、断続制御回路からの制御により前記呼出信号用一定の周期または前記呼出信号用一定の周期以外のメッセージウェイティング信号用一定の周期で断続し、出力するように、断続制御回路からの制御により機能変更し、
断続制御回路は、ボタン電話装置または電話交換機からの指示により前記変調回路に対して、変調された呼出信号用交流波を呼出信号用一定の周期で断続制御を行うよう、または、メッセージウェイティング信号用として前記呼出信号用一定の周期または前記呼出信号用一定の周期以外のメッセージウェイティング信号用一定の周期で断続制御を行うよう機能変更して前記変調回路を制御し、
前記加入者回路は、加入者電話機が応答したことを検出する手段と、および加入者電話機とのインターフェースを受け持つ加入者電話機インターフェース手段と、を備え、
前記加入者電話機が応答したことを検出する手段と、または前記加入者電話機とのインターフェースを受け持つ前記加入者電話機インターフェース手段により加入者電話機の応答を監視し、
前記変調回路から出力された、直流電圧を変調した呼出信号用交流波を呼出信号用一定周期で断続し、出力する呼出信号を、または、直流電圧をメッセージウェイティング信号用一定の周期で断続し、出力するメッセージウェイティング信号を、前記加入者電話機が応答したことを検出する手段および前記加入者電話機インターフェース手段を経て加入者電話機に送出する処理をコンピュータに実行させる。
【０１４３】
また、第５１の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は交流波用共通直流電圧発生回路から、交流波用の電圧源となる共通直流電圧を発生し、
交流波用共通変調回路は、前記交流波用共通直流電圧発生回路からの前記共通直流電圧を、交流波用共通断続制御回路からの制御により、一定の周波数を持つ交流波用交流波へ変調し、前記変調した交流波用交流波を交流波用一定周期で断続し、前記加入者回路に交流波として分配し、
交流波用共通断続制御回路は、前記交流波用共通変調回路に前記変調した交流波用交流波を交流波用一定周期で断続するよう制御し、
また、ボタン電話装置または電話交換機は直流断続波用共通直流電圧発生回路から、直流断続波用の電圧源となる共通直流電圧を発生し、
直流断続波用共通断続制御回路は、前記直流断続波用共通直流電圧発生回路からの前記共通直流電圧を、直流断続波用一定の周期で断続し、前記加入者回路に直流断続波として分配し、
前記加入者回路は、交流波または直流断続波の送出を切り替えるための切り替え手段を備え、
前記切り替え手段は、ボタン電話装置または電話交換機からの制御により、交流波送出の場合は、前記交流波用共通変調回路から分配された交流波を、また、直流断続波送出の場合は、前記直流断続波用共通断続制御回路から分配された直流断続波を、加入者電話機に送出する処理をコンピュータに実行させる。
【０１４４】
また、第５２の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段を備え、
前記切り替え手段は、ボタン電話装置または電話交換機からの制御により、呼出信号送出の場合は、前前記呼出信号用共通変調回路から分配された呼出信号を、また、メッセージウェイティング信号送出の場合は、前記メッセージウェイティング信号用共通断続制御回路から分配されたメッセージウェイティング信号を、加入者電話機に送出する処理をコンピュータに実行させる。
【０１４５】
また、第５３の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機が応答したことを検出する手段と、を備え、
前記加入者電話機が応答したことを検出する手段により、加入者電話機の応答を監視し、
前記切り替え手段は、ボタン電話装置または電話交換機からの制御により、呼出信号送出の場合は、前前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段を経て加入者電話機に送出する処理をコンピュータに実行させる。
【０１４６】
また、第５４の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機とのインターフェースを受け持つ加入者電話機インターフェース手段と、を備え、
前記加入者電話機とのインターフェースを受け持つ前記加入者電話機インターフェース手段により、加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機インターフェース手段を経て加入者電話機に送出する処理をコンピュータに実行させる。
【０１４７】
また、第５５の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は呼出信号用共通直流電圧発生回路から、呼出信号用の電圧源となる共通直流電圧を発生し、
呼出信号用共通変調回路は、前記呼出信号用共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
また、ボタン電話装置または電話交換機はメッセージウェイティング信号用共通直流電圧発生回路から、メッセージウェイティング信号用の電圧源となる共通直流電圧を発生し、
メッセージウェイティング信号用共通断続制御回路は、前記メッセージウェイティング信号用共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、加入者電話機が応答したことを検出する手段と、および加入者電話機とのインターフェースを受け持つ加入者電話機インターフェース手段と、を備え、
前記加入者電話機が応答したことを検出する手段、または前記加入者電話機とのインターフェースを受け持つ前記加入者電話機インターフェース手段により加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段および前記加入者電話機インターフェース手段を経て加入者電話機に送出する処理をコンピュータに実行させる。
【０１４８】
また、第５６の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
交流波用共通変調回路は、前記共通直流電圧発生回路からの前記共通直流電圧を、交流波用共通断続制御回路からの制御により、一定の周波数を持つ交流波用交流波へ変調し、前記変調した交流波用交流波を交流波用一定周期で断続し、前記加入者回路に交流波として分配し、
交流波用共通断続制御回路は、前記交流波用共通変調回路に前記変調した交流波用交流波を交流波用一定周期で断続するよう制御し、
直流用共通断続制御回路は、前記共通直流電圧発生回路からの前記共通直流電圧を、直流断続波用一定の周期で断続し、前記加入者回路に直流断続波として分配し、
前記加入者回路は、交流波または直流断続波の送出を切り替えるための切り替え手段と、
前記切り替え手段は、ボタン電話装置または電話交換機からの制御により、交流波送出の場合は、前記交流波用共通変調回路から分配された交流波を、また、直流断続波送出の場合は、前記直流用共通断続制御回路から分配された交直流断続波を、加入者電話機に送出する処理をコンピュータに実行させる。
【０１４９】
また、第５７の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、加入者電話機に送出する処理をコンピュータに実行させる。
【０１５０】
また、第５８の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機が応答したことを検出する手段と、を備え、
前記加入者電話機が応答したことを検出する手段により、加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段を経て加入者電話機に送出する処理をコンピュータに実行させる。
【０１５１】
また、第５９の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、および加入者電話機とのインターフェースを受け持つ加入者電話機インターフェース手段と、を備え、
前記加入者電話機とのインターフェースを受け持つ前記加入者電話機インターフェース手段により、加入者電話機の応答を監視し、
前記切り替え手段は、ボタン電話装置または電話交換機からの制御により、呼出信号送出の場合は、前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機インターフェース手段を経て加入者電話機に送出する処理をコンピュータに実行させる。
【０１５２】
また、第６０の発明の呼出信号送出回路およびメッセージウェイティング信号送出回路共通化制御用プログラムは、加入者回路は、ボタン電話装置または電話交換機に実装され、一方の通話線はボタン電話装置または電話交換機の通話路スイッチに接続され、また片方の通話線は加入者回線を通して加入者電話機へ接続され、
ボタン電話装置または電話交換機は共通直流電圧発生回路から、電圧源となる共通直流電圧を発生し、
呼出信号用共通変調回路は、前記共通直流電圧発生回路からの前記共通直流電圧を、呼出信号用共通断続制御回路からの制御により、一定の周波数を持つ呼出信号用交流波へ変調し、前記変調した呼出信号用交流波を呼出信号用一定周期で断続し、前記加入者回路に呼出信号として分配し、
呼出信号用共通断続制御回路は、前記呼出信号用共通変調回路に前記変調した呼出信号用交流波を呼出信号用一定周期で断続するよう制御し、
メッセージウェイティング信号用共通断続制御回路は、前記共通直流電圧発生回路からの前記共通直流電圧を、メッセージウェイティング信号用一定の周期で断続し、前記加入者回路にメッセージウェイティング信号として分配し、
前記加入者回路は、呼出信号またはメッセージウェイティング信号の送出を切り替えるための切り替え手段と、加入者電話機が応答したことを検出する手段と、および加入者電話機とのインターフェースを受け持つ加入者電話機インターフェース手段と、を備え、
前記加入者電話機が応答したことを検出する手段、または前記加入者電話機とのインターフェースを受け持つ前記加入者電話機インターフェース手段により加入者電話機の応答を監視し、
前記切り替え手段は、ボタン電話装置または電話交換機からの制御により、呼出信号送出の場合は、前前記呼出信号用共通変調回路から分配された呼出信号を、また、メッセージウェイティング信号送出の場合は、前記メッセージウェイティング信号用共通断続制御回路から分配されたメッセージウェイティング信号を、前記加入者電話機が応答したことを検出する手段および前記加入者電話機インターフェース手段を経て加入者電話機に送出する処理をコンピュータに実行させる。
【０１５３】
また、第６１の発明の呼出信号送出回路およびメッセージウェイティング信号送出回路を共通化したアナログ加入者電話機インターフェース回路は、加入者回路を着信トランク回路としたことを特徴とする請求項１から請求項２０記載の呼出信号送出回路およびメッセージウェイティング信号送出回路を共通化したアナログ加入者電話機インターフェース回路。
【０１５４】
また、第６２の発明の呼出信号送出回路およびメッセージウェイティング信号送出回路を共通化したアナログ加入者電話機インターフェース方法は、加入者回路を着信トランク回路としたことを特徴とする請求項２１から請求項４０記載の呼出信号送出回路およびメッセージウェイティング信号送出回路を共通化したアナログ加入者電話機インターフェース方法。
【０１５５】
また、第６３の発明の呼出信号送出回路およびメッセージウェイティング信号送出回路共通化制御用プログラムは、加入者回路を着信トランク回路としたことを特徴とする請求項４１から請求項６０記載の呼出信号送出回路およびメッセージウェイティング信号送出回路共通化制御用プログラム。
【０１５６】
また、第６４の発明の呼出信号送出回路およびメッセージウェイティング信号送出回路を共通化したアナログ加入者電話機インターフェース回路は、加入者回路を自局内トランク回路としたことを特徴とする請求項１から請求項２０記載の呼出信号送出回路およびメッセージウェイティング信号送出回路を共通化したアナログ加入者電話機インターフェース回路。
【０１５７】
また、第６５の発明の呼出信号送出回路およびメッセージウェイティング信号送出回路を共通化したアナログ加入者電話機インターフェース方法は、加入者回路を自局内トランク回路としたことを特徴とする請求項２１から請求項４０記載の呼出信号送出回路およびメッセージウェイティング信号送出回路を共通化したアナログ加入者電話機インターフェース方法。
【０１５８】
また、第６６の発明の呼出信号送出回路およびメッセージウェイティング信号送出回路共通化制御用プログラムは、加入者回路を自局内トランク回路としたことを特徴とする請求項４１から請求項６０記載の呼出信号送出回路およびメッセージウェイティング信号送出回路共通化制御用プログラム。
【０１５９】
また、第６７の発明の呼出信号送出回路およびメッセージウェイティング信号送出回路を共通化したアナログ加入者電話機インターフェース回路は、加入者回路を共通トランク回路としたことを特徴とする請求項１から請求項２０記載の呼出信号送出回路およびメッセージウェイティング信号送出回路を共通化したアナログ加入者電話機インターフェース回路。
【０１６０】
また、第６８の発明の呼出信号送出回路およびメッセージウェイティング信号送出回路を共通化したアナログ加入者電話機インターフェース方法は、加入者回路を共通トランク回路としたことを特徴とする請求項２１から請求項４０記載の呼出信号送出回路およびメッセージウェイティング信号送出回路を共通化したアナログ加入者電話機インターフェース方法。
【０１６１】
また、第６９の発明の呼出信号送出回路およびメッセージウェイティング信号送出回路共通化制御用プログラムは、加入者回路を共通トランク回路としたことを特徴とする請求項４１から請求項６０記載の呼出信号送出回路およびメッセージウェイティング信号送出回路共通化制御用プログラム。
【発明の効果】
【０１６２】
以上説明したように、本発明の呼出信号送出回路およびメッセージウェイティング信号送出回路を共通化したアナログ加入者電話機インターフェース回路と方法および呼出信号送出回路およびメッセージウェイティング信号送出回路共通化制御用プログラムは、
第１の効果は、加入者回路対応のプリント基板上の実装面積を縮小し、コスト削減ができたことである。
【０１６３】
その理由は、従来別々の回路にて構成されていた呼出信号送出回路及びメッセージウエイティング送出回路を共通化し、同一回路内にまとめたためである。
【発明を実施するための最良の形態】
【０１６４】
次に、本発明を実施するための最良の形態について図面を参照して詳細に説明する。
【０１６５】
元来、アナログ加入者電話機インターフェース上呼出信号送出回路及びメッセージウェイティング信号回路は、まず９０ＶＤＣ位の電圧を発生させる。
【０１６６】
その電圧を分岐させ，一方は１６Ｈｚの正弦波に変調させることで呼出信号とする。
【０１６７】
また、他方は９０ＶＤＣの電圧を１秒ＯＮ／１秒ＯＦＦの周期で送出させていたものをメッセージウェイティング信号と、分岐後は別々の回路で構成されていた。
【０１６８】
従来別々の回路にて構成されていた呼出信号送出回路及びメッセージウエイティング信号送出回路を、同一回路内にまとめる。
【０１６９】
更に，アナログ加入者電話機インターフェース内ファームウェアにて送出の周波数を切り替えることにより、１６Ｈｚの場合は呼出信号送出、０．５Ｈｚの場合はメッセージウェイティング信号送出を実現させる。
【０１７０】
次に、本発明の第１の実施の形態について、図１および図２を参照して説明する。
【０１７１】
図１は本発明の第１の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示すボタン電話装置または電話交換機の構成図である。
【０１７２】
図２は本発明の第１の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す加入者回路の構成図である。
【０１７３】
まず、第１の実施の形態の各構成の説明から行う。
【０１７４】
加入者回路３００は、ボタン電話装置または電話交換機１００本体に実装される。
【０１７５】
一方の通話線Ａ線およびＢ線はボタン電話装置または電話交換機１００の通話路スイッチ（時分割タイムスイッチ）４００に接続される。
【０１７６】
また片方の通話線Ｒｉｎｇ線およびＴｉｐ線は加入者回線を通して加入者電話機（ＳＬＴ）２００へ接続されている。
【０１７７】
加入者回路３００の直流電圧発生回路（ＤＣＰＷ）５は、ボタン電話装置または電話交換機１００本体電源からの電圧を９０Ｖに昇圧する機能を有する。
【０１７８】
変調回路（ＭＯＤ）１は、直流電圧発生回路（ＤＣＰＷ）５からの９０Ｖ直流電圧を、断続制御回路（ＩＮＴ）２からの制御により任意の周波数での正弦波への変調する。
【０１７９】
又は任意の周期での断続を行う。
【０１８０】
断続制御回路（ＩＮＴ）２は、ボタン電話装置または電話交換機１００からの制御により、呼出信号（ＲＧ）送出の場合は、変調回路（ＭＯＤ）１に対して１６Ｈｚに変調された正弦波を１秒送出２秒断の３秒周期で断続出力を行うよう制御する。
【０１８１】
また、メッセージウェイティング信号（ＭＷ）送出時には１秒オン１秒断の２秒周期での断続出力を行うよう制御する。
【０１８２】
呼出信号（ＲＧ）およびメッセージウェイティング信号（ＭＷ）の波形および送出状態は図１６のタイムチャートにより送出される。
【０１８３】
図１６（ａ）に示されるのが呼出信号（ＲＧ）で、図１６（ｂ）に示されるものがメッセージウェイティング信号（ＭＷ）のものである。
【０１８４】
呼出信号（ＲＧ）またはメッセージウェイティング信号（ＭＷ）は、それぞれの送出送出時、変調回路（ＭＯＤ）１から加入者回線のＲｉｎｇ線に送出される。
【０１８５】
加入者電話機（ＳＬＴ）２００の応答によるオフフックによるループを検出するリングトリップ回路（ＲＴ）３を経て加入者電話機インターフェース回路（ＳＬＴ  Ｉ／Ｆ）４から加入者回線のＲｉｎｇ線に送出される。
【０１８６】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０１８７】
加入者電話機インターフェース回路（ＳＬＴ  Ｉ／Ｆ）４を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０１８８】
ここで、リングトリップ回路（ＲＴ）３を加入者電話機インターフェース回路（ＳＬＴ  Ｉ／Ｆ）４の外に設けた実施の形態で説明した。
【０１８９】
しかし、リングトリップ回路（ＲＴ）３を加入者電話機インターフェース回路（ＳＬＴ  Ｉ／Ｆ）４の内に設けたもので加入者電話機（ＳＬＴ）２００が呼出信号（ＲＧ）またはメッセージウェイティング信号（ＭＷ）に応答したことを検出してもよい。
【０１９０】
加入者電話機インターフェース回路（ＳＬＴ  Ｉ／Ｆ）４は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０１９１】
以上のような機能を持つ、図２に示す加入者回路３００は加入者電話機インターフェース回路（ＳＬＴ  Ｉ／Ｆ）４、直流電圧発生回路（ＤＣＰＷ）５、変調回路（ＭＯＤ）１、断続制御回路（ＩＮＴ）２、およびリングトリップ回路（ＲＴ）３を備えている。
【０１９２】
そして、プリント基板に実装されて加入者回路３００を構成している。
【０１９３】
図１に示すように、ボタン電話装置または電話交換機１００に複数搭載されている。
【０１９４】
加入者回路３００はボタン電話装置または電話交換機１００に収容される少なくとも加入者電話機（ＳＬＴ）２００以上の加入者回路３００を構成する加入者回路３００のプリント基板を実装している。
【０１９５】
ボタン電話装置または電話交換機１００を構成する装置としては加入者回路３００のプリント基板の量が多く、実装、コストの面で重要なウェートを占めている。
【０１９６】
以上のことから、いかに加入者回路３００の回路構成を縮小し、実装面積を少なくし、コストを削減するかが重要な目的となる。
【０１９７】
次に、本発明の第１の実施の形態の動作について、図１および図２を参照して詳細に説明する。
【０１９８】
まず、加入者回路３００の直流電圧発生回路（ＤＣＰＷ）５は、ボタン電話装置または電話交換機１００本体電源からの電圧を９０Ｖに昇圧する機能を有する。
【０１９９】
変調回路（ＭＯＤ）１は、直流電圧発生回路（ＤＣＰＷ）５からの９０Ｖ直流電圧を、断続制御回路（ＩＮＴ）２からの制御により任意の周波数での正弦波への変調する。
【０２００】
又は任意の周期での断続を行う。
【０２０１】
変調回路（ＭＯＤ）１から発生する波形および断続状態は図１６の波形とタイムチャートに示す通りである。
【０２０２】
断続制御回路（ＩＮＴ）２は、ボタン電話装置または電話交換機１００からの制御により、呼出信号（ＲＧ）送出の場合は、変調回路（ＭＯＤ）１に対して１６Ｈｚに変調された正弦波を１秒送出２秒断の３秒周期で断続出力を行うよう制御する。
【０２０３】
また、メッセージウェイティング信号（ＭＷ）送出時には１秒オン１秒断の２秒周期での断続出力を行うよう制御する。
【０２０４】
呼出信号（ＲＧ）およびメッセージウェイティング信号（ＭＷ）の波形および送出状態は図１６のタイムチャートにより送出される。
【０２０５】
図１６（ａ）に示されるのが呼出信号（ＲＧ）で、図１６（ｂ）に示されるものがメッセージウェイティング信号（ＭＷ）のものである。
【０２０６】
呼出信号（ＲＧ）またはメッセージウェイティング信号（ＭＷ）は、それぞれの送出送出時、変調回路（ＭＯＤ）１から加入者回線のＲｉｎｇ線に送出される。
【０２０７】
加入者電話機（ＳＬＴ）２００の応答によるオフフックによるループを検出するリングトリップ回路（ＲＴ）３を経て加入者電話機インターフェース回路（ＳＬＴ  Ｉ／Ｆ）４から加入者回線のＲｉｎｇ線に送出される。
【０２０８】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０２０９】
加入者電話機インターフェース回路（ＳＬＴ  Ｉ／Ｆ）４を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０２１０】
リングトリップ回路（ＲＴ）３が加入者電話機（ＳＬＴ）２００が呼出信号（ＲＧ）またはメッセージウェイティング信号（ＭＷ）に応答したことを検出したことにより、加入者回路３００は、呼出信号（ＲＧ）またはメッセージウェイティング信号（ＭＷ）の送出を停止する。
【０２１１】
以後の通話を加入者電話機インターフェース回路（ＳＬＴ  Ｉ／Ｆ）４から保持し、監視するようになる。
【０２１２】
ここで、リングトリップ回路（ＲＴ）３を加入者電話機インターフェース回路（ＳＬＴ  Ｉ／Ｆ）４の外部に設けた実施の形態で説明した。
【０２１３】
しかし、リングトリップ回路（ＲＴ）３を加入者電話機インターフェース回路（ＳＬＴ  Ｉ／Ｆ）４の内部に設けたもので加入者電話機（ＳＬＴ）２００が呼出信号（ＲＧ）またはメッセージウェイティング信号（ＭＷ）に応答したことを検出してもよい。
【０２１４】
加入者電話機インターフェース回路（ＳＬＴ  Ｉ／Ｆ）４は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０２１５】
本発明の第１の実施の形態においては、呼出信号発生回路とメッセージウェティング発生回路を共通化することで、数量の多い加入者回路３００を構成するプリント基板上の実装面積を縮小し、コスト削減が図られる。
【０２１６】
次に、本発明の第２の実施の形態について、図３および図４を参照して説明する。
【０２１７】
図３は本発明の第２の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す直流電圧発生回路を共通化したボタン電話装置または電話交換機の構成図である。
【０２１８】
図４は本発明の第２の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す直流電圧発生回路を外部に置いた加入者回路の構成図である。
【０２１９】
まず、第２の実施の形態の各構成の説明から行う。
【０２２０】
加入者回路３００は、ボタン電話装置または電話交換機１００本体に実装され、一方の通話線Ａ線およびＢ線はボタン電話装置または電話交換機１００の通話路スイッチ（時分割タイムスイッチ）４００に接続されている。
【０２２１】
また片方の通話線Ｒｉｎｇ線およびＴｉｐ線は加入者回線を通して加入者電話機（ＳＬＴ）２００へ接続されている。
【０２２２】
加入者回路３００は、ボタン電話装置または電話交換機１００本体電源に設けられた共通直流電圧発生回路（ＣＯＭ  ＤＣＰＷ）１０５から、呼出信号送出およびメッセージウェイティング信号送出のための共通直流電圧発生源となる電圧源を得る。
【０２２３】
共通直流電圧発生回路（ＣＯＭ  ＤＣＰＷ）１０５からの電圧源の分配はボタン電話装置または電話交換機１００に搭載されている加入者回路３００のうち、共通直流電圧発生回路（ＣＯＭ  ＤＣＰＷ）１０５当たりの出力容量見合で複式に接続する。
【０２２４】
複数の加入者回路３００を複式に接続し、分配される構成になっている。
【０２２５】
変調回路（ＭＯＤ）１は、共通直流電圧発生回路（ＣＯＭ  ＤＣＰＷ）１０５からの９０Ｖ直流電圧を、断続制御回路（ＩＮＴ）２からの制御により任意の周波数での正弦波への変調、又は任意の周期での断続を行う。
【０２２６】
断続制御回路（ＩＮＴ）２は、ボタン電話装置または電話交換機１００からの制御される。
【０２２７】
呼出信号（ＲＧ）送出の場合は、変調回路（ＭＯＤ）１に対して１６Ｈｚに変調された正弦波を１秒送出２秒断の３秒周期で断続出力を行うよう制御する。
、また、メッセージウェイティング信号（ＭＷ）送出時には１秒オン１秒断の２秒周期での断続出力を行うよう制御する。
【０２２８】
呼出信号（ＲＧ）およびメッセージウェイティング信号（ＭＷ）の波形および送出状態は図１６のタイムチャートにより送出される。
【０２２９】
図１６（ａ）に示されるのが呼出信号（ＲＧ）で、図１６（ｂ）に示されるものがメッセージウェイティング信号（ＭＷ）のものである。
【０２３０】
呼出信号（ＲＧ）またはメッセージウェイティング信号（ＭＷ）は、それぞれの送出送出時、変調回路（ＭＯＤ）１から加入者電話機（ＳＬＴ）２００の応答によるオフフックによるループを検出するリングトリップ回路（ＲＴ）３を経て加入者電話機インターフェース回路（ＳＬＴ  Ｉ／Ｆ）４から加入者回線のＲｉｎｇ線に送出される。
【０２３１】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０２３２】
加入者電話機インターフェース回路（ＳＬＴ  Ｉ／Ｆ）４を経てグランドに終端される。
【０２３３】
そのため、リングトリップ回路（ＲＴ）３が加入者電話機（ＳＬＴ）２００が呼出信号（ＲＧ）またはメッセージウェイティング信号（ＭＷ）に応答したことを検出する。
【０２３４】
ここで、リングトリップ回路（ＲＴ）３を加入者電話機インターフェース回路（ＳＬＴ  Ｉ／Ｆ）４の外に設けた実施の形態で説明した。
【０２３５】
しかし、リングトリップ回路（ＲＴ）３を加入者電話機インターフェース回路（ＳＬＴ  Ｉ／Ｆ）４の内に設けたもので加入者電話機（ＳＬＴ）２００が呼出信号（ＲＧ）またはメッセージウェイティング信号（ＭＷ）に応答したことを検出してもよい。
【０２３６】
加入者電話機インターフェース回路（ＳＬＴ  Ｉ／Ｆ）４は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０２３７】
以上のような機能を持つ、図４に示す加入者回路３００は加入者電話機インターフェース回路（ＳＬＴ  Ｉ／Ｆ）４、変調回路（ＭＯＤ）１、断続制御回路（ＩＮＴ）２、およびリングトリップ回路（ＲＴ）３はプリント基板に実装されて加入者回路３００を構成している。
【０２３８】
図３に示すように、ボタン電話装置または電話交換機１００に複数搭載されている。
【０２３９】
加入者回路３００はボタン電話装置または電話交換機１００に収容される少なくとも加入者電話機（ＳＬＴ）２００以上の加入者回路３００を構成する加入者回路３００のプリント基板を実装している。
【０２４０】
ボタン電話装置または電話交換機１００を構成する装置としては加入者回路３００のプリント基板の量が多く、実装、コストの面で重要なウェートを占めている。
【０２４１】
以上のことから、いかに加入者回路３００の回路構成を縮小し、実装面積を少なくし、コストを削減するかが重要な目的となる。
【０２４２】
次に、本発明の第２の実施の形態の動作について、図３および図４を参照して詳細に説明する。
【０２４３】
加入者回路３００は、ボタン電話装置または電話交換機１００本体電源に設けられた共通直流電圧発生回路（ＣＯＭ  ＤＣＰＷ）１０５から、呼出信号送出およびメッセージウェイティング信号送出のための共通直流電圧発生源となる電圧源を得る。
【０２４４】
共通直流電圧発生回路（ＣＯＭ  ＤＣＰＷ）１０５からの電圧源の分配はボタン電話装置または電話交換機１００に搭載されている加入者回路３００のうち、共通直流電圧発生回路（ＣＯＭ  ＤＣＰＷ）１０５当たりの出力容量見合で複式に接続する。
【０２４５】
複数の加入者回路３００を複式に接続し、分配される構成になっている。
【０２４６】
変調回路（ＭＯＤ）１は、共通直流電圧発生回路（ＣＯＭ  ＤＣＰＷ）１０５からの９０Ｖ直流電圧を、断続制御回路（ＩＮＴ）２からの制御により任意の周波数での正弦波への変調、又は任意の周期での断続を行う。
【０２４７】
断続制御回路（ＩＮＴ）２は、ボタン電話装置または電話交換機１００からの制御により、呼出信号（ＲＧ）送出の場合は、変調回路（ＭＯＤ）１に対して１６Ｈｚに変調された正弦波を１秒送出２秒断の３秒周期で断続出力を行うよう制御する。
【０２４８】
また、メッセージウェイティング信号（ＭＷ）送出時には１秒オン１秒断の２秒周期での断続出力を行うよう制御する。
【０２４９】
呼出信号（ＲＧ）およびメッセージウェイティング信号（ＭＷ）の波形および送出状態は図１６のタイムチャートにより送出される。
【０２５０】
図１６（ａ）に示されるのが呼出信号（ＲＧ）で、図１６（ｂ）に示されるものがメッセージウェイティング信号（ＭＷ）のものである。
【０２５１】
呼出信号（ＲＧ）またはメッセージウェイティング信号（ＭＷ）は、それぞれの送出送出時、変調回路（ＭＯＤ）１から加入者回線のＲｉｎｇ線に送出される。
【０２５２】
加入者電話機（ＳＬＴ）２００の応答によるオフフックによるループを検出するリングトリップ回路（ＲＴ）３を経て加入者電話機インターフェース回路（ＳＬＴ  Ｉ／Ｆ）４から加入者回線のＲｉｎｇ線に送出される。
【０２５３】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０２５４】
加入者電話機インターフェース回路（ＳＬＴ  Ｉ／Ｆ）４を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０２５５】
リングトリップ回路（ＲＴ）３が加入者電話機（ＳＬＴ）２００が呼出信号（ＲＧ）またはメッセージウェイティング信号（ＭＷ）に応答したことを検出したことにより、加入者回路３００は、呼出信号（ＲＧ）またはメッセージウェイティング信号（ＭＷ）の送出を停止し、以後の通話を加入者電話機インターフェース回路（ＳＬＴ  Ｉ／Ｆ）４から保持し、監視するようになる。
【０２５６】
ここで、リングトリップ回路（ＲＴ）３を加入者電話機インターフェース回路（ＳＬＴ  Ｉ／Ｆ）４の外部に設けた実施の形態で説明した。
【０２５７】
しかし、リングトリップ回路（ＲＴ）３を加入者電話機インターフェース回路（ＳＬＴ  Ｉ／Ｆ）４の内部に設けたもので加入者電話機（ＳＬＴ）２００が呼出信号（ＲＧ）またはメッセージウェイティング信号（ＭＷ）に応答したことを検出してもよい。
【０２５８】
加入者電話機インターフェース回路（ＳＬＴ  Ｉ／Ｆ）４は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０２５９】
以上のような機能を持つ、図４に示す加入者回路３００は加入者電話機インターフェース回路（ＳＬＴ  Ｉ／Ｆ）４、変調回路（ＭＯＤ）１、断続制御回路（ＩＮＴ）２、およびリングトリップ回路（ＲＴ）３で構成されている。
【０２６０】
そして、プリント基板に実装されて加入者回路３００を構成している。
【０２６１】
図３に示すように、ボタン電話装置または電話交換機１００に複数搭載されている。
【０２６２】
加入者回路３００はボタン電話装置または電話交換機１００に収容される少なくとも加入者電話機（ＳＬＴ）２００以上の加入者回路３００を構成する加入者回路３００のプリント基板を実装している。
【０２６３】
ボタン電話装置または電話交換機１００を構成する装置としては加入者回路３００のプリント基板の量が多く、実装、コストの面で重要なウェートを占めている。
【０２６４】
以上のことから、いかに加入者回路３００の回路構成を縮小し、実装面積を少なくし、コストを削減するかが重要な目的となる。
【０２６５】
本発明の第２の実施の形態においては、本発明の第１の実施の形態における直流電圧発生回路５を数量の多い加入者回路３００から削除した点で、加入者回路３００を構成するプリント基板上の実装面積を縮小し、コスト削減が本発明の第１の実施の形態に比べて、さらに図られる。
【０２６６】
さらにボタン電話装置または電話交換機１００全体から見れば、直流電圧発生回路５を数量の多い加入者回路３００から削除し、ボタン電話装置または電話交換機１００に共通化して共通直流電圧発生回路（ＣＯＭ  ＤＣＰＷ）１０５から、呼出信号送出およびメッセージウェイティング信号送出のための共通直流電圧発生源を備えたことは、ボタン電話装置または電話交換機１００全体のコスト削減となる。
【０２６７】
次に、本発明の第３の実施の形態について、図５および図６を参照して説明する。
【０２６８】
図５は本発明の第３の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す呼出信号およびメッセージウェイティング信号発生回路を共通に持つボタン電話装置または電話交換機の構成図である。
【０２６９】
図６は本発明の第３および第４の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す呼出信号およびメッセージウェイティング信号発生回路を外部に置いた加入者回路の構成図である。
【０２７０】
まず、第３の実施の形態の各構成の説明から行う。
【０２７１】
加入者回路３００は、ボタン電話装置または電話交換機１００本体に実装される。
【０２７２】
一方の通話線Ａ線およびＢ線はボタン電話装置または電話交換機１００の通話路スイッチ（時分割タイムスイッチ）４００に接続される。
【０２７３】
また片方の通話線Ｒｉｎｇ線およびＴｉｐ線は加入者回線を通して加入者電話機（ＳＬＴ）２００へ接続されている。
【０２７４】
ボタン電話装置または電話交換機１００本体に設けられた呼出信号用共通直流電圧発生回路（ＲＧ  ＣＯＭ  ＤＣＰＷ）１２５から、呼出信号用の電圧源となる共通直流電圧を発生する。
【０２７５】
呼出信号用共通変調回路（ＲＧ  ＣＯＭ  ＭＯＤ）１２１は、呼出信号用共通直流電圧発生回路（ＲＧ  ＣＯＭ  ＤＣＰＷ）１２５からの９０Ｖ直流電圧を、呼出信号用共通断続制御回路（ＲＧ  ＣＯＭ  ＩＮＴ）１２２からの制御により任意の周波数での正弦波への変調する。
【０２７６】
又は任意の周期での断続を行う。
【０２７７】
呼出信号用共通断続制御回路（ＲＧ  ＣＯＭ  ＩＮＴ）１２２は、ボタン電話装置または電話交換機１００からの制御される。
【０２７８】
呼出信号用共通変調回路（ＲＧ  ＣＯＭ  ＭＯＤ）１２１に対して１６Ｈｚに変調された正弦波を１秒送出２秒断の３秒周期での断続出力を行うよう制御している。
【０２７９】
呼出信号用共通変調回路（ＲＧ  ＣＯＭ  ＭＯＤ）１２１から送出される呼出信号は、ボタン電話装置または電話交換機１００に搭載されている加入者回路３００に分配される。
【０２８０】
呼出信号の分配はボタン電話装置または電話交換機１００に搭載されている加入者回路３００のうち、呼出信号用共通変調回路（ＲＧ  ＣＯＭ  ＭＯＤ）１２１当たりの出力容量見合で複数の加入者回路３００を複式に接続し、分配される構成になっている。
【０２８１】
また、ボタン電話装置または電話交換機１００本体に設けられたメッセージウェイティング信号（ＭＷ）用共通直流電圧発生回路（ＭＷ  ＣＯＭ  ＤＣＰＷ）１１５から、メッセージウェイティング信号（ＭＷ）用の電圧源となる共通直流電圧を発生する。
【０２８２】
メッセージウェイティング信号（ＭＷ）用共通断続制御回路（ＭＷ  ＣＯＭ  ＩＮＴ）１１２は、メッセージウェイティング信号（ＭＷ）用共通直流電圧発生回路（ＭＷ  ＣＯＭ  ＤＣＰＷ）１１５からの９０Ｖ直流電圧を任意の周期での断続を行う機能を有している。
【０２８３】
１秒オン１秒断の２秒周期での断続出力を行うよう制御している。
【０２８４】
メッセージウェイティング信号（ＭＷ）用共通断続制御回路（ＭＷ  ＣＯＭ  ＩＮＴ）１１２から送出されるメッセージウェイティング信号（ＭＷ）は、ボタン電話装置または電話交換機１００に搭載されている加入者回路３００に分配される。
【０２８５】
メッセージウェイティング信号（ＭＷ）の分配はボタン電話装置または電話交換機１００に搭載されている加入者回路３００のうち、メッセージウェイティング信号（ＭＷ）用共通断続制御回路（ＭＷ  ＣＯＭ  ＩＮＴ）１１２当たりの出力容量見合で複式に接続されている。
【０２８６】
複数の加入者回路３００を複式に接続し、分配される構成になっている。
【０２８７】
呼出信号（ＲＧ）およびメッセージウェイティング信号（ＭＷ）の波形および送出状態は図１６のタイムチャートにより送出される。
【０２８８】
図１６（ａ）に示されるのが呼出信号（ＲＧ）で、図１６（ｂ）に示されるものがメッセージウェイティング信号（ＭＷ）のものである。
【０２８９】
加入者回路３００は呼出信号（ＲＧ）またはメッセージウェイティング信号（ＭＷ）の送出を切り替えるための切り替え回路（ＴＲＦ）６を備えている。
【０２９０】
切り替え回路（ＴＲＦ）６は、ボタン電話装置または電話交換機１００からの制御されている。
【０２９１】
呼出信号（ＲＧ）送出の場合は、切り替え回路（ＴＲＦ）６に対して１６Ｈｚに変調された正弦波を１秒送出２秒断の３秒周期で断続出力を行うよう制御する。
【０２９２】
また、メッセージウェイティング信号（ＭＷ）送出時には１秒オン１秒断の２秒周期での断続出力を行うよう制御する。
【０２９３】
この切り替えは、切り替え回路（ＴＲＦ）６の切り替えリレーＴ（図示されてない）の接点ｔにより切り替える。
【０２９４】
本発明の実施の形態ではリレーＴが不動作の場合は、ボタン電話装置または電話交換機１００の呼出信号用共通変調回路（ＲＧ  ＣＯＭ  ＭＯＤ）１２１から供給された呼出信号（ＲＧ）が切り替え回路（ＴＲＦ）６により切り替えられる。
【０２９５】
ｔ接点のブレーク側を通りリングトリップ回路（ＲＴ）３、加入者電話機インターフェース回路（ＳＬＴ  Ｉ／Ｆ）４を経て加入者回線のＲｉｎｇ線から加入者電話機（ＳＬＴ）２００に送出される。
【０２９６】
また、メッセージウェイティング信号（ＭＷ）の送出の場合は、本発明の実施の形態では切り替え回路（ＴＲＦ）６のリレーＴが動作状態にボタン電話装置または電話交換機１００から指示される。
【０２９７】
その場合で、ボタン電話装置または電話交換機１００のメッセージウェイティング信号（ＭＷ）用共通断続制御回路（ＭＷ  ＣＯＭ  ＩＮＴ）１１２から供給されたメッセージウェイティング信号（ＭＷ）が切り替え回路（ＴＲＦ）６により切り替えられる。
【０２９８】
ｔ接点のメーク側を通りリングトリップ回路（ＲＴ）３、加入者電話機インターフェース回路（ＳＬＴ  Ｉ／Ｆ）４を経て加入者回線のＲｉｎｇ線から加入者電話機（ＳＬＴ）２００に送出される。
【０２９９】
呼出信号（ＲＧ）またはメッセージウェイティング信号（ＭＷ）は、それぞれの送出送出時、切り替え回路（ＴＲＦ）６から加入者回線のＲｉｎｇ線に送出される。
【０３００】
加入者電話機（ＳＬＴ）２００の応答によるオフフックによるループを検出するリングトリップ回路（ＲＴ）３を経て加入者電話機インターフェース回路（ＳＬＴ  Ｉ／Ｆ）４から加入者回線のＲｉｎｇ線に送出される。
【０３０１】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０３０２】
加入者電話機インターフェース回路（ＳＬＴ  Ｉ／Ｆ）４を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０３０３】
ここで、リングトリップ回路（ＲＴ）３を加入者電話機インターフェース回路（ＳＬＴ  Ｉ／Ｆ）４の外に設けた実施の形態で説明した。
【０３０４】
しかし、リングトリップ回路（ＲＴ）３を加入者電話機インターフェース回路（ＳＬＴ  Ｉ／Ｆ）４の内に設けたもので加入者電話機（ＳＬＴ）２００が呼出信号（ＲＧ）またはメッセージウェイティング信号（ＭＷ）に応答したことを検出してもよい。
【０３０５】
加入者電話機インターフェース回路（ＳＬＴ  Ｉ／Ｆ）４は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０３０６】
以上のような機能を持つ、図６に示す加入者回路３００は加入者電話機インターフェース回路（ＳＬＴ  Ｉ／Ｆ）４、切り替え回路（ＴＲＦ）６、およびリングトリップ回路（ＲＴ）３から構成される。
【０３０７】
そして、プリント基板に実装されて加入者回路３００を構成している。
【０３０８】
図５に示すように、ボタン電話装置または電話交換機１００に複数搭載されている。
【０３０９】
加入者回路３００はボタン電話装置または電話交換機１００に収容される少なくとも加入者電話機（ＳＬＴ）２００以上の加入者回路３００を構成する加入者回路３００のプリント基板を実装している。
【０３１０】
ボタン電話装置または電話交換機１００を構成する装置としては加入者回路３００のプリント基板の量が多く、実装、コストの面で重要なウェートを占めている。
【０３１１】
以上のことから、いかに加入者回路３００の回路構成を縮小し、実装面積を少なくし、コストを削減するかが重要な目的となる。
【０３１２】
次に、本発明の第３の実施の形態の動作について、図５および図６を参照して詳細に説明する。
【０３１３】
ボタン電話装置または電話交換機１００本体に設けられた呼出信号用共通直流電圧発生回路（ＲＧ  ＣＯＭ  ＤＣＰＷ）１２５から、呼出信号用の電圧源となる共通直流電圧を発生する。
【０３１４】
呼出信号用共通変調回路（ＲＧ  ＣＯＭ  ＭＯＤ）１２１は、呼出信号用共通直流電圧発生回路（ＲＧ  ＣＯＭ  ＤＣＰＷ）１２５からの９０Ｖ直流電圧を、呼出信号用共通断続制御回路（ＲＧ  ＣＯＭ  ＩＮＴ）１２２からの制御により任意の周波数での正弦波への変調、又は任意の周期での断続を行う。
【０３１５】
呼出信号用共通断続制御回路（ＲＧ  ＣＯＭ  ＩＮＴ）１２２は、ボタン電話装置または電話交換機１００からの制御により、呼出信号用共通変調回路（ＲＧ  ＣＯＭ  ＭＯＤ）１２１に対して１６Ｈｚに変調された正弦波を１秒送出２秒断の３秒周期での断続出力を行うよう制御している。
【０３１６】
呼出信号用共通変調回路（ＲＧ  ＣＯＭ  ＭＯＤ）１２１から送出される呼出信号は、ボタン電話装置または電話交換機１００に搭載されている加入者回路３００に分配される。
【０３１７】
呼出信号の分配はボタン電話装置または電話交換機１００に搭載されている加入者回路３００のうち、呼出信号用共通変調回路（ＲＧ  ＣＯＭ  ＭＯＤ）１２１当たりの出力容量見合で複式に接続している。
【０３１８】
複数の加入者回路３００を複式に接続し、分配される構成になっている。
【０３１９】
また、ボタン電話装置または電話交換機１００本体に設けられたメッセージウェイティング信号（ＭＷ）用共通直流電圧発生回路（ＭＷ  ＣＯＭ  ＤＣＰＷ）１１５から、メッセージウェイティング信号（ＭＷ）用の電圧源となる共通直流電圧を発生する。
【０３２０】
メッセージウェイティング信号（ＭＷ）用共通断続制御回路（ＭＷ  ＣＯＭ  ＩＮＴ）１１２は、メッセージウェイティング信号（ＭＷ）用共通直流電圧発生回路（ＭＷ  ＣＯＭ  ＤＣＰＷ）１１５からの９０Ｖ直流電圧を任意の周期での断続を行う機能を有し、１秒オン１秒断の２秒周期での断続出力を行うよう制御している。
【０３２１】
メッセージウェイティング信号（ＭＷ）用共通断続制御回路（ＭＷ  ＣＯＭ  ＩＮＴ）１１２から送出されるメッセージウェイティング信号（ＭＷ）は、ボタン電話装置または電話交換機１００に搭載されている加入者回路３００に分配される。
【０３２２】
メッセージウェイティング信号（ＭＷ）の分配はボタン電話装置または電話交換機１００に搭載されている加入者回路３００のうち、メッセージウェイティング信号（ＭＷ）用共通断続制御回路（ＭＷ  ＣＯＭ  ＩＮＴ）１１２当たりの出力容量見合で複式に接続されている。
【０３２３】
複数の加入者回路３００を複式に接続し、分配される構成になっている。
【０３２４】
呼出信号（ＲＧ）およびメッセージウェイティング信号（ＭＷ）の波形および送出状態は図１６のタイムチャートにより送出される。
【０３２５】
図１６（ａ）に示されるのが呼出信号（ＲＧ）で、図１６（ｂ）に示されるものがメッセージウェイティング信号（ＭＷ）のものである。
【０３２６】
加入者回路３００は呼出信号（ＲＧ）またはメッセージウェイティング信号（ＭＷ）の送出を切り替えるための切り替え回路（ＴＲＦ）６を備えている。
【０３２７】
切り替え回路（ＴＲＦ）６は、ボタン電話装置または電話交換機１００からの制御により、呼出信号（ＲＧ）送出の場合は、切り替え回路（ＴＲＦ）６に対して１６Ｈｚに変調された正弦波を１秒送出２秒断の３秒周期で断続出力を行うよう制御する。
【０３２８】
また、メッセージウェイティング信号（ＭＷ）送出時には１秒オン１秒断の２秒周期での断続出力を行うよう制御する。
【０３２９】
この切り替えは、切り替え回路（ＴＲＦ）６の切り替えリレーＴ（図示されてない）の接点ｔにより切り替える。
【０３３０】
本発明の実施の形態ではリレーＴが不動作の場合は、ボタン電話装置または電話交換機１００の呼出信号用共通変調回路（ＲＧ  ＣＯＭ  ＭＯＤ）１２１から供給された呼出信号（ＲＧ）が切り替え回路（ＴＲＦ）６により切り替えれる。
【０３３１】
ｔ接点のブレーク側を通りリングトリップ回路（ＲＴ）３、加入者電話機インターフェース回路（ＳＬＴ  Ｉ／Ｆ）４を経て加入者回線のＲｉｎｇ線から加入者電話機（ＳＬＴ）２００に送出される。
【０３３２】
また、メッセージウェイティング信号（ＭＷ）の送出の場合は、本発明の実施の形態では切り替え回路（ＴＲＦ）６のリレーＴが動作状態にボタン電話装置または電話交換機１００から指示される。
【０３３３】
その場合で、ボタン電話装置または電話交換機１００のメッセージウェイティング信号（ＭＷ）用共通断続制御回路（ＭＷ  ＣＯＭ  ＩＮＴ）１１２から供給されたメッセージウェイティング信号（ＭＷ）が切り替え回路（ＴＲＦ）６により切り替えられる。
【０３３４】
ｔ接点のメーク側を通りリングトリップ回路（ＲＴ）３、加入者電話機インターフェース回路（ＳＬＴ  Ｉ／Ｆ）４を経て加入者回線のＲｉｎｇ線から加入者電話機（ＳＬＴ）２００に送出される。
【０３３５】
呼出信号（ＲＧ）またはメッセージウェイティング信号（ＭＷ）は、それぞれの送出送出時、切り替え回路（ＴＲＦ）６から加入者電話機（ＳＬＴ）２００の応答によるオフフックによるループを検出するリングトリップ回路（ＲＴ）３を経て加入者電話機インターフェース回路（ＳＬＴ  Ｉ／Ｆ）４から加入者回線のＲｉｎｇ線に送出される。
【０３３６】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０３３７】
加入者電話機インターフェース回路（ＳＬＴ  Ｉ／Ｆ）４を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０３３８】
ここで、リングトリップ回路（ＲＴ）３を加入者電話機インターフェース回路（ＳＬＴ  Ｉ／Ｆ）４の外に設けた実施の形態で説明したがリングトリップ回路（ＲＴ）３を加入者電話機インターフェース回路（ＳＬＴ  Ｉ／Ｆ）４の内に設けたもので加入者電話機（ＳＬＴ）２００が呼出信号（ＲＧ）またはメッセージウェイティング信号（ＭＷ）に応答したことを検出してもよい。
【０３３９】
加入者電話機インターフェース回路（ＳＬＴ  Ｉ／Ｆ）４は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０３４０】
以上のような機能を持つ、図６に示す加入者回路３００は加入者電話機インターフェース回路（ＳＬＴ  Ｉ／Ｆ）４、切り替え回路（ＴＲＦ）６、およびリングトリップ回路（ＲＴ）３から構成されている。
【０３４１】
そして、プリント基板に実装されて加入者回路３００を構成し、図５に示すように、ボタン電話装置または電話交換機１００に複数搭載されている。
【０３４２】
加入者回路３００はボタン電話装置または電話交換機１００に収容される少なくとも加入者電話機（ＳＬＴ）２００以上の加入者回路３００を構成する加入者回路３００のプリント基板を実装している。
【０３４３】
ボタン電話装置または電話交換機１００を構成する装置としては加入者回路３００のプリント基板の量が多く、実装、コストの面で重要なウェートを占めている。
【０３４４】
以上のことから、いかに加入者回路３００の回路構成を縮小し、実装面積を少なくし、コストを削減するかが重要な目的となる。
【０３４５】
本発明の第３の実施の形態においては、本発明の第１の実施の形態における直流電圧発生回路５、および本発明の第２の実施の形態における変調回路１および断続制御回路２を数量の多い加入者回路３００から削除した点で、加入者回路３００を構成するプリント基板上の実装面積を縮小し、コスト削減が本発明の第１の実施の形態および本発明の第２の実施の形態よりさらに図られる。
【０３４６】
また、本発明の第３の実施の形態においては、ボタン電話装置または電話交換機１００本体に設けられた呼出信号用共通直流電圧発生回路（ＲＧ  ＣＯＭ  ＤＣＰＷ）１２５から、呼出信号用の電圧源となる共通直流電圧を発生する。
【０３４７】
呼出信号用共通変調回路（ＲＧ  ＣＯＭ  ＭＯＤ）１２１を、呼出信号用共通断続制御回路（ＲＧ  ＣＯＭ  ＩＮＴ）１２２から制御し、呼出信号（ＲＧ）を発生する。
【０３４８】
また、ボタン電話装置または電話交換機１００本体に設けられたメッセージウェイティング信号（ＭＷ）用共通直流電圧発生回路（ＭＷ  ＣＯＭ  ＤＣＰＷ）１１５から、メッセージウェイティング信号（ＭＷ）用の電圧源となる共通直流電圧を発生する。
【０３４９】
メッセージウェイティング信号（ＭＷ）用共通断続制御回路（ＭＷ  ＣＯＭ  ＩＮＴ）１１２は、メッセージウェイティング信号（ＭＷ）用共通直流電圧発生回路（ＭＷ  ＣＯＭ  ＤＣＰＷ）１１５からの断続出力をメッセージウェイティング信号（ＭＷ）として発生する共通化を行った構成にしたことにより本発明の第２の実施の形態よりコスト削減がボタン電話装置または電話交換機１００としてさらに図られる。
【０３５０】
次に、本発明の第４の実施の形態について、図７および図６を参照して説明する。
【０３５１】
図７は本発明の第４の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す呼出信号およびメッセージウェイティング信号発生回路を共通に持ち直流電圧発生回路を共通化したボタン電話装置または電話交換機の構成図である。
【０３５２】
まず、第４の実施の形態の各構成の説明から行う。
【０３５３】
加入者回路３００は、ボタン電話装置または電話交換機１００本体に実装されている。
【０３５４】
一方の通話線Ａ線およびＢ線はボタン電話装置または電話交換機１００の通話路スイッチ（時分割タイムスイッチ）４００に接続されている。
【０３５５】
また片方の通話線Ｒｉｎｇ線およびＴｉｐ線は加入者回線を通して加入者電話機（ＳＬＴ）２００へ接続されている。
【０３５６】
ボタン電話装置または電話交換機１００本体に設けられた共通直流電圧発生回路（ＣＯＭ  ＤＣＰＷ）１０５から、呼出信号用およびメッセージウェイティング信号用の電圧源となる共通直流電圧を発生する。
【０３５７】
呼出信号用共通変調回路（ＲＧ  ＣＯＭ  ＭＯＤ）１２１は、共通直流電圧発生回路（ＣＯＭ  ＤＣＰＷ）１０５からの９０Ｖ直流電圧を、呼出信号用共通断続制御回路（ＲＧ  ＣＯＭ  ＩＮＴ）１２２からの制御により任意の周波数での正弦波への変調する。
【０３５８】
又は任意の周期での断続を行う。
【０３５９】
呼出信号用共通断続制御回路（ＲＧ  ＣＯＭ  ＩＮＴ）１２２は、ボタン電話装置または電話交換機１００からの制御される。
【０３６０】
呼出信号用共通変調回路（ＲＧ  ＣＯＭ  ＭＯＤ）１２１に対して１６Ｈｚに変調された正弦波を１秒送出２秒断の３秒周期での断続出力を行うよう制御している。
【０３６１】
呼出信号用共通変調回路（ＲＧ  ＣＯＭ  ＭＯＤ）１２１から送出される呼出信号は、ボタン電話装置または電話交換機１００に搭載されている加入者回路３００に分配される。
【０３６２】
呼出信号の分配はボタン電話装置または電話交換機１００に搭載されている加入者回路３００のうち、呼出信号用共通変調回路（ＲＧ  ＣＯＭ  ＭＯＤ）１２１当たりの出力容量見合で複式に接続されている。
【０３６３】
複数の加入者回路３００を複式に接続し、分配される構成になっている。
【０３６４】
また、ボタン電話装置または電話交換機１００本体に設けられた共通直流電圧発生回路（ＣＯＭ  ＤＣＰＷ）１０５から、メッセージウェイティング信号（ＭＷ）用の電圧源となる共通直流電圧も呼出信号用の電圧源となる共通直流電圧と共用化して発生される。
【０３６５】
メッセージウェイティング信号（ＭＷ）用共通断続制御回路（ＭＷ  ＣＯＭ  ＩＮＴ）１１２は、共通直流電圧発生回路（ＣＯＭ  ＤＣＰＷ）１０５からの９０Ｖ直流電圧を任意の周期での断続を行う機能を有している。
【０３６６】
１秒オン１秒断の２秒周期での断続出力を行うよう制御している。
【０３６７】
メッセージウェイティング信号（ＭＷ）用共通断続制御回路（ＭＷ  ＣＯＭ  ＩＮＴ）１１２から送出されるメッセージウェイティング信号（ＭＷ）は、ボタン電話装置または電話交換機１００に搭載されている加入者回路３００に分配される。
【０３６８】
メッセージウェイティング信号（ＭＷ）の分配はボタン電話装置または電話交換機１００に搭載されている加入者回路３００のうち、メッセージウェイティング信号（ＭＷ）用共通断続制御回路（ＭＷ  ＣＯＭ  ＩＮＴ）１１２当たりの出力容量見合で複式に接続されている。
【０３６９】
複数の加入者回路３００を複式に接続し、分配される構成になっている。
【０３７０】
呼出信号（ＲＧ）およびメッセージウェイティング信号（ＭＷ）の波形および送出状態は図１６のタイムチャートにより送出される。
【０３７１】
図１６（ａ）に示されるのが呼出信号（ＲＧ）で、図１６（ｂ）に示されるものがメッセージウェイティング信号（ＭＷ）のものである。
【０３７２】
加入者回路３００は呼出信号（ＲＧ）またはメッセージウェイティング信号（ＭＷ）の送出を切り替えるための切り替え回路（ＴＲＦ）６を備えている。
【０３７３】
切り替え回路（ＴＲＦ）６は、ボタン電話装置または電話交換機１００からの制御により、呼出信号（ＲＧ）送出の場合は、切り替え回路（ＴＲＦ）６に対して１６Ｈｚに変調された正弦波を１秒送出２秒断の３秒周期で断続出力を行うよう制御する。
【０３７４】
また、メッセージウェイティング信号（ＭＷ）送出時には１秒オン１秒断の２秒周期での断続出力を行うよう制御する。
【０３７５】
この切り替えは、切り替え回路（ＴＲＦ）６の切り替えリレーＴ（図示されてない）の接点ｔにより切り替える。
【０３７６】
本発明の実施の形態ではリレーＴが不動作の場合は、ボタン電話装置または電話交換機１００の呼出信号用共通変調回路（ＲＧ  ＣＯＭ  ＭＯＤ）１２１から供給された呼出信号（ＲＧ）が切り替え回路（ＴＲＦ）６により切り替えられる。
【０３７７】
ｔ接点のブレーク側を通りリングトリップ回路（ＲＴ）３、加入者電話機インターフェース回路（ＳＬＴ  Ｉ／Ｆ）４を経て加入者回線のＲｉｎｇ線から加入者電話機（ＳＬＴ）２００に送出される。
【０３７８】
また、メッセージウェイティング信号（ＭＷ）の送出の場合は、本発明の実施の形態では切り替え回路（ＴＲＦ）６のリレーＴが動作状態にボタン電話装置または電話交換機１００から指示された場合で、ボタン電話装置または電話交換機１００のメッセージウェイティング信号（ＭＷ）用共通断続制御回路（ＭＷ  ＣＯＭ  ＩＮＴ）１１２から供給されたメッセージウェイティング信号（ＭＷ）が切り替え回路（ＴＲＦ）６により切り替えられる。
【０３７９】
ｔ接点のメーク側を通りリングトリップ回路（ＲＴ）３、加入者電話機インターフェース回路（ＳＬＴ  Ｉ／Ｆ）４を経て加入者回線のＲｉｎｇ線から加入者電話機（ＳＬＴ）２００に送出される。
【０３８０】
呼出信号（ＲＧ）またはメッセージウェイティング信号（ＭＷ）は、それぞれの送出送出時、切り替え回路（ＴＲＦ）６から加入者回線のＲｉｎｇ線に送出される。
【０３８１】
加入者電話機（ＳＬＴ）２００の応答によるオフフックによるループを検出するリングトリップ回路（ＲＴ）３を経て加入者電話機インターフェース回路（ＳＬＴ  Ｉ／Ｆ）４から加入者回線のＲｉｎｇ線に送出される。
【０３８２】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０３８３】
加入者電話機インターフェース回路（ＳＬＴ  Ｉ／Ｆ）４を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０３８４】
ここで、リングトリップ回路（ＲＴ）３を加入者電話機インターフェース回路（ＳＬＴ  Ｉ／Ｆ）４の外に設けた実施の形態で説明したがリングトリップ回路（ＲＴ）３を加入者電話機インターフェース回路（ＳＬＴ  Ｉ／Ｆ）４の内部に設けたもので加入者電話機（ＳＬＴ）２００が呼出信号（ＲＧ）またはメッセージウェイティング信号（ＭＷ）に応答したことを検出してもよい。
【０３８５】
加入者電話機インターフェース回路（ＳＬＴ  Ｉ／Ｆ）４は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０３８６】
以上のような機能を持つ、図６に示す加入者回路３００は加入者電話機インターフェース回路（ＳＬＴ  Ｉ／Ｆ）４、切り替え回路（ＴＲＦ）６、およびリングトリップ回路（ＲＴ）３から構成されている。
【０３８７】
そして、プリント基板に実装されて加入者回路３００を構成し、図７に示すように、ボタン電話装置または電話交換機１００に複数搭載されている。
【０３８８】
加入者回路３００はボタン電話装置または電話交換機１００に収容される少なくとも加入者電話機（ＳＬＴ）２００以上の加入者回路３００を構成する加入者回路３００のプリント基板を実装している。
【０３８９】
ボタン電話装置または電話交換機１００を構成する装置としては加入者回路３００のプリント基板の量が多く、実装、コストの面で重要なウェートを占めている。
【０３９０】
以上のことから、いかに加入者回路３００の回路構成を縮小し、実装面積を少なくし、コストを削減するかが重要な目的となる。
【０３９１】
次に、本発明の第４の実施の形態の動作について、図７および図６を参照して詳細に説明する。
【０３９２】
ボタン電話装置または電話交換機１００本体に設けられた共通直流電圧発生回路（ＣＯＭ  ＤＣＰＷ）１０５から、呼出信号用およびメッセージウェイティング信号用の電圧源となる共通直流電圧を発生する。
【０３９３】
呼出信号用共通変調回路（ＲＧ  ＣＯＭ  ＭＯＤ）１２１は、共通直流電圧発生回路（ＣＯＭ  ＤＣＰＷ）１０５からの９０Ｖ直流電圧を、呼出信号用共通断続制御回路（ＲＧ  ＣＯＭ  ＩＮＴ）１２２からの制御により任意の周波数での正弦波への変調する。
【０３９４】
又は任意の周期での断続を行う。
【０３９５】
呼出信号用共通断続制御回路（ＲＧ  ＣＯＭ  ＩＮＴ）１２２は、ボタン電話装置または電話交換機１００からの制御により、呼出信号用共通変調回路（ＲＧ  ＣＯＭ  ＭＯＤ）１２１に対して１６Ｈｚに変調された正弦波を１秒送出２秒断の３秒周期での断続出力を行うよう制御している。
【０３９６】
呼出信号用共通変調回路（ＲＧ  ＣＯＭ  ＭＯＤ）１２１から送出される呼出信号は、ボタン電話装置または電話交換機１００に搭載されている加入者回路３００に分配される。
【０３９７】
呼出信号の分配はボタン電話装置または電話交換機１００に搭載されている加入者回路３００のうち、呼出信号用共通変調回路（ＲＧ  ＣＯＭ  ＭＯＤ）１２１当たりの出力容量見合で複式に接続されている。
【０３９８】
複数の加入者回路３００を複式に接続し、分配される構成になっている。
【０３９９】
また、ボタン電話装置または電話交換機１００本体に設けられた共通直流電圧発生回路（ＣＯＭ  ＤＣＰＷ）１０５から、メッセージウェイティング信号（ＭＷ）用の電圧源となる共通直流電圧も呼出信号用の電圧源となる共通直流電圧と共用化して発生される。
【０４００】
メッセージウェイティング信号（ＭＷ）用共通断続制御回路（ＭＷ  ＣＯＭ  ＩＮＴ）１１２は、共通直流電圧発生回路（ＣＯＭ  ＤＣＰＷ）１０５からの９０Ｖ直流電圧を任意の周期での断続を行う機能を有している。
【０４０１】
１秒オン１秒断の２秒周期での断続出力を行うよう制御している。
【０４０２】
メッセージウェイティング信号（ＭＷ）用共通断続制御回路（ＭＷ  ＣＯＭ  ＩＮＴ）１１２から送出されるメッセージウェイティング信号（ＭＷ）は、ボタン電話装置または電話交換機１００に搭載されている加入者回路３００に分配される。
【０４０３】
メッセージウェイティング信号（ＭＷ）の分配はボタン電話装置または電話交換機１００に搭載されている加入者回路３００のうち、メッセージウェイティング信号（ＭＷ）用共通断続制御回路（ＭＷ  ＣＯＭ  ＩＮＴ）１１２当たりの出力容量見合で複式に接続されている。
【０４０４】
複数の加入者回路３００を複式に接続し、分配される構成になっている。
【０４０５】
呼出信号（ＲＧ）およびメッセージウェイティング信号（ＭＷ）の波形および送出状態は図１６のタイムチャートにより送出される。
【０４０６】
図１６（ａ）に示されるのが呼出信号（ＲＧ）で、図１６（ｂ）に示されるものがメッセージウェイティング信号（ＭＷ）のものである。
【０４０７】
加入者回路３００は呼出信号（ＲＧ）またはメッセージウェイティング信号（ＭＷ）の送出を切り替えるための切り替え回路（ＴＲＦ）６を備えている。
【０４０８】
切り替え回路（ＴＲＦ）６は、ボタン電話装置または電話交換機１００からの制御により、呼出信号（ＲＧ）送出の場合は、切り替え回路（ＴＲＦ）６に対して１６Ｈｚに変調された正弦波を１秒送出２秒断の３秒周期で断続出力を行うよう制御する。
【０４０９】
また、メッセージウェイティング信号（ＭＷ）送出時には１秒オン１秒断の２秒周期での断続出力を行うよう制御する。
【０４１０】
この切り替えは、切り替え回路（ＴＲＦ）６の切り替えリレーＴ（図示されてない）の接点ｔにより切り替える。
【０４１１】
本発明の実施の形態ではリレーＴが不動作の場合は、ボタン電話装置または電話交換機１００の呼出信号用共通変調回路（ＲＧ  ＣＯＭ  ＭＯＤ）１２１から供給された呼出信号（ＲＧ）が切り替え回路（ＴＲＦ）６により切り替えられる。
【０４１２】
ｔ接点のブレーク側を通りリングトリップ回路（ＲＴ）３、加入者電話機インターフェース回路（ＳＬＴ  Ｉ／Ｆ）４を経て加入者回線のＲｉｎｇ線から加入者電話機（ＳＬＴ）２００に送出される。
【０４１３】
また、メッセージウェイティング信号（ＭＷ）の送出の場合は、本発明の実施の形態では切り替え回路（ＴＲＦ）６のリレーＴが動作状態にボタン電話装置または電話交換機１００から指示された場合で、ボタン電話装置または電話交換機１００のメッセージウェイティング信号（ＭＷ）用共通断続制御回路（ＭＷ  ＣＯＭ  ＩＮＴ）１１２から供給されたメッセージウェイティング信号（ＭＷ）が切り替え回路（ＴＲＦ）６により切り替えられる。
【０４１４】
ｔ接点のメーク側を通りリングトリップ回路（ＲＴ）３、加入者電話機インターフェース回路（ＳＬＴ  Ｉ／Ｆ）４を経て加入者回線のＲｉｎｇ線から加入者電話機（ＳＬＴ）２００に送出される。
【０４１５】
呼出信号（ＲＧ）またはメッセージウェイティング信号（ＭＷ）は、それぞれの送出送出時、切り替え回路（ＴＲＦ）６から加入者回線のＲｉｎｇ線に送出される。
【０４１６】
加入者電話機（ＳＬＴ）２００の応答によるオフフックによるループを検出するリングトリップ回路（ＲＴ）３を経て加入者電話機インターフェース回路（ＳＬＴ  Ｉ／Ｆ）４から加入者回線のＲｉｎｇ線に送出される。
【０４１７】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０４１８】
加入者電話機インターフェース回路（ＳＬＴ  Ｉ／Ｆ）４を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０４１９】
ここで、リングトリップ回路（ＲＴ）３を加入者電話機インターフェース回路（ＳＬＴ  Ｉ／Ｆ）４の外に設けた実施の形態で説明した。
【０４２０】
しかし、リングトリップ回路（ＲＴ）３を加入者電話機インターフェース回路（ＳＬＴ  Ｉ／Ｆ）４の内部に設けたもので加入者電話機（ＳＬＴ）２００が呼出信号（ＲＧ）またはメッセージウェイティング信号（ＭＷ）に応答したことを検出してもよい。
【０４２１】
加入者電話機インターフェース回路（ＳＬＴ  Ｉ／Ｆ）４は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０４２２】
以上のような機能を持つ、図６に示す加入者回路３００の加入者電話機インターフェース回路（ＳＬＴ  Ｉ／Ｆ）４、切り替え回路（ＴＲＦ）６、およびリングトリップ回路（ＲＴ）３はプリント基板に実装されて加入者回路３００を構成し、図７に示すように、ボタン電話装置または電話交換機１００に複数搭載されている。
【０４２３】
加入者回路３００はボタン電話装置または電話交換機１００に収容される少なくとも加入者電話機（ＳＬＴ）２００以上の加入者回路３００を構成する加入者回路３００のプリント基板を実装している。
【０４２４】
ボタン電話装置または電話交換機１００を構成する装置としては加入者回路３００のプリント基板の量が多く、実装、コストの面で重要なウェートを占めている。
【０４２５】
以上のことから、いかに加入者回路３００の回路構成を縮小し、実装面積を少なくし、コストを削減するかが重要な目的となる。
【０４２６】
本発明の第４の実施の形態においても、本発明の第１の実施の形態における直流電圧発生回路５、および本発明の第２の実施の形態における変調回路１および断続制御回路２を数量の多い加入者回路３００から削除した点で、加入者回路３００を構成するプリント基板上の実装面積を縮小し、コスト削減が本発明の第１の実施の形態および本発明の第２の実施の形態よりさらに図られる。
【０４２７】
また、本発明の第４の実施の形態においては、ボタン電話装置または電話交換機１００内で、第３の実施の形態の呼出信号用共通直流電圧発生回路（ＲＧ  ＣＯＭ  ＤＣＰＷ）１２５およびメッセージウェイティング信号（ＭＷ）用共通直流電圧発生回路（ＭＷ  ＣＯＭ  ＤＣＰＷ）１１５を共通化し、共通直流電圧発生回路（ＣＯＭ  ＤＣＰＷ）１０５から呼出信号（ＲＧ）用およびメッセージウェイティング信号（ＭＷ）用の電圧源となる共通直流電圧を発生するように構成したことから本発明の第３の実施の形態よりコストを削減がボタン電話装置または電話交換機１００としてさらに図られる。
【０４２８】
以上本発明の第１の実施の形態から本発明の第４の実施の形態はボタン電話装置または電話交換機１００がデジタル電話交換を行う場合の実施の形態で行われ、図１、図３、図５、および図７に示すように、ボタン電話装置または電話交換機１００の通話路スイッチ４００が時分割タイムスッチで構成された場合に、呼出信号（ＲＧ）およびメッセージウェイティング信号（ＭＷ）を送出するのに、加入者回路３００の回路構成を縮小し、実装面積を少なくし、コストを削減するのに効果的である。
【０４２９】
理由としては、呼出信号（ＲＧ）およびメッセージウェイティング信号（ＭＷ）のような高電圧で構成される信号は時分割タイムスッチを通すことができなく、加入者回路２００から送出するのが効果的であるからである。
【０４３０】
次に、ボタン電話装置または電話交換機１００の通話路スイッチ４００が空間分割スペーススッチを使用するアナログ電話交換を行う場合の発明の実施の形態について図面を参照して説明する。
【０４３１】
まず、本発明の第５の実施の形態について、図８および図９を参照して説明する。
【０４３２】
図８は本発明の第５の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す空間分割型通話路スイッチを用いたボタン電話装置または電話交換機の構成図である。
【０４３３】
図９は本発明の第５の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す着信トランク回路の構成図である。
【０４３４】
まず、第５の実施の形態の各構成の説明から行う。
【０４３５】
着信トランク回路（ＩＣＴ）５００は、ボタン電話装置または電話交換機１００本体に実装され、一方の通話線Ａ線およびＢ線は電話局等の外線から接続される。
【０４３６】
また片方の通話線Ｒｉｎｇ線およびＴｉｐ線はボタン電話装置または電話交換機１００の通話路スイッチ（空間分割スペーススイッチ）４００に接続される。
【０４３７】
加入者回路３００を経て、加入者回線を通して加入者電話機（ＳＬＴ）２００へ接続されている。
【０４３８】
着信トランク回路（ＩＣＴ）５００の直流電圧発生回路（ＤＣＰＷ）５は、ボタン電話装置または電話交換機１００本体電源からの電圧を９０Ｖに昇圧する機能を有する。
【０４３９】
変調回路（ＭＯＤ）１は、直流電圧発生回路（ＤＣＰＷ）５からの９０Ｖ直流電圧を、断続制御回路（ＩＮＴ）２からの制御により任意の周波数での正弦波への変調する。
【０４４０】
又は任意の周期での断続を行う。
【０４４１】
断続制御回路（ＩＮＴ）２は、ボタン電話装置または電話交換機１００からの制御により、呼出信号（ＲＧ）送出の場合は、変調回路（ＭＯＤ）１に対して１６Ｈｚに変調された正弦波を１秒送出２秒断の３秒周期で断続出力を行うよう制御する。
【０４４２】
また、メッセージウェイティング信号（ＭＷ）送出時には１秒オン１秒断の２秒周期での断続出力を行うよう制御する。
【０４４３】
呼出信号（ＲＧ）およびメッセージウェイティング信号（ＭＷ）の波形および送出状態は図１６のタイムチャートにより送出される。
【０４４４】
図１６（ａ）に示されるのが呼出信号（ＲＧ）で、図１６（ｂ）に示されるものがメッセージウェイティング信号（ＭＷ）のものである。
【０４４５】
呼出信号（ＲＧ）またはメッセージウェイティング信号（ＭＷ）は、それぞれの送出送出時、変調回路（ＭＯＤ）１から加入者回路３００を経て加入者回線のＲｉｎｇ線に送出される。
【０４４６】
加入者電話機（ＳＬＴ）２００の応答によるオフフックによるループを検出するリングトリップ回路（ＲＴ）３を経てトランク通話回路（ＴＲＫＣＣＴ）７から通話路スイッチ４００そして加入者回路３００を経て加入者回線のＲｉｎｇ線に送出される。
【０４４７】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０４４８】
トランク通話回路（ＴＲＫＣＣＴ）７を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０４４９】
ここで、リングトリップ回路（ＲＴ）３をトランク通話回路（ＴＲＫＣＣＴ）７の外に設けた実施の形態で説明したがリングトリップ回路（ＲＴ）３をトランク通話回路（ＴＲＫＣＣＴ）７の内に設けたもので加入者電話機（ＳＬＴ）２００が呼出信号（ＲＧ）またはメッセージウェイティング信号（ＭＷ）に応答したことを検出してもよい。
【０４５０】
トランク通話回路（ＴＲＫＣＣＴ）７は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０４５１】
以上のような機能を持つ、図９に示す着信トランク回路（ＩＣＴ）５００のトランク通話回路（ＴＲＫＣＣＴ）７、直流電圧発生回路（ＤＣＰＷ）５、変調回路（ＭＯＤ）１、断続制御回路（ＩＮＴ）２、およびリングトリップ回路（ＲＴ）３からこうせいされている。
【０４５２】
プリント基板に実装されて着信トランク回路（ＩＣＴ）５００を構成し、図８に示すように、ボタン電話装置または電話交換機１００に複数搭載されている。
【０４５３】
ボタン電話装置または電話交換機１００を構成する装置としては着信トランク回路（ＩＣＴ）５００のプリント基板の量が多く、実装、コストの面で重要なウェートを占めている。
【０４５４】
以上のことから、いかに着信トランク回路（ＩＣＴ）５００の回路構成を縮小し、実装面積を少なくし、コストを削減するかが重要な目的となる。
【０４５５】
次に、本発明の第５の実施の形態の動作について、図８および図９を参照して詳細に説明する。
【０４５６】
まず、着信トランク回路（ＩＣＴ）５００の直流電圧発生回路（ＤＣＰＷ）５は、ボタン電話装置または電話交換機１００本体電源からの電圧を９０Ｖに昇圧する機能を有する。
【０４５７】
変調回路（ＭＯＤ）１は、直流電圧発生回路（ＤＣＰＷ）５からの９０Ｖ直流電圧を、断続制御回路（ＩＮＴ）２からの制御により任意の周波数での正弦波への変調する。
【０４５８】
又は任意の周期での断続を行う。
【０４５９】
変調回路（ＭＯＤ）１から発生する波形および断続状態は図１６の波形とタイムチャートに示す通りである。
【０４６０】
断続制御回路（ＩＮＴ）２は、ボタン電話装置または電話交換機１００からの制御により、呼出信号（ＲＧ）送出の場合は、変調回路（ＭＯＤ）１に対して１６Ｈｚに変調された正弦波を１秒送出２秒断の３秒周期で断続出力を行うよう制御する。
【０４６１】
また、メッセージウェイティング信号（ＭＷ）送出時には１秒オン１秒断の２秒周期での断続出力を行うよう制御する。
【０４６２】
呼出信号（ＲＧ）およびメッセージウェイティング信号（ＭＷ）の波形および送出状態は図１６のタイムチャートにより送出される。
【０４６３】
図１６（ａ）に示されるのが呼出信号（ＲＧ）で、図１６（ｂ）に示されるものがメッセージウェイティング信号（ＭＷ）のものである。
【０４６４】
呼出信号（ＲＧ）またはメッセージウェイティング信号（ＭＷ）は、それぞれの送出送出時、変調回路（ＭＯＤ）１から加入者回路３００を経て加入者回線のＲｉｎｇ線に送出される。
【０４６５】
加入者電話機（ＳＬＴ）２００の応答によるオフフックによるループを検出するリングトリップ回路（ＲＴ）３を経てトランク通話回路（ＴＲＫＣＣＴ）７から通話路スイッチ４００そして加入者回路３００を経て加入者回線のＲｉｎｇ線に送出される。
【０４６６】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０４６７】
トランク通話回路（ＴＲＫＣＣＴ）７を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０４６８】
リングトリップ回路（ＲＴ）３が加入者電話機（ＳＬＴ）２００が呼出信号（ＲＧ）またはメッセージウェイティング信号（ＭＷ）に応答したことを検出したことにより、着信トランク回路（ＩＣＴ）５００は、呼出信号（ＲＧ）またはメッセージウェイティング信号（ＭＷ）の送出を停止する。
【０４６９】
以後の通話をトランク通話回路（ＴＲＫＣＣＴ）７から保持し、監視するようになる。
【０４７０】
ここで、リングトリップ回路（ＲＴ）３をトランク通話回路（ＴＲＫＣＣＴ）７の外部に設けた実施の形態で説明した。
【０４７１】
しかし、リングトリップ回路（ＲＴ）３をトランク通話回路（ＴＲＫＣＣＴ）７の内部に設けたもので加入者電話機（ＳＬＴ）２００が呼出信号（ＲＧ）またはメッセージウェイティング信号（ＭＷ）に応答したことを検出してもよい。
【０４７２】
トランク通話回路（ＴＲＫＣＣＴ）７は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０４７３】
以上のような機能を持つ、図９に示す着信トランク回路（ＩＣＴ）５００はトランク通話回路（ＴＲＫＣＣＴ）７、直流電圧発生回路（ＤＣＰＷ）５、変調回路（ＭＯＤ）１、断続制御回路（ＩＮＴ）２、およびリングトリップ回路（ＲＴ）３から構成されている。
【０４７４】
プリント基板に実装されて着信トランク回路（ＩＣＴ）５００を構成し、図８に示すように、ボタン電話装置または電話交換機１００に複数搭載されている。
【０４７５】
ボタン電話装置または電話交換機１００を構成する装置としては着信トランク回路（ＩＣＴ）５００のプリント基板の量が多く、実装、コストの面で重要なウェートを占めている。
【０４７６】
以上のことから、いかに着信トランク回路（ＩＣＴ）５００の回路構成を縮小し、実装面積を少なくし、コストを削減するかが重要な目的となる。
【０４７７】
本発明の第５の実施の形態においては、呼出信号発生回路とメッセージウェティング発生回路を共通化することで、数量の多い着信トランク回路（ＩＣＴ）５００を構成するプリント基板上の実装面積を縮小し、コスト削減が図られる。
【０４７８】
次に、本発明の第６の実施の形態について、図１０および図１１を参照して説明する。
【０４７９】
図１０は本発明の第６の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す直流電圧発生回路を共通化した空間分割型通話路スイッチを用いたボタン電話装置または電話交換機の構成図である。
【０４８０】
図１１は本発明の第６の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す直流電圧発生回路を外部に置いた着信トランク回路の構成図である。
【０４８１】
まず、第６の実施の形態の各構成の説明から行う。
【０４８２】
着信トランク回路（ＩＣＴ）５００は、ボタン電話装置または電話交換機１００本体に実装され、一方の通話線Ａ線およびＢ線は電話局等の外線から接続され、また片方の通話線Ｒｉｎｇ線およびＴｉｐ線はボタン電話装置または電話交換機１００の通話路スイッチ（空間分割スペーススイッチ）４００に接続され、加入者回路３００を経て、加入者回線を通して加入者電話機（ＳＬＴ）２００へ接続されている。
【０４８３】
着信トランク回路（ＩＣＴ）５００は、ボタン電話装置または電話交換機１００本体電源に設けられた共通直流電圧発生回路（ＣＯＭ  ＤＣＰＷ）１０５から、呼出信号送出およびメッセージウェイティング信号送出のための共通直流電圧発生源となる電圧源を得る。
【０４８４】
共通直流電圧発生回路（ＣＯＭ  ＤＣＰＷ）１０５からの電圧源の分配はボタン電話装置または電話交換機１００に搭載されている着信トランク回路（ＩＣＴ）５００のうち、共通直流電圧発生回路（ＣＯＭ  ＤＣＰＷ）１０５当たりの出力容量見合で複式に接続される。
【０４８５】
複数の着信トランク回路（ＩＣＴ）５００を複式に接続し、分配される構成になっている。
【０４８６】
変調回路（ＭＯＤ）１は、共通直流電圧発生回路（ＣＯＭ  ＤＣＰＷ）１０５からの９０Ｖ直流電圧を、断続制御回路（ＩＮＴ）２からの制御により任意の周波数での正弦波への変調する。
【０４８７】
又は任意の周期での断続を行う。
【０４８８】
断続制御回路（ＩＮＴ）２は、ボタン電話装置または電話交換機１００からの制御により、呼出信号（ＲＧ）送出の場合は、変調回路（ＭＯＤ）１に対して１６Ｈｚに変調された正弦波を１秒送出２秒断の３秒周期で断続出力を行うよう制御する。
【０４８９】
また、メッセージウェイティング信号（ＭＷ）送出時には１秒オン１秒断の２秒周期での断続出力を行うよう制御する。
【０４９０】
呼出信号（ＲＧ）およびメッセージウェイティング信号（ＭＷ）の波形および送出状態は図１６のタイムチャートにより送出される。
【０４９１】
図１６（ａ）に示されるのが呼出信号（ＲＧ）で、図１６（ｂ）に示されるものがメッセージウェイティング信号（ＭＷ）のものである。
【０４９２】
呼出信号（ＲＧ）またはメッセージウェイティング信号（ＭＷ）は、それぞれの送出送出時、変調回路（ＭＯＤ）１から加入者回路３００を経て加入者回線のＲｉｎｇ線に送出される。
【０４９３】
加入者電話機（ＳＬＴ）２００の応答によるオフフックによるループを検出するリングトリップ回路（ＲＴ）３を経てトランク通話回路（ＴＲＫＣＣＴ）７から通話路スイッチ４００そして加入者回路３００を経て加入者回線のＲｉｎｇ線に送出される。
【０４９４】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０４９５】
トランク通話回路（ＴＲＫＣＣＴ）７を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０４９６】
ここで、リングトリップ回路（ＲＴ）３をトランク通話回路（ＴＲＫＣＣＴ）７の外に設けた実施の形態で説明した。
【０４９７】
しかし、リングトリップ回路（ＲＴ）３をトランク通話回路（ＴＲＫＣＣＴ）７の内に設けたもので加入者電話機（ＳＬＴ）２００が呼出信号（ＲＧ）またはメッセージウェイティング信号（ＭＷ）に応答したことを検出してもよい。
【０４９８】
トランク通話回路（ＴＲＫＣＣＴ）７は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０４９９】
以上のような機能を持つ、図１１に示す着信トランク回路（ＩＣＴ）５００はトランク通話回路（ＴＲＫＣＣＴ）７、変調回路（ＭＯＤ）１、断続制御回路（ＩＮＴ）２、およびリングトリップ回路（ＲＴ）３から構成されている。
【０５００】
プリント基板に実装されて着信トランク回路（ＩＣＴ）５００を構成し、図１０に示すように、ボタン電話装置または電話交換機１００に複数搭載されている。
【０５０１】
ボタン電話装置または電話交換機１００を構成する装置としては着信トランク回路（ＩＣＴ）５００のプリント基板の量が多く、実装、コストの面で重要なウェートを占めている。
【０５０２】
以上のことから、いかに着信トランク回路（ＩＣＴ）５００の回路構成を縮小し、実装面積を少なくし、コストを削減するかが重要な目的となる。
【０５０３】
次に、本発明の第６の実施の形態の動作について、図１０および図１１を参照して詳細に説明する。
【０５０４】
着信トランク回路（ＩＣＴ）５００は、ボタン電話装置または電話交換機１００本体電源に設けられた共通直流電圧発生回路（ＣＯＭ  ＤＣＰＷ）１０５から、呼出信号送出およびメッセージウェイティング信号送出のための共通直流電圧発生源となる電圧源を得る。
【０５０５】
共通直流電圧発生回路（ＣＯＭ  ＤＣＰＷ）１０５からの電圧源の分配はボタン電話装置または電話交換機１００に搭載されている着信トランク回路（ＩＣＴ）５００のうち、共通直流電圧発生回路（ＣＯＭ  ＤＣＰＷ）１０５当たりの出力容量見合で複式に接続される。
【０５０６】
複数の着信トランク回路（ＩＣＴ）５００を複式に接続し、分配される構成になっている。
【０５０７】
変調回路（ＭＯＤ）１は、共通直流電圧発生回路（ＣＯＭ  ＤＣＰＷ）１０５からの９０Ｖ直流電圧を、断続制御回路（ＩＮＴ）２からの制御により任意の周波数での正弦波への変調、又は任意の周期での断続を行う。
【０５０８】
断続制御回路（ＩＮＴ）２は、ボタン電話装置または電話交換機１００からの制御により、呼出信号（ＲＧ）送出の場合は、変調回路（ＭＯＤ）１に対して１６Ｈｚに変調された正弦波を１秒送出２秒断の３秒周期で断続出力を行うよう制御する。
【０５０９】
また、メッセージウェイティング信号（ＭＷ）送出時には１秒オン１秒断の２秒周期での断続出力を行うよう制御する。
【０５１０】
呼出信号（ＲＧ）およびメッセージウェイティング信号（ＭＷ）の波形および送出状態は図１６のタイムチャートにより送出される。
【０５１１】
図１６（ａ）に示されるのが呼出信号（ＲＧ）で、図１６（ｂ）に示されるものがメッセージウェイティング信号（ＭＷ）のものである。
【０５１２】
呼出信号（ＲＧ）またはメッセージウェイティング信号（ＭＷ）は、それぞれの送出送出時、変調回路（ＭＯＤ）１から加入者回路３００を経て加入者回線のＲｉｎｇ線に送出される。
【０５１３】
加入者電話機（ＳＬＴ）２００の応答によるオフフックによるループを検出するリングトリップ回路（ＲＴ）３を経てトランク通話回路（ＴＲＫＣＣＴ）７から通話路スイッチ４００そして加入者回路３００を経て加入者回線のＲｉｎｇ線に送出される。
【０５１４】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０５１５】
トランク通話回路（ＴＲＫＣＣＴ）７を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０５１６】
リングトリップ回路（ＲＴ）３が加入者電話機（ＳＬＴ）２００が呼出信号（ＲＧ）またはメッセージウェイティング信号（ＭＷ）に応答したことを検出したことにより、着信トランク回路（ＩＣＴ）５００は、呼出信号（ＲＧ）またはメッセージウェイティング信号（ＭＷ）の送出を停止する。
【０５１７】
以後の通話をトランク通話回路（ＴＲＫＣＣＴ）７から保持し、監視するようになる。
【０５１８】
ここで、リングトリップ回路（ＲＴ）３をトランク通話回路（ＴＲＫＣＣＴ）７の外部に設けた実施の形態で説明した。
【０５１９】
しかし、リングトリップ回路（ＲＴ）３をトランク通話回路（ＴＲＫＣＣＴ）７の内部に設けたもので加入者電話機（ＳＬＴ）２００が呼出信号（ＲＧ）またはメッセージウェイティング信号（ＭＷ）に応答したことを検出してもよい。
【０５２０】
トランク通話回路（ＴＲＫＣＣＴ）７は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０５２１】
以上のような機能を持つ、図１１に示す着信トランク回路（ＩＣＴ）５００はトランク通話回路（ＴＲＫＣＣＴ）７、変調回路（ＭＯＤ）１、断続制御回路（ＩＮＴ）２、およびリングトリップ回路（ＲＴ）３から構成されている。
【０５２２】
プリント基板に実装されて着信トランク回路（ＩＣＴ）５００を構成し、図１０に示すように、ボタン電話装置または電話交換機１００に複数搭載されている。
【０５２３】
ボタン電話装置または電話交換機１００を構成する装置としては着信トランク回路（ＩＣＴ）５００のプリント基板の量が多く、実装、コストの面で重要なウェートを占めている。
【０５２４】
以上のことから、いかに着信トランク回路（ＩＣＴ）５００の回路構成を縮小し、実装面積を少なくし、コストを削減するかが重要な目的となる。
【０５２５】
本発明の第６の実施の形態においては、本発明の第５の実施の形態における直流電圧発生回路５を数量の多い着信トランク回路（ＩＣＴ）５００から削除した点で、着信トランク回路（ＩＣＴ）５００を構成するプリント基板上の実装面積を縮小し、コスト削減が本発明の第５の実施の形態に比べて、さらに図られる。
【０５２６】
さらにボタン電話装置または電話交換機１００全体から見れば、直流電圧発生回路５を数量の多い着信トランク回路（ＩＣＴ）５００から削除し、ボタン電話装置または電話交換機１００に共通化して共通直流電圧発生回路（ＣＯＭ  ＤＣＰＷ）１０５から、呼出信号送出およびメッセージウェイティング信号送出のための共通直流電圧発生源を備えたことは、ボタン電話装置または電話交換機１００全体のコスト削減となる。
【０５２７】
次に、本発明の第７の実施の形態について、図１２および図１３を参照して説明する。
【０５２８】
図１２は本発明の第７の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す呼出信号およびメッセージウェイティング信号発生回路を共通に持つ空間分割型通話路スイッチを用いたボタン電話装置または電話交換機の構成図である。
【０５２９】
図１３は本発明の第７および第８の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す呼出信号およびメッセージウェイティング信号発生回路を外部に置いた着信トランク回路の構成図である。
【０５３０】
まず、第７の実施の形態の各構成の説明から行う。
【０５３１】
着信トランク回路（ＩＣＴ）５００は、ボタン電話装置または電話交換機１００本体に実装され、一方の通話線Ａ線およびＢ線は電話局等の外線から接続される。
【０５３２】
また片方の通話線Ｒｉｎｇ線およびＴｉｐ線はボタン電話装置または電話交換機１００の通話路スイッチ（空間分割スペーススイッチ）４００に接続される。
【０５３３】
加入者回路３００を経て、加入者回線を通して加入者電話機（ＳＬＴ）２００へ接続されている。
【０５３４】
ボタン電話装置または電話交換機１００本体に設けられた呼出信号用共通直流電圧発生回路（ＲＧ  ＣＯＭ  ＤＣＰＷ）１２５から、呼出信号用の電圧源となる共通直流電圧を発生する。
【０５３５】
呼出信号用共通変調回路（ＲＧ  ＣＯＭ  ＭＯＤ）１２１は、呼出信号用共通直流電圧発生回路（ＲＧ  ＣＯＭ  ＤＣＰＷ）１２５からの９０Ｖ直流電圧を、呼出信号用共通断続制御回路（ＲＧ  ＣＯＭ  ＩＮＴ）１２２からの制御により任意の周波数での正弦波への変調する。
【０５３６】
又は任意の周期での断続を行う。
【０５３７】
呼出信号用共通断続制御回路（ＲＧ  ＣＯＭ  ＩＮＴ）１２２は、ボタン電話装置または電話交換機１００からの制御により、呼出信号用共通変調回路（ＲＧ  ＣＯＭ  ＭＯＤ）１２１に対して１６Ｈｚに変調された正弦波を１秒送出２秒断の３秒周期での断続出力を行うよう制御している。
【０５３８】
呼出信号用共通変調回路（ＲＧ  ＣＯＭ  ＭＯＤ）１２１から送出される呼出信号は、ボタン電話装置または電話交換機１００に搭載されている着信トランク回路（ＩＣＴ）５００に分配される。
【０５３９】
呼出信号の分配はボタン電話装置または電話交換機１００に搭載されている着信トランク回路（ＩＣＴ）５００のうち、呼出信号用共通変調回路（ＲＧ  ＣＯＭ  ＭＯＤ）１２１当たりの出力容量見合で複式に接続している。
【０５４０】
複数の着信トランク回路（ＩＣＴ）５００を複式に接続し、分配される構成になっている。
【０５４１】
また、ボタン電話装置または電話交換機１００本体に設けられたメッセージウェイティング信号（ＭＷ）用共通直流電圧発生回路（ＭＷ  ＣＯＭ  ＤＣＰＷ）１１５から、メッセージウェイティング信号（ＭＷ）用の電圧源となる共通直流電圧を発生する。
【０５４２】
メッセージウェイティング信号（ＭＷ）用共通断続制御回路（ＭＷ  ＣＯＭ  ＩＮＴ）１１２は、メッセージウェイティング信号（ＭＷ）用共通直流電圧発生回路（ＭＷ  ＣＯＭ  ＤＣＰＷ）１１５からの９０Ｖ直流電圧を任意の周期での断続を行う機能を有している。
【０５４３】
１秒オン１秒断の２秒周期での断続出力を行うよう制御している。
【０５４４】
メッセージウェイティング信号（ＭＷ）用共通断続制御回路（ＭＷ  ＣＯＭ  ＩＮＴ）１１２から送出されるメッセージウェイティング信号（ＭＷ）は、ボタン電話装置または電話交換機１００に搭載されている着信トランク回路（ＩＣＴ）５００に分配される。
【０５４５】
メッセージウェイティング信号（ＭＷ）の分配はボタン電話装置または電話交換機１００に搭載されている着信トランク回路（ＩＣＴ）５００のうち、メッセージウェイティング信号（ＭＷ）用共通断続制御回路（ＭＷ  ＣＯＭ  ＩＮＴ）１１２当たりの出力容量見合で複式に接続している。
【０５４６】
複数の着信トランク回路（ＩＣＴ）５００を複式に接続し、分配される構成になっている。
【０５４７】
呼出信号（ＲＧ）およびメッセージウェイティング信号（ＭＷ）の波形および送出状態は図１６のタイムチャートにより送出される。
【０５４８】
図１６（ａ）に示されるのが呼出信号（ＲＧ）で、図１６（ｂ）に示されるものがメッセージウェイティング信号（ＭＷ）のものである。
【０５４９】
着信トランク回路（ＩＣＴ）５００は呼出信号（ＲＧ）またはメッセージウェイティング信号（ＭＷ）の送出を切り替えるための切り替え回路（ＴＲＦ）６を備えている。
【０５５０】
切り替え回路（ＴＲＦ）６は、ボタン電話装置または電話交換機１００からの制御により、呼出信号（ＲＧ）送出の場合は、切り替え回路（ＴＲＦ）６に対して１６Ｈｚに変調された正弦波を１秒送出２秒断の３秒周期で断続出力を行うよう制御する。
【０５５１】
また、メッセージウェイティング信号（ＭＷ）送出時には１秒オン１秒断の２秒周期での断続出力を行うよう制御する。
【０５５２】
この切り替えは、切り替え回路（ＴＲＦ）６の切り替えリレーＴ（図示されてない）の接点ｔにより切り替える。
【０５５３】
本発明の実施の形態ではリレーＴが不動作の場合は、ボタン電話装置または電話交換機１００の呼出信号用共通変調回路（ＲＧ  ＣＯＭ  ＭＯＤ）１２１から供給された呼出信号（ＲＧ）が切り替え回路（ＴＲＦ）６により切り替えられる。
【０５５４】
ｔ接点のブレーク側を通りリングトリップ回路（ＲＴ）３、トランク通話回路（ＴＲＫＣＣＴ）７を経て加入者回線のＲｉｎｇ線から加入者電話機（ＳＬＴ）２００に送出される。
【０５５５】
また、メッセージウェイティング信号（ＭＷ）の送出の場合は、本発明の実施の形態では切り替え回路（ＴＲＦ）６のリレーＴが動作状態にボタン電話装置または電話交換機１００から指示された場合で、ボタン電話装置または電話交換機１００のメッセージウェイティング信号（ＭＷ）用共通断続制御回路（ＭＷ  ＣＯＭ  ＩＮＴ）１１２から供給されたメッセージウェイティング信号（ＭＷ）が切り替え回路（ＴＲＦ）６により切り替えられる。
【０５５６】
ｔ接点のメーク側を通りリングトリップ回路（ＲＴ）３、トランク通話回路（ＴＲＫＣＣＴ）７を経て加入者回線のＲｉｎｇ線から加入者電話機（ＳＬＴ）２００に送出される。
【０５５７】
呼出信号（ＲＧ）またはメッセージウェイティング信号（ＭＷ）は、それぞれの送出送出時、切り替え回路（ＴＲＦ）６から加入者回路３００を経て加入者回線のＲｉｎｇ線に送出される。
【０５５８】
加入者電話機（ＳＬＴ）２００の応答によるオフフックによるループを検出するリングトリップ回路（ＲＴ）３を経てトランク通話回路（ＴＲＫＣＣＴ）７から通話路スイッチ４００そして加入者回路３００を経て加入者回線のＲｉｎｇ線に送出される。
【０５５９】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０５６０】
トランク通話回路（ＴＲＫＣＣＴ）７を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０５６１】
ここで、リングトリップ回路（ＲＴ）３をトランク通話回路（ＴＲＫＣＣＴ）７の外に設けた実施の形態で説明した。
【０５６２】
しかし、リングトリップ回路（ＲＴ）３をトランク通話回路（ＴＲＫＣＣＴ）７の内に設けたもので加入者電話機（ＳＬＴ）２００が呼出信号（ＲＧ）またはメッセージウェイティング信号（ＭＷ）に応答したことを検出してもよい。
【０５６３】
トランク通話回路（ＴＲＫＣＣＴ）７は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０５６４】
以上のような機能を持つ、図１３に示す着信トランク回路（ＩＣＴ）５００はトランク通話回路（ＴＲＫＣＣＴ）７、切り替え回路（ＴＲＦ）６、およびリングトリップ回路（ＲＴ）３から構成されている。
【０５６５】
プリント基板に実装されて着信トランク回路（ＩＣＴ）５００を構成し、図１２に示すように、ボタン電話装置または電話交換機１００に複数搭載されている。
【０５６６】
ボタン電話装置または電話交換機１００を構成する装置としては着信トランク回路（ＩＣＴ）５００のプリント基板の量が多く、実装、コストの面で重要なウェートを占めている。
【０５６７】
以上のことから、いかに着信トランク回路（ＩＣＴ）５００の回路構成を縮小し、実装面積を少なくし、コストを削減するかが重要な目的となる。
【０５６８】
次に、本発明の第７の実施の形態の動作について、図１２および図１３を参照して詳細に説明する。
【０５６９】
ボタン電話装置または電話交換機１００本体に設けられた呼出信号用共通直流電圧発生回路（ＲＧ  ＣＯＭ  ＤＣＰＷ）１２５から、呼出信号用の電圧源となる共通直流電圧を発生する。
【０５７０】
呼出信号用共通変調回路（ＲＧ  ＣＯＭ  ＭＯＤ）１２１は、呼出信号用共通直流電圧発生回路（ＲＧ  ＣＯＭ  ＤＣＰＷ）１２５からの９０Ｖ直流電圧を、呼出信号用共通断続制御回路（ＲＧ  ＣＯＭ  ＩＮＴ）１２２からの制御により任意の周波数での正弦波への変調、又は任意の周期での断続を行う。
【０５７１】
呼出信号用共通断続制御回路（ＲＧ  ＣＯＭ  ＩＮＴ）１２２は、ボタン電話装置または電話交換機１００からの制御される。
【０５７２】
呼出信号用共通変調回路（ＲＧ  ＣＯＭ  ＭＯＤ）１２１に対して１６Ｈｚに変調された正弦波を１秒送出２秒断の３秒周期での断続出力を行うよう制御している。
【０５７３】
呼出信号用共通変調回路（ＲＧ  ＣＯＭ  ＭＯＤ）１２１から送出される呼出信号は、ボタン電話装置または電話交換機１００に搭載されている着信トランク回路（ＩＣＴ）５００に分配される。
【０５７４】
呼出信号の分配はボタン電話装置または電話交換機１００に搭載されている着信トランク回路（ＩＣＴ）５００のうち、呼出信号用共通変調回路（ＲＧ  ＣＯＭ  ＭＯＤ）１２１当たりの出力容量見合で複式に接続される。
【０５７５】
複数の着信トランク回路（ＩＣＴ）５００を複式に接続し、分配される構成になっている。
【０５７６】
また、ボタン電話装置または電話交換機１００本体に設けられたメッセージウェイティング信号（ＭＷ）用共通直流電圧発生回路（ＭＷ  ＣＯＭ  ＤＣＰＷ）１１５から、メッセージウェイティング信号（ＭＷ）用の電圧源となる共通直流電圧を発生する。
【０５７７】
メッセージウェイティング信号（ＭＷ）用共通断続制御回路（ＭＷ  ＣＯＭ  ＩＮＴ）１１２は、メッセージウェイティング信号（ＭＷ）用共通直流電圧発生回路（ＭＷ  ＣＯＭ  ＤＣＰＷ）１１５からの９０Ｖ直流電圧を任意の周期での断続を行う機能を有している。
【０５７８】
１秒オン１秒断の２秒周期での断続出力を行うよう制御している。
【０５７９】
メッセージウェイティング信号（ＭＷ）用共通断続制御回路（ＭＷ  ＣＯＭ  ＩＮＴ）１１２から送出されるメッセージウェイティング信号（ＭＷ）は、ボタン電話装置または電話交換機１００に搭載されている着信トランク回路（ＩＣＴ）５００に分配される。
【０５８０】
メッセージウェイティング信号（ＭＷ）の分配はボタン電話装置または電話交換機１００に搭載されている着信トランク回路（ＩＣＴ）５００のうち、メッセージウェイティング信号（ＭＷ）用共通断続制御回路（ＭＷ  ＣＯＭ  ＩＮＴ）１１２当たりの出力容量見合で複式に接続される。
【０５８１】
複数の着信トランク回路（ＩＣＴ）５００を複式に接続し、分配される構成になっている。
【０５８２】
呼出信号（ＲＧ）およびメッセージウェイティング信号（ＭＷ）の波形および送出状態は図１６のタイムチャートにより送出される。
【０５８３】
図１６（ａ）に示されるのが呼出信号（ＲＧ）で、図１６（ｂ）に示されるものがメッセージウェイティング信号（ＭＷ）のものである。
【０５８４】
着信トランク回路（ＩＣＴ）５００は呼出信号（ＲＧ）またはメッセージウェイティング信号（ＭＷ）の送出を切り替えるための切り替え回路（ＴＲＦ）６を備えている。
【０５８５】
切り替え回路（ＴＲＦ）６は、ボタン電話装置または電話交換機１００からの制御により、呼出信号（ＲＧ）送出の場合は、切り替え回路（ＴＲＦ）６に対して１６Ｈｚに変調された正弦波を１秒送出２秒断の３秒周期で断続出力を行うよう制御する。
【０５８６】
また、メッセージウェイティング信号（ＭＷ）送出時には１秒オン１秒断の２秒周期での断続出力を行うよう制御する。
【０５８７】
この切り替えは、切り替え回路（ＴＲＦ）６の切り替えリレーＴ（図示されてない）の接点ｔにより切り替える。
【０５８８】
本発明の実施の形態ではリレーＴが不動作の場合は、ボタン電話装置または電話交換機１００の呼出信号用共通変調回路（ＲＧ  ＣＯＭ  ＭＯＤ）１２１から供給された呼出信号（ＲＧ）が切り替え回路（ＴＲＦ）６により切り替えられる。
【０５８９】
ｔ接点のブレーク側を通りリングトリップ回路（ＲＴ）３、トランク通話回路（ＴＲＫＣＣＴ）７を経て加入者回線のＲｉｎｇ線から加入者電話機（ＳＬＴ）２００に送出される。
【０５９０】
また、メッセージウェイティング信号（ＭＷ）の送出の場合は、本発明の実施の形態では切り替え回路（ＴＲＦ）６のリレーＴが動作状態にボタン電話装置または電話交換機１００から指示された場合で、ボタン電話装置または電話交換機１００のメッセージウェイティング信号（ＭＷ）用共通断続制御回路（ＭＷ  ＣＯＭ  ＩＮＴ）１１２から供給されたメッセージウェイティング信号（ＭＷ）が切り替え回路（ＴＲＦ）６により切り替えられる。
【０５９１】
ｔ接点のメーク側を通りリングトリップ回路（ＲＴ）３、トランク通話回路（ＴＲＫＣＣＴ）７を経て加入者回線のＲｉｎｇ線から加入者電話機（ＳＬＴ）２００に送出される。
【０５９２】
呼出信号（ＲＧ）またはメッセージウェイティング信号（ＭＷ）は、それぞれの送出送出時、切り替え回路（ＴＲＦ）６から加入者回路３００を経て加入者回線のＲｉｎｇ線に送出される。
【０５９３】
加入者電話機（ＳＬＴ）２００の応答によるオフフックによるループを検出するリングトリップ回路（ＲＴ）３を経てトランク通話回路（ＴＲＫＣＣＴ）７から通話路スイッチ４００そして加入者回路３００を経て加入者回線のＲｉｎｇ線に送出される。
【０５９４】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０５９５】
トランク通話回路（ＴＲＫＣＣＴ）７を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０５９６】
ここで、リングトリップ回路（ＲＴ）３をトランク通話回路（ＴＲＫＣＣＴ）７の外に設けた実施の形態で説明した。
【０５９７】
しかし、リングトリップ回路（ＲＴ）３をトランク通話回路（ＴＲＫＣＣＴ）７の内に設けたもので加入者電話機（ＳＬＴ）２００が呼出信号（ＲＧ）またはメッセージウェイティング信号（ＭＷ）に応答したことを検出してもよい。
【０５９８】
トランク通話回路（ＴＲＫＣＣＴ）７は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０５９９】
以上のような機能を持つ、図１３に示す着信トランク回路（ＩＣＴ）５００はトランク通話回路（ＴＲＫＣＣＴ）７、切り替え回路（ＴＲＦ）６、およびリングトリップ回路（ＲＴ）３から構成されている。
【０６００】
そして、プリント基板に実装されて着信トランク回路（ＩＣＴ）５００を構成し、図１３に示すように、ボタン電話装置または電話交換機１００に複数搭載されている。
【０６０１】
ボタン電話装置または電話交換機１００を構成する装置としては着信トランク回路（ＩＣＴ）５００のプリント基板の量が多く、実装、コストの面で重要なウェートを占めている。
【０６０２】
以上のことから、いかに着信トランク回路（ＩＣＴ）５００の回路構成を縮小し、実装面積を少なくし、コストを削減するかが重要な目的となる。
【０６０３】
本発明の第７の実施の形態においては、本発明の第５の実施の形態における直流電圧発生回路５、および本発明の第６の実施の形態における変調回路１および断続制御回路２を数量の多い着信トランク回路（ＩＣＴ）５００から削除した点で、着信トランク回路（ＩＣＴ）５００を構成するプリント基板上の実装面積を縮小し、コスト削減が本発明の第５の実施の形態および本発明の第６の実施の形態よりさらに図られる。
【０６０４】
また、本発明の第７の実施の形態においては、ボタン電話装置または電話交換機１００本体に設けられた呼出信号用共通直流電圧発生回路（ＲＧ  ＣＯＭ  ＤＣＰＷ）１２５から、呼出信号用の電圧源となる共通直流電圧を発生する。
【０６０５】
呼出信号用共通変調回路（ＲＧ  ＣＯＭ  ＭＯＤ）１２１を、呼出信号用共通断続制御回路（ＲＧ  ＣＯＭ  ＩＮＴ）１２２から制御し、呼出信号（ＲＧ）を発生する。
【０６０６】
また、ボタン電話装置または電話交換機１００本体に設けられたメッセージウェイティング信号（ＭＷ）用共通直流電圧発生回路（ＭＷ  ＣＯＭ  ＤＣＰＷ）１１５から、メッセージウェイティング信号（ＭＷ）用の電圧源となる共通直流電圧を発生する。
【０６０７】
メッセージウェイティング信号（ＭＷ）用共通断続制御回路（ＭＷ  ＣＯＭ  ＩＮＴ）１１２は、メッセージウェイティング信号（ＭＷ）用共通直流電圧発生回路（ＭＷ  ＣＯＭ  ＤＣＰＷ）１１５からの断続出力をメッセージウェイティング信号（ＭＷ）として発生する共通化を行った構成にしたことにより本発明の第６の実施の形態よりコスト削減がボタン電話装置または電話交換機１００としてさらに図られる。
【０６０８】
次に、本発明の第８の実施の形態について、図１４および図１３を参照して説明する。
【０６０９】
図１４は本発明の第８の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す呼出信号およびメッセージウェイティング信号発生回路を共通に持ち直流電圧発生回路を共通化した空間分割型通話路スイッチを用いたボタン電話装置または電話交換機の構成図である。
【０６１０】
まず、第８の実施の形態の各構成の説明から行う。
【０６１１】
着信トランク回路（ＩＣＴ）５００は、ボタン電話装置または電話交換機１００本体に実装され、一方の通話線Ａ線およびＢ線は電話局等の外線から接続される。
【０６１２】
また片方の通話線Ｒｉｎｇ線およびＴｉｐ線はボタン電話装置または電話交換機１００の通話路スイッチ（空間分割スペーススイッチ）４００に接続される。
【０６１３】
加入者回路３００を経て、加入者回線を通して加入者電話機（ＳＬＴ）２００へ接続されている。
【０６１４】
ボタン電話装置または電話交換機１００本体に設けられた共通直流電圧発生回路（ＣＯＭ  ＤＣＰＷ）１０５から、呼出信号用およびメッセージウェイティング信号用の電圧源となる共通直流電圧を発生する。
【０６１５】
呼出信号用共通変調回路（ＲＧ  ＣＯＭ  ＭＯＤ）１２１は、共通直流電圧発生回路（ＣＯＭ  ＤＣＰＷ）１０５からの９０Ｖ直流電圧を、呼出信号用共通断続制御回路（ＲＧ  ＣＯＭ  ＩＮＴ）１２２からの制御により任意の周波数での正弦波への変調する。
【０６１６】
又は任意の周期での断続を行う。
【０６１７】
呼出信号用共通断続制御回路（ＲＧ  ＣＯＭ  ＩＮＴ）１２２は、ボタン電話装置または電話交換機１００からの制御される。
【０６１８】
呼出信号用共通変調回路（ＲＧ  ＣＯＭ  ＭＯＤ）１２１に対して１６Ｈｚに変調された正弦波を１秒送出２秒断の３秒周期での断続出力を行うよう制御している。
【０６１９】
呼出信号用共通変調回路（ＲＧ  ＣＯＭ  ＭＯＤ）１２１から送出される呼出信号は、ボタン電話装置または電話交換機１００に搭載されている着信トランク回路（ＩＣＴ）５００に分配される。
【０６２０】
呼出信号の分配はボタン電話装置または電話交換機１００に搭載されている着信トランク回路（ＩＣＴ）５００のうち、呼出信号用共通変調回路（ＲＧ  ＣＯＭ  ＭＯＤ）１２１当たりの出力容量見合で複式に接続される。
【０６２１】
複数の着信トランク回路（ＩＣＴ）５００を複式に接続し、分配される構成になっている。
【０６２２】
また、ボタン電話装置または電話交換機１００本体に設けられた共通直流電圧発生回路（ＣＯＭ  ＤＣＰＷ）１０５から、メッセージウェイティング信号（ＭＷ）用の電圧源となる共通直流電圧も呼出信号用の電圧源となる共通直流電圧と共用化して発生される。
【０６２３】
メッセージウェイティング信号（ＭＷ）用共通断続制御回路（ＭＷ  ＣＯＭ  ＩＮＴ）１１２は、共通直流電圧発生回路（ＣＯＭ  ＤＣＰＷ）１０５からの９０Ｖ直流電圧を任意の周期での断続を行う機能を有している。
【０６２４】
１秒オン１秒断の２秒周期での断続出力を行うよう制御している。
【０６２５】
メッセージウェイティング信号（ＭＷ）用共通断続制御回路（ＭＷ  ＣＯＭ  ＩＮＴ）１１２から送出されるメッセージウェイティング信号（ＭＷ）は、ボタン電話装置または電話交換機１００に搭載されている着信トランク回路（ＩＣＴ）５００に分配される。
【０６２６】
メッセージウェイティング信号（ＭＷ）の分配はボタン電話装置または電話交換機１００に搭載されている着信トランク回路（ＩＣＴ）５００のうち、メッセージウェイティング信号（ＭＷ）用共通断続制御回路（ＭＷ  ＣＯＭ  ＩＮＴ）１１２当たりの出力容量見合で複式に接続している。
【０６２７】
複数の着信トランク回路（ＩＣＴ）５００を複式に接続し、分配される構成になっている。
【０６２８】
呼出信号（ＲＧ）およびメッセージウェイティング信号（ＭＷ）の波形および送出状態は図１６のタイムチャートにより送出される。
【０６２９】
図１６（ａ）に示されるのが呼出信号（ＲＧ）で、図１６（ｂ）に示されるものがメッセージウェイティング信号（ＭＷ）のものである。
【０６３０】
着信トランク回路（ＩＣＴ）５００は呼出信号（ＲＧ）またはメッセージウェイティング信号（ＭＷ）の送出を切り替えるための切り替え回路（ＴＲＦ）６を備えている。
【０６３１】
切り替え回路（ＴＲＦ）６は、ボタン電話装置または電話交換機１００からの制御される。
【０６３２】
呼出信号（ＲＧ）送出の場合は、切り替え回路（ＴＲＦ）６に対して１６Ｈｚに変調された正弦波を１秒送出２秒断の３秒周期で断続出力を行うよう制御する。
【０６３３】
また、メッセージウェイティング信号（ＭＷ）送出時には１秒オン１秒断の２秒周期での断続出力を行うよう制御する。
【０６３４】
この切り替えは、切り替え回路（ＴＲＦ）６の切り替えリレーＴ（図示されてない）の接点ｔにより切り替える。
【０６３５】
本発明の実施の形態ではリレーＴが不動作の場合は、ボタン電話装置または電話交換機１００の呼出信号用共通変調回路（ＲＧ  ＣＯＭ  ＭＯＤ）１２１から供給された呼出信号（ＲＧ）が切り替え回路（ＴＲＦ）６により切り替えられる。
【０６３６】
ｔ接点のブレーク側を通りリングトリップ回路（ＲＴ）３、トランク通話回路（ＴＲＫＣＣＴ）７を経て加入者回線のＲｉｎｇ線から加入者電話機（ＳＬＴ）２００に送出される。
【０６３７】
また、メッセージウェイティング信号（ＭＷ）の送出の場合は、本発明の実施の形態では切り替え回路（ＴＲＦ）６のリレーＴが動作状態にボタン電話装置または電話交換機１００から指示された場合で、ボタン電話装置または電話交換機１００のメッセージウェイティング信号（ＭＷ）用共通断続制御回路（ＭＷ  ＣＯＭ  ＩＮＴ）１１２から供給されたメッセージウェイティング信号（ＭＷ）が切り替え回路（ＴＲＦ）６により切り替えられる。
【０６３８】
のｔ接点のメーク側を通りリングトリップ回路（ＲＴ）３、トランク通話回路（ＴＲＫＣＣＴ）７を経て加入者回線のＲｉｎｇ線から加入者電話機（ＳＬＴ）２００に送出される。
【０６３９】
呼出信号（ＲＧ）またはメッセージウェイティング信号（ＭＷ）は、それぞれの送出送出時、切り替え回路（ＴＲＦ）６から加入者電話機（ＳＬＴ）２００の応答によるオフフックによるループを検出するリングトリップ回路（ＲＴ）３を経てトランク通話回路（ＴＲＫＣＣＴ）７から加入者回路３００を経て加入者回線のＲｉｎｇ線に送出される。
【０６４０】
通話路スイッチ４００そして加入者回路３００を経て加入者回線のＲｉｎｇ線に送出される。
【０６４１】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０６４２】
トランク通話回路（ＴＲＫＣＣＴ）７を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０６４３】
ここで、リングトリップ回路（ＲＴ）３をトランク通話回路（ＴＲＫＣＣＴ）７の外に設けた実施の形態で説明した。
【０６４４】
しかし、リングトリップ回路（ＲＴ）３をトランク通話回路（ＴＲＫＣＣＴ）７の内部に設けたもので加入者電話機（ＳＬＴ）２００が呼出信号（ＲＧ）またはメッセージウェイティング信号（ＭＷ）に応答したことを検出してもよい。
【０６４５】
トランク通話回路（ＴＲＫＣＣＴ）７は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０６４６】
以上のような機能を持つ、図１３に示す着信トランク回路（ＩＣＴ）５００はトランク通話回路（ＴＲＫＣＣＴ）７、切り替え回路（ＴＲＦ）６、およびリングトリップ回路（ＲＴ）３から構成される。
【０６４７】
プリント基板に実装されて着信トランク回路（ＩＣＴ）５００を構成し、図１４に示すように、ボタン電話装置または電話交換機１００に複数搭載されている。
【０６４８】
ボタン電話装置または電話交換機１００を構成する装置としては着信トランク回路（ＩＣＴ）５００のプリント基板の量が多く、実装、コストの面で重要なウェートを占めている。
【０６４９】
以上のことから、いかに着信トランク回路（ＩＣＴ）５００の回路構成を縮小し、実装面積を少なくし、コストを削減するかが重要な目的となる。
【０６５０】
次に、本発明の第８の実施の形態の動作について、図１４および図１３を参照して詳細に説明する。
【０６５１】
ボタン電話装置または電話交換機１００本体に設けられた共通直流電圧発生回路（ＣＯＭ  ＤＣＰＷ）１０５から、呼出信号用およびメッセージウェイティング信号用の電圧源となる共通直流電圧を発生する。
【０６５２】
呼出信号用共通変調回路（ＲＧ  ＣＯＭ  ＭＯＤ）１２１は、共通直流電圧発生回路（ＣＯＭ  ＤＣＰＷ）１０５からの９０Ｖ直流電圧を、呼出信号用共通断続制御回路（ＲＧ  ＣＯＭ  ＩＮＴ）１２２からの制御により任意の周波数での正弦波への変調する。
【０６５３】
又は任意の周期での断続を行う。
【０６５４】
呼出信号用共通断続制御回路（ＲＧ  ＣＯＭ  ＩＮＴ）１２２は、ボタン電話装置または電話交換機１００からの制御により、呼出信号用共通変調回路（ＲＧ  ＣＯＭ  ＭＯＤ）１２１に対して１６Ｈｚに変調された正弦波を１秒送出２秒断の３秒周期での断続出力を行うよう制御している。
【０６５５】
呼出信号用共通変調回路（ＲＧ  ＣＯＭ  ＭＯＤ）１２１から送出される呼出信号は、ボタン電話装置または電話交換機１００に搭載されている着信トランク回路（ＩＣＴ）５００に分配される。
【０６５６】
呼出信号の分配はボタン電話装置または電話交換機１００に搭載されている着信トランク回路（ＩＣＴ）５００のうち、呼出信号用共通変調回路（ＲＧ  ＣＯＭ  ＭＯＤ）１２１当たりの出力容量見合で複式に接続される。
【０６５７】
複数の着信トランク回路（ＩＣＴ）５００を複式に接続し、分配される構成になっている。
【０６５８】
また、ボタン電話装置または電話交換機１００本体に設けられた共通直流電圧発生回路（ＣＯＭ  ＤＣＰＷ）１０５から、メッセージウェイティング信号（ＭＷ）用の電圧源となる共通直流電圧も呼出信号用の電圧源となる共通直流電圧と共用化して発生される。
【０６５９】
メッセージウェイティング信号（ＭＷ）用共通断続制御回路（ＭＷ  ＣＯＭ  ＩＮＴ）１１２は、共通直流電圧発生回路（ＣＯＭ  ＤＣＰＷ）１０５からの９０Ｖ直流電圧を任意の周期での断続を行う機能を有している。
【０６６０】
１秒オン１秒断の２秒周期での断続出力を行うよう制御している。
【０６６１】
メッセージウェイティング信号（ＭＷ）用共通断続制御回路（ＭＷ  ＣＯＭ  ＩＮＴ）１１２から送出されるメッセージウェイティング信号（ＭＷ）は、ボタン電話装置または電話交換機１００に搭載されている着信トランク回路（ＩＣＴ）５００に分配される。
【０６６２】
メッセージウェイティング信号（ＭＷ）の分配はボタン電話装置または電話交換機１００に搭載されている着信トランク回路（ＩＣＴ）５００のうち、メッセージウェイティング信号（ＭＷ）用共通断続制御回路（ＭＷ  ＣＯＭ  ＩＮＴ）１１２当たりの出力容量見合で複式に接続される。
【０６６３】
複数の着信トランク回路（ＩＣＴ）５００を複式に接続し、分配される構成になっている。
【０６６４】
呼出信号（ＲＧ）およびメッセージウェイティング信号（ＭＷ）の波形および送出状態は図１６のタイムチャートにより送出される。
【０６６５】
図１６（ａ）に示されるのが呼出信号（ＲＧ）で、図１６（ｂ）に示されるものがメッセージウェイティング信号（ＭＷ）のものである。
【０６６６】
着信トランク回路（ＩＣＴ）５００は呼出信号（ＲＧ）またはメッセージウェイティング信号（ＭＷ）の送出を切り替えるための切り替え回路（ＴＲＦ）６を備えている。
【０６６７】
切り替え回路（ＴＲＦ）６は、ボタン電話装置または電話交換機１００からの制御により、呼出信号（ＲＧ）送出の場合は、切り替え回路（ＴＲＦ）６に対して１６Ｈｚに変調された正弦波を１秒送出２秒断の３秒周期で断続出力を行うよう制御する。
【０６６８】
また、メッセージウェイティング信号（ＭＷ）送出時には１秒オン１秒断の２秒周期での断続出力を行うよう制御する。
【０６６９】
この切り替えは、切り替え回路（ＴＲＦ）６の切り替えリレーＴ（図示されてない）の接点ｔにより切り替える。
【０６７０】
本発明の実施の形態ではリレーＴが不動作の場合は、ボタン電話装置または電話交換機１００の呼出信号用共通変調回路（ＲＧ  ＣＯＭ  ＭＯＤ）１２１から供給された呼出信号（ＲＧ）が切り替え回路（ＴＲＦ）６により切り替えられる。
【０６７１】
ｔ接点のブレーク側を通りリングトリップ回路（ＲＴ）３、トランク通話回路（ＴＲＫＣＣＴ）７を経て加入者回線のＲｉｎｇ線から加入者電話機（ＳＬＴ）２００に送出される。
【０６７２】
また、メッセージウェイティング信号（ＭＷ）の送出の場合は、本発明の実施の形態では切り替え回路（ＴＲＦ）６のリレーＴが動作状態にボタン電話装置または電話交換機１００から指示される。
【０６７３】
その場合で、ボタン電話装置または電話交換機１００のメッセージウェイティング信号（ＭＷ）用共通断続制御回路（ＭＷ  ＣＯＭ  ＩＮＴ）１１２から供給されたメッセージウェイティング信号（ＭＷ）が切り替え回路（ＴＲＦ）６により切り替えられる。
【０６７４】
ｔ接点のメーク側を通りリングトリップ回路（ＲＴ）３、トランク通話回路（ＴＲＫＣＣＴ）７を経て加入者回線のＲｉｎｇ線から加入者電話機（ＳＬＴ）２００に送出される。
【０６７５】
呼出信号（ＲＧ）またはメッセージウェイティング信号（ＭＷ）は、それぞれの送出送出時、切り替え回路（ＴＲＦ）６から加入者回路３００を経て加入者回線のＲｉｎｇ線に送出される。
【０６７６】
加入者電話機（ＳＬＴ）２００の応答によるオフフックによるループを検出するリングトリップ回路（ＲＴ）３を経てトランク通話回路（ＴＲＫＣＣＴ）７から通話路スイッチ４００そして加入者回路３００を経て加入者回線のＲｉｎｇ線に送出される。
【０６７７】
Ｒｉｎｇ線に送出された呼出信号（ＲＧ）またはメッセージウェイティング信号（ＭＷ）は、加入者電話機（ＳＬＴ）２００の応答によるオフフックによるループ閉成を経て加入者回線のＴｉｐ線に帰還する。
【０６７８】
トランク通話回路（ＴＲＫＣＣＴ）７を経てグランドに終端されるためリングトリップ回路（ＲＴ）３が加入者電話機（ＳＬＴ）２００が呼出信号（ＲＧ）またはメッセージウェイティング信号（ＭＷ）に応答したことを検出する。
【０６７９】
ここで、リングトリップ回路（ＲＴ）３をトランク通話回路（ＴＲＫＣＣＴ）７の外に設けた実施の形態で説明した。
【０６８０】
しかし、リングトリップ回路（ＲＴ）３をトランク通話回路（ＴＲＫＣＣＴ）７の内部に設けたもので加入者電話機（ＳＬＴ）２００が呼出信号（ＲＧ）またはメッセージウェイティング信号（ＭＷ）に応答したことを検出してもよい。
【０６８１】
トランク通話回路（ＴＲＫＣＣＴ）７は加入者電話機（ＳＬＴ）２００とのインターフェースで通話電流の供給、発信、通話、および終話監視等の各種加入者電話機（ＳＬＴ）２００とのインターフェースを受け持つ機能を備えている。
【０６８２】
以上のような機能を持つ、図１３に示す着信トランク回路（ＩＣＴ）５００はトランク通話回路（ＴＲＫＣＣＴ）７、切り替え回路（ＴＲＦ）６、およびリングトリップ回路（ＲＴ）３から構成される。
【０６８３】
プリント基板に実装されて着信トランク回路（ＩＣＴ）５００を構成し、図１４に示すように、ボタン電話装置または電話交換機１００に複数搭載されている。
【０６８４】
ボタン電話装置または電話交換機１００を構成する装置としては着信トランク回路（ＩＣＴ）５００のプリント基板の量が多く、実装、コストの面で重要なウェートを占めている。
【０６８５】
以上のことから、いかに着信トランク回路（ＩＣＴ）５００の回路構成を縮小し、実装面積を少なくし、コストを削減するかが重要な目的となる。
【０６８６】
本発明の第８の実施の形態においても、本発明の第５の実施の形態における直流電圧発生回路５、および本発明の第６の実施の形態における変調回路１および断続制御回路２を数量の多い着信トランク回路（ＩＣＴ）５００から削除した点で、着信トランク回路（ＩＣＴ）５００を構成するプリント基板上の実装面積を縮小し、コスト削減が本発明の第５の実施の形態および本発明の第６の実施の形態よりさらに図られる。
【０６８７】
また、本発明の第８の実施の形態においては、ボタン電話装置または電話交換機１００内で、第７の実施の形態の呼出信号用共通直流電圧発生回路（ＲＧ  ＣＯＭ  ＤＣＰＷ）１２５およびメッセージウェイティング信号（ＭＷ）用共通直流電圧発生回路（ＭＷ  ＣＯＭ  ＤＣＰＷ）１１５を共通化し、共通直流電圧発生回路（ＣＯＭ  ＤＣＰＷ）１０５から呼出信号（ＲＧ）用およびメッセージウェイティング信号（ＭＷ）用の電圧源となる共通直流電圧を発生するように構成したことから本発明の第７の実施の形態よりコストを削減がボタン電話装置または電話交換機１００としてさらに図られる。
【０６８８】
以上本発明の第５の実施の形態から本発明の第８の実施の形態はボタン電話装置または電話交換機１００がアナログ電話交換を行う場合の実施の形態で行われる。
【０６８９】
図８、図１０、図１２、および図１４に示すように、ボタン電話装置または電話交換機１００の通話路スイッチ４００が空間分割スペーススイッチで構成された場合に、呼出信号（ＲＧ）およびメッセージウェイティング信号（ＭＷ）を送出するのに、着信トランク回路（ＩＣＴ）５００の回路構成を縮小し、実装面積を少なくし、コストを削減するのに効果的である。
【０６９０】
さらに本発明の第５の実施の形態から本発明の第８の実施の形態のものは、本発明の第１の実施の形態から本発明の第４の実施の形態の加入者回路３００の数に比べて、着信トランク回路（ＩＣＴ）５００の数が少ないことから、ボタン電話装置または電話交換機１００全体からのコスト削減が効果的である。
【０６９１】
理由としては、呼出信号（ＲＧ）およびメッセージウェイティング信号（ＭＷ）のような高電圧で構成される信号は空間分割スペーススイッチを通すことができるため、集約した着信トランク回路（ＩＣＴ）５００から送出するのができるからである。
【０６９２】
以上本発明の第５の実施の形態から本発明の第８の実施の形態はボタン電話装置または電話交換機１００がアナログ電話交換を行う場合の実施の形態で行われる。
【０６９３】
図８、図１０、図１２、および図１４に示すように、ボタン電話装置または電話交換機１００の通話路スイッチ４００が空間分割スペーススイッチで構成された場合に、呼出信号（ＲＧ）およびメッセージウェイティング信号（ＭＷ）を送出するのに、着信トランク回路（ＩＣＴ）５００の回路構成を縮小し、実装面積を少なくし、コストを削減するのに効果的である。
【０６９４】
次に、本発明の第５の実施の形態から本発明の第８の実施の形態と同様に、ボタン電話装置または電話交換機１００の通話路スイッチ４００が空間分割スペーススイッチで構成された場合に、呼出信号（ＲＧ）およびメッセージウェイティング信号（ＭＷ）の送出を、外線からの着信する場合の着信トランク回路（ＩＣＴ）５００を使用する場合と同じように、図８、図１０、図１２、および図１４に示すように、ボタン電話装置または電話交換機１００内の接続であれば自局内トランク回路（ＩＯＴ）６００を使用することから、着信トランク回路（ＩＣＴ）５００を使用した本発明の第５の実施の形態から本発明の第８の実施の形態と同様に、着信トランク回路（ＩＣＴ）５００を使用した本発明の第５の実施の形態から本発明の第８の実施の形態に対応した、自局内トランク回路（ＩＯＴ）６００を使用した、本発明の第９の実施の形態から本発明の第１２の実施の形態がある。
【０６９５】
自局内トランク回路（ＩＯＴ）６００を使用した本発明の第９の実施の形態から本発明の第１２の実施の形態は、第９の実施の形態に対応して示される図８、第１０の実施の形態に対応して示される図１０、第１１の実施の形態に対応して示される図１２、および第１２の実施の形態に対応して示される図１４に示すように、着信トランク回路（ＩＣＴ）５００と同じように、自局内トランク回路（ＩＯＴ）６００がボタン電話装置または電話交換機１００に収容されている。
【０６９６】
自局内トランク回路（ＩＯＴ）６００の回路構成は、着信トランク回路（ＩＣＴ）５００の呼出信号（ＲＧ）およびメッセージウェイティング信号（ＭＷ）に関する送出回路部分と同様で、自局内トランク回路（ＩＯＴ）６００の回路構成は、第９の実施の形態に対応して示される着信トランク回路（ＩＣＴ）５００の図９、第１０の実施の形態に対応して示される着信トランク回路（ＩＣＴ）５００の図１１、および第１１および第１２の実施の形態に対応して示される着信トランク回路（ＩＣＴ）５００の図１３に示すような構成になっている。
【０６９７】
自局内トランク回路（ＩＯＴ）６００は発信側のＡ線Ｂ線、および呼出信号（ＲＧ）またはメッセージウェイティング信号（ＭＷ）が送出される着信側のＲｉｎｇ線Ｔｉｐ線とも通話路スイッチ（空間分割スペーススイッチ）４００の接続されている。
【０６９８】
自局内トランク回路（ＩＯＴ）６００からの呼出信号（ＲＧ）またはメッセージウェイティング信号（ＭＷ）の送出は着信トランク回路（ＩＣＴ）５００と同様な形で実行される。
【０６９９】
さらに、本発明の第５の実施の形態から本発明の第８の実施の形態と同様に、ボタン電話装置または電話交換機１００の通話路スイッチ４００が空間分割スペーススイッチで構成された場合に、呼出信号（ＲＧ）およびメッセージウェイティング信号（ＭＷ）の送出を、外線からの着信する場合の着信トランク回路（ＩＣＴ）５００を使用する場合と同じように、図８、図１０、図１２、および図１４に示すように、呼出信号（ＲＧ）およびメッセージウェイティング信号（ＭＷ）の送出を共通に設けたトランクである共通トランク回路（ＲＧＭＷＴ）７００から送出する本発明の第１３の実施の形態から本発明の第１６の実施の形態がある。
【０７００】
着信トランク回路（ＩＣＴ）５００を使用した本発明の第５の実施の形態から本発明の第８の実施の形態と同様に、着信トランク回路（ＩＣＴ）５００を使用した本発明の第５の実施の形態から本発明の第８の実施の形態に対応した、共通トランク回路（ＲＧＭＷＴ）７００を使用した、本発明の第１３の実施の形態から本発明の第１６の実施の形態がある。
【０７０１】
共通トランク回路（ＲＧＭＷＴ）７００を使用した本発明の第１３の実施の形態から本発明の第１６の実施の形態は、第１３の実施の形態に対応して示される図８、第１４の実施の形態に対応して示される図１０、第１５の実施の形態に対応して示される図１２、および第１６の実施の形態に対応して示される図１４に示すように、着信トランク回路（ＩＣＴ）５００と同じように、共通トランク回路（ＲＧＭＷＴ）７００がボタン電話装置または電話交換機１００に収容されている。
【０７０２】
共通トランク回路（ＲＧＭＷＴ）７００の回路構成は、着信トランク回路（ＩＣＴ）５００の呼出信号（ＲＧ）およびメッセージウェイティング信号（ＭＷ）に関する送出回路部分と同様で、共通トランク回路（ＲＧＭＷＴ）７００の回路構成は、第１３の実施の形態に対応して示される着信トランク回路（ＩＣＴ）５００の図９、第１４の実施の形態に対応して示される着信トランク回路（ＩＣＴ）５００の図１１、および第１５および第１６の実施の形態に対応して示される着信トランク回路（ＩＣＴ）５００の図１３に示すような構成になっている。
【０７０３】
共通トランク回路（ＲＧＭＷＴ）７００は呼出信号（ＲＧ）またはメッセージウェイティング信号（ＭＷ）が送出されるＲｉｎｇ線Ｔｉｐ線が通話路スイッチ（空間分割スペーススイッチ）４００に接続されている。
【０７０４】
共通トランク回路（ＲＧＭＷＴ）７００からの呼出信号（ＲＧ）またはメッセージウェイティング信号（ＭＷ）の送出は着信トランク回路（ＩＣＴ）５００と同様な形で実行される。
【０７０５】
以上、本発明の第５、第９、および第１３の実施の形態は、それぞれ着信トランク回路（ＩＣＴ）５００、自局内トランク回路（ＩＯＴ）６００、および共通トランク回路（ＲＧＭＷＴ）７００内に、直流電圧発生回路（ＤＣＰＷ）５、変調回路（ＭＯＤ）１、および断続制御回路（ＩＮＴ）２を備え、呼出信号（ＲＧ）またはメッセージウェイティング信号（ＭＷ）を共通化して送出する構成にしたものである。
【０７０６】
また、本発明の第６、第１０、および第１４の実施の形態は、それぞれ着信トランク回路（ＩＣＴ）５００、自局内トランク回路（ＩＯＴ）６００、および共通トランク回路（ＲＧＭＷＴ）７００内に、変調回路（ＭＯＤ）１、断続制御回路（ＩＮＴ）２を備え、呼出信号（ＲＧ）およびメッセージウェイティング信号（ＭＷ）を共通化して送出するようにし、ボタン電話装置または電話交換機１００本体に設けられた共通直流電圧発生回路（ＣＯＭ  ＤＣＰＷ）１０５から、呼出信号（ＲＧ）送出およびメッセージウェイティング信号（ＭＷ）送出のための共通直流電圧発生源を得る構成にしたものである。
【０７０７】
また、本発明の第７、第１１、および第１５の実施の形態は、それぞれ着信トランク回路（ＩＣＴ）５００、自局内トランク回路（ＩＯＴ）６００、および共通トランク回路（ＲＧＭＷＴ）７００内に、切り替え回路（ＴＲＦ）６を備え、
ボタン電話装置または電話交換機１００本体に設けられた呼出信号用共通直流電圧発生回路（ＲＧ  ＣＯＭ  ＤＣＰＷ）１２５から、呼出信号用の電圧源となる共通直流電圧を発生し、呼出信号用共通変調回路（ＲＧ  ＣＯＭ  ＭＯＤ）１２１が呼出信号用共通直流電圧発生回路（ＲＧ  ＣＯＭ  ＤＣＰＷ）１２５からの直流電圧を、呼出信号用共通断続制御回路（ＲＧ  ＣＯＭ  ＩＮＴ）１２２からの制御により変調、断続し、呼出信号（ＲＧ）用とし、呼出信号（ＲＧ）は各トランク回路に分配され、
また、ボタン電話装置または電話交換機１００本体に設けられたメッセージウェイティング信号（ＭＷ）用共通直流電圧発生回路（ＭＷ  ＣＯＭ  ＤＣＰＷ）１１５を、メッセージウェイティング信号（ＭＷ）用共通断続制御回路（ＭＷ  ＣＯＭ  ＩＮＴ）１１２により、断続し、メッセージウェイティング信号（ＭＷ）用とし、メッセージウェイティング信号（ＭＷ）は、ボタン電話装置または電話交換機１００に搭載されている各トランク回路に分配される構成にしたものである。
【０７０８】
また、本発明の第８、第１２、および第１６の実施の形態は、それぞれ着信トランク回路（ＩＣＴ）５００、自局内トランク回路（ＩＯＴ）６００、および共通トランク回路（ＲＧＭＷＴ）７００内に、切り替え回路（ＴＲＦ）６を備え、
ボタン電話装置または電話交換機１００本体に呼出信号（ＲＧ）用直流電圧発生回路とメッセージウェイティング信号（ＭＷ）用直流電圧発生回路を共通化し、共通化した共通直流電圧発生回路（ＣＯＭ  ＤＣＰＷ）１０５から呼出信号（ＲＧ）用およびメッセージウェイティング信号（ＭＷ）用の電圧源となる共通直流電圧を発生するように構成し、
呼出信号用共通変調回路（ＲＧ  ＣＯＭ  ＭＯＤ）１２１が、共通直流電圧発生回路（ＣＯＭ  ＤＣＰＷ）１０５からの直流電圧を、呼出信号用共通断続制御回路（ＲＧ  ＣＯＭ  ＩＮＴ）１２２からの制御により変調、断続し、呼出信号（ＲＧ）用とし、呼出信号（ＲＧ）は各トランク回路に分配され、
また、共通直流電圧発生回路（ＣＯＭ  ＤＣＰＷ）１０５を、メッセージウェイティング信号（ＭＷ）用共通断続制御回路（ＭＷ  ＣＯＭ  ＩＮＴ）１１２により、断続し、メッセージウェイティング信号（ＭＷ）用とし、メッセージウェイティング信号（ＭＷ）は、ボタン電話装置または電話交換機１００に搭載されている各トランク回路に分配される構成にしたものである。
【図面の簡単な説明】
【０７０９】
【図１】本発明の第１の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示すボタン電話装置または電話交換機の構成図である。
【図２】本発明の第１の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す加入者回路の構成図である。
【図３】本発明の第２の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す直流電圧発生回路を共通化したボタン電話装置または電話交換機の構成図である。
【図４】本発明の第２の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す直流電圧発生回路を外部に置いた加入者回路の構成図である。
【図５】本発明の第３の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す呼出信号およびメッセージウェイティング信号発生回路を共通に持つボタン電話装置または電話交換機の構成図である。
【図６】本発明の第３および第４の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す呼出信号およびメッセージウェイティング信号発生回路を外部に置いた加入者回路の構成図である。
【図７】本発明の第４の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す呼出信号およびメッセージウェイティング信号発生回路を共通に持ち直流電圧発生回路を共通化したボタン電話装置または電話交換機の構成図である。
【図８】本発明の第５の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す空間分割型通話路スイッチを用いたボタン電話装置または電話交換機の構成図である。
【図９】本発明の第５の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す着信トランク回路の構成図である。
【図１０】本発明の第６の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す直流電圧発生回路を共通化した空間分割型通話路スイッチを用いたボタン電話装置または電話交換機の構成図である。
【図１１】本発明の第６の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す直流電圧発生回路を外部に置いた着信トランク回路の構成図である。
【図１２】本発明の第７の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す呼出信号およびメッセージウェイティング信号発生回路を共通に持つ空間分割型通話路スイッチを用いたボタン電話装置または電話交換機の構成図である。
【図１３】本発明の第７および第８の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す呼出信号およびメッセージウェイティング信号発生回路を外部に置いた着信トランク回路の構成図である。
【図１４】本発明の第８の実施の形態の呼出信号送出回路およびメッセージウェイティング信号送出回路を共通化したアナログ加入者電話機インターフェース回路と方法および呼出信号送出回路およびメッセージウェイティング信号送出回路共通化制御用プログラムの一実施の形態を示す呼出信号およびメッセージウェイティング信号発生回路を共通に持ち直流電圧発生回路を共通化した空間分割型通話路スイッチを用いたボタン電話装置または電話交換機の構成図である。
【図１５】従来のアナログ加入者電話機インターフェース回路で呼出信号送出回路およびメッセージウェイティング信号送出回路をそれぞれ備えた加入者回路の構成図である。
【図１６】呼出信号およびメッセージウェイティング信号の波形のタイムチャートである。
【符号の説明】
【０７１０】
１    変調回路（ＭＯＤ）
２    断続制御回路（ＩＮＴ）
３    リングトリップ回路（ＲＴ）
４    加入者電話機インターフェース回路（ＳＬＴ  Ｉ／Ｆ）
５    直流電圧発生回路（ＤＣＰＷ）
６    切り替え回路（ＴＲＦ）
７    トランク通話回路（ＴＲＫＣＣＴ）
１００    ボタン電話装置または電話交換機
１０５    共通直流電圧発生回路（ＣＯＭ  ＤＣＰＷ）
１１２    メッセージウェイティング信号（ＭＷ）用共通断続制御回路（ＭＷ  ＣＯＭ  ＩＮＴ）
１１５    メッセージウェイティング信号（ＭＷ）用共通直流電圧発生回路（ＭＷ  ＣＯＭ  ＤＣＰＷ）
１２１    呼出信号用共通変調回路（ＲＧ  ＣＯＭ  ＭＯＤ）
１２２    呼出信号用共通断続制御回路（ＲＧ  ＣＯＭ  ＩＮＴ）
１２５    呼出信号用共通直流電圧発生回路（ＲＧ  ＣＯＭ  ＤＣＰＷ）
２００    加入者電話機（ＳＬＴ）
３００    加入者回路
４００    通話路スイッチ
５００    着信トランク回路（ＩＣＴ）
６００    自局内トランク回路（ＩＯＴ）
７００    共通トランク回路（ＲＧＭＷＴ）
【図１】
2005286639.tif 000003
【図２】
2005286639.tif 000004
【図３】
2005286639.tif 000005
【図４】
2005286639.tif 000006
【図５】
2005286639.tif 000007
【図６】
2005286639.tif 000008
【図７】
2005286639.tif 000009
【図８】
2005286639.tif 000010
【図９】
2005286639.tif 000011
【図１０】
2005286639.tif 000012
【図１１】
2005286639.tif 000013
【図１２】
2005286639.tif 000014
【図１３】
2005286639.tif 000015
【図１４】
2005286639.tif 000016
【図１５】
2005286639.tif 000017
【図１６】
2005286639.tif 000018